(57)【要約】【課題】健康管理支援を受けている参加者が、健康管理支援期間でのその体重の変化の傾向を明確に、かつ簡単に確認することができるようにする。【解決手段】参加者が健康指導を浮ける健康管理支援期間を、期間境界日を月曜日，土曜日として、平日期間４１ａ，４１ｂ，４１ｃと休日期間４２ａ，４２ｂ，との種別期間に区分する。平日期間４１ａ，４１ｂ，４１ｃでは、その開始日の期間境界日である月曜日とその終了日の期間境界日である土曜日との参加者の計測体重を境界日体重として、これら月曜日と土曜日との境界日体重を直線で結んで平日期間体重グラフ４５ａ，４５ｂ，４５ｃとする。また、休日期間４２ａ，４２ｂでも、その開始日の期間境界日である土曜日とその終了日の期間境界日である月曜日との参加者の計測体重を境界日体重として、これら土曜日と月曜日との境界日体重を直線で結んで終日期間体重グラフ４６ａ，４６ｂとする。【選択図】図５
2010237805.tif 000002
【特許請求の範囲】
【請求項１】
健康管理支援期間の順次の日にちを体重の計測日として、健康指導を受ける参加者の該体重の計測日毎の計測体重を取得し、該計測体重を演算処理して体重の変化の傾向を表わす体重グラフを作成する健康管理支援システムであって、
該健康管理支援期間を所定期間の種別期間毎に区分して、該種別期間夫々毎の開始日と終了日を期間境界日として検出する第１の手段と、
該第１の手段によって検出した該期間境界日に対応する体重の計測日の該計測体重を、境界日体重として、設定する第２の手段と、
時間的に配列をなしている該期間境界日の順に、該期間境界日の該境界日体重を順次直線で結んで期間体重グラフを作成する第３の手段と、
該第３の手段で作成された該期間体重グラフを体重グラフ図に表示する第４の手段と
からなることを特徴とする健康管理支援システム。
【請求項２】
請求項１において、
前記種別期間は、月曜日から次の土曜日までの平日期間と、土曜日から次の月曜日までの休日期間とであって、
前記期間体重グラフが、月曜日である該平日期間の開始の前記期間境界日の前記境界日体重と次の土曜日である同じ該平日期間の終了の前記期間境界日の前記境界日体重とを直線で結ぶ平日期間体重グラフと、土曜日である該平日期間の開始の前記期間境界日の前記計測体重と次の月曜日である同じ該平日期間の終了の前記期間境界日の前記計測体重とを直線で結ぶ平日期間体重グラフとからなることを特徴とする健康管理支援システム。
【請求項３】
請求項１において、
前記種別期間は、月曜日を前記期間境界日とし、月曜日から次の月曜日までの週期間であることを特徴とする健康管理支援システム。
【請求項４】
請求項１において、
前記種別期間は、土曜日を前記期間境界日とし、土曜日から次の土曜日までの週期間であることを特徴とする健康管理支援システム。
【請求項５】
請求項１〜４のいずれか１つにおいて、
前記種別期間の開始日の期間境界日と終了日の期間境界日とのいずれか一方で取得していないときには、前記第２の手段が、当該期間境界日の１日前の前記体重の計測日の計測体重を境界日体重とすることを特徴とする健康管理支援システム。
【請求項６】
請求項１〜５のいずれか１つにおいて、
前記第３の手段は、開始日と終了日の期間境界日で、ともに、境界日体重が設定されない前記種別期間では、当該種別期間の期間体重グラフを作成しないことを特徴とする健康管理支援システム。
【請求項７】
健康管理支援期間の順次の日にちを体重の計測日として、保健指導を受ける参加者の該体重の計測日毎の計測体重を取得し、該計測体重を演算処理して体重の変化の傾向を表わす体重グラフを作成する健康管理支援システムであって、
該健康管理支援期間を所定期間の種別期間毎に区分して、該種別期間夫々毎の開始日と終了日を期間境界日として検出する第１の手段と、
ｊ番目の前記種別期間に対して１つ前の（ｊ−１）番目の前記種別期間での境界日体重をＣＷ（ｊ−１）とし、該ｊ番目の種別期間の開始の体重の計測日をｉ0とし、開始日からｍ番目の体重の計測日（ｉ）及び計測体重を夫々ｉm，Ｗ（ｍ）とし、該ｊ番目の種別期間の最終日である種別期間境界日を、該ｊ番目の種別期間の開始日からｐ番目の体重の計測日のｉPとして、該ｊ番目の種別期間の境界日体重ＣＷ（ｊ）を、
【数１】
2010237805.tif 000007
で求める第２の手段と、
時間的に配列をなしている該期間境界日の順に、該期間境界日の該境界日体重ＣＷ（ｊ）を順次直線で結んで期間体重グラフを作成する第３の手段と、
該第３の手段で作成された該期間体重グラフを体重グラフ図に表示する第４の手段と
からなることを特徴とする健康管理支援システム。
【請求項８】
請求項７において、
前記種別期間は、月曜日から次の土曜日までの平日期間と、土曜日から次の月曜日までの休日期間とであることを特徴とする健康管理支援システム。
【請求項９】
請求項７において、
前記種別期間は、月曜日を前記期間境界日として、月曜日から次の月曜日までの週期間であることを特徴とする健康管理支援システム。
【請求項１０】
請求項７において、
前記種別期間は、土曜日を前記期間境界日として、土曜日から次の土曜日までの週期間であることを特徴とする健康管理支援システム。
【請求項１１】
請求項１〜１０のいずれか１つにおいて、
健康指導を受ける参加者の行動目標のための行動計画の実施状況をカロリーカードの情報で取得する第５の手段と、
前記種別期間毎の該行動計画の実施状況を該カロリーカードで分析する第６の手段と、
該第６の手段による行動計画の実施状況の分析結果と、前記第４の手段で作成された前記期間体重グラフとを表示させる第７の手段と
を備えたことを特徴とする健康管理支援システム。
【請求項１２】
請求項１〜１１のいずれか１つにおいて、
指導者端末から取得した前記期間体重グラフに基づく前記参加者の減量の変動状態に対する健康指導者のコメントを、前記期間体重グラフとともに、表示させる手段を備えたことを特徴とする健康管理支援システム。
【請求項１３】
請求項１２において、
前記期間体重グラフでの前記健康指導者のコメントで指摘される部分を強調表示させるための手段を、前記期間体重グラフのグラフ図に付加することを特徴とする健康管理支援システム。
【請求項１４】
請求項１〜１１のいずれか１つにおいて、
指導者端末から取得した前記期間体重グラフと前記行動計画の実施状況の分析結果とに基づく前記参加者の減量の変動状態に対する健康指導者のコメントを、前記期間体重グラフ図と前記行動計画の実施状況の分析結果とともに、表示させる手段を備えたことを特徴とする健康管理支援システム。
【請求項１５】
請求項１４において、
前記期間体重グラフ及び前記行動計画の実施状況の分析結果での前記健康指導者のコメントで指摘される部分を強調表示させるための手段を、前記期間体重グラフと前記行動計画の実施状況の分析結果の表示画面に付加することを特徴とする健康管理支援システム。
【発明の詳細な説明】
【技術分野】
【０００１】
本発明は、健康管理を支援するシステムに係り、特に、生活習慣などに起因するメタボリックシンドロームなどを改善するために指導される参加者のための健康管理支援システムに関する。
【背景技術】
【０００２】
近年、生活習慣病のひとつとして、内臓脂肪型肥満症（メタボリックシンドローム）が注目されている。メタボリックシンドロームは、内臓脂肪面積≧１００ｃｍ2（腹囲の場合は、男性≧８５ｃｍ2、女性≧９０ｃｍ2）という基準を超え、血中脂質や血圧、または、血糖値のいずれかのリスクを２つ以上有する状態を指し、動脈硬化や心疾患または脳血管疾患のリスクが高くなると言われている疾患である。
【０００３】
健診施設などでは、受診者がメタボリックシンドロームや肥満と診断されると、医師や保健師などの保健指導者が減量を指示する。特に、保健指導者が強い介入指導が必要と判断した受診者には、受診者の体重に合わせた目標体重を設定し、目標体重に向けて改善すべき生活習慣を生活改善項目として提案した減量プログラムを実施する保健指導を受けることを要請する場合がある。
【０００４】
この場合、保健指導者は、この要請を受けた受診者（以下、健康指導の参加者という）の目標体重を達するためのカロリー数の計算を行ない、目標体重へ減量するために必要な食生活や運動量に関して生活改善項目を立案して提示する。そして、保健指導の参加者は、提示された生活改善項目の実行状況と体重の変化を指導者に報告し、目標体重への減量を目指す。
【０００５】
このような減量に関する技術としては、減量を実施する者の目標体重や食事状況，運動状況に応じて、摂取エネルギーや消費エネルギーの目標値を提示したり、その目標値を満たすための食事制限や運動方法などのメニューを提示する技術が知られている（例えば、特許文献１参照）。
【先行技術文献】
【特許文献】
【０００６】
【特許文献１】特開２００４−２２７５２２号公報
【発明の概要】
【発明が解決しようとする課題】
【０００７】
ところで、保健指導の参加者の目標体重を設定し、この目標体重に向かって減量しているかどうかを確認することができるようにするために、上記特許文献１に記載のように、計測した日々の体重をグラフで表示するのが一般的である。
【０００８】
ところで、食事や運動などの行動計画を建ててこれを実施するものであるが、かかる行動計画の実施状況は日々の生活環境の変化に応じて異なるものであり、このため、体重は日々増減するものである。この結果、日々計測した体重をグラフで表わしたとしても、かかる体重グラフからは、体重の変化の傾向がどのようなものであるか、即ち、減量している傾向にあるのか、ないのか、かかる体重グラフから明確、かつ簡単に判断することは非常に困難である。
【０００９】
本発明の目的は、かかる問題を解消し、健康管理支援を受けている参加者が、健康管理支援期間でのその体重の変化の傾向を明確に、かつ簡単に確認することができるようにした健康管理支援システムを提供することにある。
【課題を解決するための手段】
【００１０】
上記目的を達成するために、本発明は、健康管理支援期間の順次の日にちを体重の計測日として、健康指導を受ける参加者の体重の計測日毎の計測体重を取得し、計測体重を演算処理して体重の変化の傾向を表わす体重グラフを作成する健康管理支援システムであって、健康管理支援期間を所定期間の種別期間毎に区分して、種別期間夫々毎の開始日と終了日を期間境界日として検出する第１の手段と、第１の手段によって検出した期間境界日に対応する体重の計測日の計測体重を、境界日体重として、設定する第２の手段と、時間的に配列をなしている期間境界日の順に、期間境界日の境界日体重を順次直線で結んで期間体重グラフを作成する第３の手段と、第３の手段で作成された期間体重グラフを体重グラフ図に表示する第４の手段とからなることを特徴とする。
【００１１】
また、本発明は、種別期間が、月曜日から次の土曜日までの平日期間と、土曜日から次の月曜日までの休日期間とであって、期間体重グラフが、月曜日である平日期間の開始の期間境界日の境界日体重と次の土曜日である同じ平日期間の終了の期間境界日の境界日体重とを直線で結ぶ平日期間体重グラフと、土曜日である平日期間の開始の期間境界日の計測体重と次の月曜日である同じ平日期間の終了の期間境界日の計測体重とを直線で結ぶ平日期間体重グラフとからなることを特徴とする。
【００１２】
さらに、本発明は、種別期間が、月曜日を期間境界日とし、月曜日から次の月曜日までの週期間であることを特徴とする。
【００１３】
さらに、本発明は、種別期間が、土曜日を期間境界日とし、土曜日から次の土曜日までの週期間であることを特徴とする。
【００１４】
さらに、本発明は、種別期間の開始日の期間境界日と終了日の期間境界日とのいずれか一方で取得していないときには、第２の手段が、当該期間境界日の１日前の体重の計測日の計測体重を境界日体重とすることを特徴とする。
【００１５】
さらに、本発明は、第３の手段が、開始日と終了日の期間境界日で、ともに、境界日体重が設定されない種別期間では、当該種別期間の期間体重グラフを作成しないことを特徴とする。
【００１６】
上記目的を達成するために、本発明は、健康管理支援期間の順次の日にちを体重の計測日として、保健指導を受ける参加者の体重の計測日毎の計測体重を取得し、計測体重を演算処理して体重の変化の傾向を表わす体重グラフを作成する健康管理支援システムであって、健康管理支援期間を所定期間の種別期間毎に区分して、種別期間夫々毎の開始日と終了日を期間境界日として検出する第１の手段と、ｊ番目の種別期間に対して１つ前の（ｊ−１）番目の種別期間での境界日体重をＣＷ（ｊ−１）とし、ｊ番目の種別期間の開始の体重の計測日をｉ0とし、開始日からｍ番目の体重の計測日（ｉ）及び計測体重を夫々ｉm，Ｗ（ｍ）とし、ｊ番目の種別期間の最終日である種別期間境界日を、ｊ番目の種別期間の開始日からｐ番目の体重の計測日のｉPとして、ｊ番目の種別期間の境界日体重ＣＷ（ｊ）を、
【数１】
2010237805.tif 000003
【００１７】
で求める第２の手段と、時間的に配列をなしている期間境界日の順に、期間境界日の境界日体重ＣＷ（ｊ）を順次直線で結んで期間体重グラフを作成する第３の手段と、第３の手段で作成された期間体重グラフを体重グラフ図に表示する第４の手段とからなることを特徴とする。
【００１８】
また、本発明は、種別期間が、月曜日から次の土曜日までの平日期間と、土曜日から次の月曜日までの休日期間とであることを特徴とする。
【００１９】
さらに、本発明は、種別期間が、月曜日を期間境界日として、月曜日から次の月曜日までの週期間であることを特徴とする。
【００２０】
さらに、本発明は、種別期間が、土曜日を期間境界日として、土曜日から次の土曜日までの週期間であることを特徴とする。
【００２１】
さらに、本発明は、健康指導を受ける参加者の行動目標のための行動計画の実施状況をカロリーカードの情報で取得する第５の手段と、種別期間毎の行動計画の実施状況をカロリーカードで分析する第６の手段と、第６の手段による行動計画の実施状況の分析結果と、第４の手段で作成された期間体重グラフとを表示させる第７の手段とを備えたことを特徴とする。
【００２２】
さらに、本発明は、指導者端末から取得した期間体重グラフに基づく参加者の減量の変動状態に対する健康指導者のコメントを、期間体重グラフとともに、表示させる手段を備えたことを特徴とする。
【００２３】
さらに、本発明は、期間体重グラフでの健康指導者のコメントで指摘される部分を強調表示させるための手段を、期間体重グラフのグラフ図に付加することを特徴とする。
【００２４】
さらに、本発明は、指導者端末から取得した期間体重グラフと行動計画の実施状況の分析結果とに基づく参加者の減量の変動状態に対する健康指導者のコメントを、期間体重グラフ図と行動計画の実施状況の分析結果とともに、表示させる手段を備えたことを特徴とする。
【００２５】
さらに、本発明は、期間体重グラフ及び行動計画の実施状況の分析結果での健康指導者のコメントで指摘される部分を強調表示させるための手段を、期間体重グラフと行動計画の実施状況の分析結果の表示画面に付加することを特徴とする。
【発明の効果】
【００２６】
本発明によると、健康管理支援期間を平日期間や休日期間などの所定の種別期間毎に区分し、夫々の種別期間毎にその種別期間の開始日と終了日との体重などの境界日体重を直線で結ぶグラフを表わすものであるから、各種別期間毎に、かかる期間体重グラフによって体重の変化の傾向が表わされることになり、健康管理支援の参加者は、その減量などの体重の変化の傾向を明確に、かつ簡単に確認することができる。
【図面の簡単な説明】
【００２７】
【図１】本発明による健康管理支援システムの第１の実施形態を示すブロック構成図である。
【図２】図１に示す健康管理支援システムの体重周期変動の算出・表示のための概略的な処理動作の一具体例を示すフローチャートである。
【図３】図２のステップＳ１０１での健康管理支援のための初期設定画面の一具体例を示す図である。
【図４】図１におけるデータ管理サーバの記録装置でのデータ登録テーブルの一具体例を示す図である。
【図５】図２のステップＳ１０１で作成された体重グラフ図の一具体例を示す図である。
【図６】図１におけるデータ管理サーバでの演算装置による図４に示すデータ登録テーブルでの期間番号ＣＤ（ｊ）と境界日体重ＣＷ（ｊ）の作成処理手順を示すフローチャートである。
【図７】図４に示すデータ登録テーブルから図５に示す体重グラフ図を作成するための図１における制御装置による演算装置での一連の処理動作の一具体例を示すフローチャートである。
【図８】図１におけるデータ管理サーバの記録装置でのデータ登録テーブルの他の具体例を示す図である。
【図９】図８に示すデータ登録テーブルを基に作成された体重グラフを示す図である。
【図１０】図８（ｃ）に示すデータ登録テーブルを基に作成された修正前の体重グラフを示す図である。
【図１１】図８（ｃ）に示すデータ登録テーブルでの境界日体重ＷP（ｊ）の修正方法の具体例を示す図である。
【図１２】図１におけるデータ管理サーバでの演算装置による図８に示すデータ登録テーブルでの期間番号ＣＤ（ｊ）と境界日体重ＣＷ（ｊ）の作成処理手順を示すフローチャートである。
【図１３】本発明による健康管理支援システムの第２の実施形態での体重周期変動や行動の変動の算出・表示のための概略的な処理動作の具体例を示すフローチャートである。
【図１４】図１３に示す第２の実施形態での行動計画画面の一具体例の概要をを示す図である。
【図１５】図１３でのステップＳ５０２の処理を詳細に示すフローチャートである。
【図１６】図１３に示す第２の実施形態での体重／行動実施状況グラフ図の画面の一具体例を示す図である。
【図１７】本発明による健康管理支援システムの第３の実施形態を示すブロック構成図である。
【図１８】図１７に示す第３の実施形態での体重周期変動の算出・表示のための概略的な処理動作の一具体例を示すフローチャートである。
【図１９】図１８におけるステップＳ７００ａ，Ｓ７０１ａの評価の基準となる単位期間を示す図である。
【図２０】図１８におけるステップＳ７００ａの処理動作の一具体例を示すフローチャートである。
【図２１】図１８におけるステップＳ７００ｂの処理動作の一具体例を示すフローチャートである。
【図２２】図１８におけるステップＳ７０１ａの処理動作の一具体例を示すフローチャートである。
【図２３】図１８におけるステップＳ７０１ｂの処理動作の一具体例を示すフローチャートである。
【図２４】図１７に示す指導者端末で作成される健康管理指導画面の一具体例を示す図である。
【図２５】図２４に示す健康管理指導画面で強調表示の操作がなされたときの健康管理指導画面を示す図である。
【図２６】図１７での参加者端末の表示装置に表示される健康管理支援画面の一具体例を示す図である。
【図２６ａ】図２６に示す健康管理支援画面で１７での指導者コメント表示欄１３１ａの「場所を確認」ボタン１３２ａが操作されたときの健康管理支援画面の一具体例を示す図である。
【図２６ｂ】図２６ａに示す健康管理支援画面で１７での指導者コメント表示欄１３１ｂの「場所を確認」ボタン１３２ｂも操作されたときの健康管理支援画面の一具体例を示す図である。
【図２７】本発明による健康管理支援システムの第４の実施形態に用いられる体重グラフ図の一具体例を示す図である。
【図２８】図２７に示す体重グラフ図に対するデータ管理サーバの記録装置でのデータ登録テーブルの一具体例を示す図である。
【図２９】図２８における境界日体重ＣＷ（ｊ）を求めるデータ管理サーバでの演算装置の処理動作の一具体例を示すフローチャートである。
【図３０】本発明による健康管理支援システムの第５の実施形態に用いられる体重グラフ図の一具体例を示す図である。
【図３１】図３０に示す体重グラフ図に対するデータ管理サーバの記録装置でのデータ登録テーブルの一具体例を示す図である。
【図３２】図３１における境界日体重ＣＷ（ｊ）を求めるデータ管理サーバでの演算装置の処理動作の一具体例を示すフローチャートである。
【発明を実施するための形態】
【００２８】
次に、本発明の実施形態について図面を用いて説明する。
【００２９】
図１は本発明による健康管理支援システムの第１の実施形態を示すシステム構成図であって、１ａ，１ｂは参加者端末、２ａ，２ｂは制御装置、３ａ，３ｂは入力装置、４ａ，４ｂはセンサ情報取込装置、５ａ，５ｂは表示装置、６ａ，６ｂは記録装置、７ａ，７ｂは計測装置、８はデータ管理サーバ、９は制御装置、１０は記録装置、１１は演算装置、１２はネットワークである。
【００３０】
同図において、この健康管理支援システムは、データ管理サーバ７に参加者端末１ａ，１ｂとがネットワーク１２を介して接続された構成をなしている。参加者端末１ａ，１ｂは夫々、医師や保健師などの指導者の指示された目標体重を達成するための健康指導を受ける参加者（以下では、単に参加者ａ，ｂという）が使用する端末であって、ここでは、２人の参加者ａ，ｂの参加者端末１ａ，１ｂを示しているが、１個の参加者端末であってもよいし、３以上の参加者端末であってもよい。
【００３１】
なお、以下では、参加者ａの参加者端末１ａについて説明するが、参加者端末１ｂなどの他の参加者端末についても同様である。
【００３２】
参加者端末１ａは、送受信や処理機能を備えた制御部２ａやキーボードやマウスなどからなって参加者ａによる情報や指示の入力操作のための入力装置３ａ、入力装置３ａからの入力情報の表示のための画面やデータ管理サーバ８からの健康管理支援情報を表わす画面などを表示する表示部５ａ、各種データを記録保持するための記録装置６ａ、センサ情報取込装置４ａなどを備えている。また、参加者端末１ａは、体重計や歩数計などの計測装置７ａと通信可能に接続されて、かかる計測装置７ａの計測結果がセンサ情報取込装置４ａで取り込まれるが、かかる計測結果は、入力装置３ａから入力するようにしてもよい。
【００３３】
データ管理サーバ８は、送受信や処理機能を備えた制御装置９や参加者端末１ａから送信される上記の計測結果や参加者端末１ａ（即ち、参加者端末毎）の健康管理支援情報などを記録保持する記録装置１０、かかる健康管理支援情報から後述する体重グラフを作成するなどの演算処理を行なう演算装置１１などを備えている。
【００３４】
図２は図１に示す健康管理支援システムでのデータ管理サーバ８の体重周期変動の算出・表示のための概略的な処理動作の一具体例を示すフローチャートである。
【００３５】
同図において、参加者端末１ａの入力装置３ａで初期設定情報の入力操作がなされることにより、この初期設定情報がデータ管理サーバ８に送信され、その記録装置１０に記録保持される（ステップＳ１００）。
【００３６】
より具体的には、参加者ａが参加者端末１ａを用いて減量のための健康管理の支援を受ける場合、参加者ａがその参加者端末１ａの入力装置３ａで氏名や生年月日，年齢，性別，住所，パスワードなどのこの参加者ａの個人情報の入力操作することにより、制御装置２ａがかかる個人情報を伴う健康管理支援の要求信号をデータ管理サーバ８に送信する。データ管理サーバ８では、制御装置９がこの要求信号を受信し、この個人情報を記録装置１０に記録するとともに、この記録装置１０に記録されている初期設定画面の情報を読み出して要求があった参加者端末１ａに送信する。これにより、参加者端末１ａでは、制御部２ａが初期設定画面の情報を受信して表示部５ａに供給する。これにより、表示部５ａでは、初期設定画面が表示される。
【００３７】
かかる初期設定画面は、参加者ａが希望する健康管理支援期間（即ち、減量期間）や目標体重，減量のための行動計画などを設定するためのものであって、その一例として、健康管理支援期間に関する初期設定画面を図３に示す。
【００３８】
なお、図３において、２０は初期設定画面、２１はカレンダ部、２１ａはスクロールバー、２１ｂは開始日マーク、２１ｃは健康管理支援期間エリア枠、２１ｄは休日マーク、２１ｅは目標体重マーク、２２は入力インターフェース部、２２ａは項目「減量期間中」、２２ｂは項目「特定期間」、２２ｃは項目「指定日」、２２ｄは項目「特定日」、２２ｅは項目「就労日に設定」、２２ｆは項目「休日に設定」、２３は健康管理支援期間、２４は「実行」ボタンである。
【００３９】
同図において、初期設定画面２０は、健康管理支援期間やその期間での平日と休日とを設定するための操作画面であって、カレンダ部２１と入力インターフェース部２２とからなり、夫々に操作部が設けられている。これら操作部は、入力装置３ａ（図１）の図示しないマウスによるカーソル操作によって操作することができるし、あるいはまた、表示部５ａ（図１）での表示画面にタッチパネルが設けられ、その表示画面のタッチ操作により、操作するようにすることもできる。
【００４０】
カレンダ部２１には、１ヶ月分のカレンダが表示され、スクロールバー２１ａを操作することにより、１ヶ月分ずつ前の月あるいは後ろの月に表示する月が変更される。
【００４１】
入力インターフェース部２２は、健康管理支援期間やその期間での平日と休日とを設定操作する領域であって、健康管理支援期間を指定するための項目「減量期間中」２２ａ，項目「特定期間」２２ｂ、平日や休日となる曜日を指定するための項目「指定日」２２ｃ，特定の日を平日または休日に指定する項目「特定日」２２ｄ，項目「指定日」２２ｃで指定された曜日もしくは項目「特定日」２２ｄで指定された日を就労日とするための項目「就労日に設定」２２ｅ，項目「指定日」２２ｃで指定された曜日もしくは項目「特定日」２２ｄで指定された日を休日とするための項目「休日に設定」２２ｆが設けられ、さらに、「実行」ボタン２４が設けられている。
【００４２】
ここで、項目「減量期間中」２２ａが指定され、「実行」ボタン２４だけが操作されると、現在の日時（今日）からの健康管理支援期間が指定されることになる。例えば、今日が６月１日とすると、かかる操作により、この健康管理支援期間は今日（６月１日）から予め決められた期間（ここでは、９０日間とするが、これに限るものではない）と指定されることになり、この初期設定画面２０に健康管理支援の開始日を６月１日、終了日を８月２９日とする健康管理支援期間２３が表示される。
【００４３】
なお、健康管理支援期間は、予め、例えば、９０日間と決められているが、参加者がこれより短い期間あるいは長い期間を健康管理支援期間とすることを希望する場合には、または健康管理支援期間の開始日（減量開始日）を今日以外の日にちにしたい場合には、別途その開始日と終了日とを入力装置３ａ（図１）のキーボードを用いて入力すればよい。
【００４４】
ここで、項目「特定期間」２２ｂや項目「指定日」２２ｃ，項目「特定日」２２ｄは、項目「就労日に設定」２２ｅまたは項目「休日に設定」２２ｆの選択操作と「実行」ボタン２４の操作とともに、かかる項目２２ｂ〜２２ｃで選択された日にちを就労日または休日に設定できるようにするものである。
【００４５】
カレンダ部２１で表示されるカレンダは、表示開始されたデフォルト状態では、その各日にちが、通常の暦のように、月曜日〜金曜日は就労日（平日）と決められ、また、土曜日，日曜日，祝日は休日と決められているが、上記の項目２２ｂ〜２２ｆの選択操作と「実行」ボタン２４との操作とにより、就労日であったものを休日に、休日であったものとを就労日に夫々変更できるものである。勿論一旦変更したものを再度変更することもできる。
【００４６】
そこで、例えば、項目「指定日」２２ｃで、「平日」が指定され、さらに、項目「就労日に設定」２２ｅが選択されて「実行」ボタン２４が操作されると、この健康管理支援期間内での暦の上での月曜日から金曜日までが平日期間と設定され、この場合、逆に、項目「休日に設定」２２ｅが選択されて「実行」ボタン２４が操作されると、この健康管理支援期間内での暦上での月曜日から金曜日までも休日期間と設定される。また、項目「指定日」２２ｃで、例えば、「土曜日」，「日曜日」，「祝日」のいずれかが指定され、さらに、項目「就労日に設定」２２ｅが選択されて「実行」ボタン２４が操作されると、この健康管理支援期間内での土曜日，日曜日，祝日の指定されたいずれかが就労日と設定される。また、平日期間でのある特定の曜日、例えば、月曜日が休日で、これ以外が就労日である場合には、項目「指定日」２２ｃで「月曜日」を指定し、さらに、項目「休日に設定」２２ｆを選択して「実行」ボタン２４を操作すると、健康管理支援期間内での月曜日が休日と設定される。
【００４７】
また、夏休み期間などのように、希望する特定の期間全体を休日（または、就労日）とする場合には、項目「特定期間」２２ｂにその開始日と終了日とを入力し、項目「休日に設定」２２ｆ（または、項目「就労日に設定」２２ｅ）を選択して「実行」ボタン２４を操作すればよい。これにより、例えば、６月１０日から６月１５日までの期間を休日（または、就労日）とすることができる。
【００４８】
さらに、本来休日である或る特定の土曜日，日曜日あるいは祝日を出勤する就労日とする場合には、その日にち、例えば、日曜日である６月２１日を項目「特定日」２２ｄに入力し、項目「就労日に設定」２２ｅを選択して「実行」ボタン２４を操作すると、この６月２１日が就労日となる。同様にして、本来平日である或る日にち、例えば、６月８日を会社を休む休日とする場合には、その日にちを項目「特定日」２２ｄに入力し、項目「休日に設定」２２ｆを選択して「実行」ボタン２４を操作すると、この６月８日が休日となる。なお、項目「指定日」２２ｃで曜日や祝日などを就労日あるいは休日と設定しても、そのうちの特定の日を項目「特定日」２２ｄで指定して休日あるいは就労日の設定をすると、その日は、上記項目「指定日」２２ｃでの設定にかかわらず、この項目「特定日」２２ｄでの設定が優先することになる。
【００４９】
以上の操作を順次行なって、健康管理支援期間での就労日と休日との設定をすることができる。このような就労日と休日の設定は、上記のように、「減量期間中」２２ａを選択し、項目「就労日に設定」２２ｅまたは項目「休日に設定」２２ｆを選択して、「実行」ボタン２４を操作すると、健康管理支援期間内の全ての日にちに対して設定される。また、「特定期間」２２ｂを選択し、項目「就労日に設定」２２ｅまたは項目「休日に設定」２２ｆを選択して、「実行」ボタン２４を操作すると、開始日と終了日とが入力された期間内の日にちに対して設定される。
【００５０】
このようにして、健康管理支援期間と平日期間・休日期間とが指定されると、カレンダ部２１では、表示されている今日を含む月（ここでは、６月）のカレンダに、健康管理支援期間の開始日（減量開始日：６月１日）が２重四角枠状の開始日マーク２１ｂで表示され、この指定された健康管理支援期間内の期間（６月１日から６月３０日まで）が健康管理支援期間エリア枠２１ｃで囲まれる。また、この健康管理支援期間エリア枠２１ｃ内では、入力インターフェース部２２で指定された休日が四角枠状の休日マーク２１ｄで囲まれて表示され、この休日マーク２１ｄで囲まれない日にちは指定された平日となる。また、この健康管理支援期間では、予め決められた日数（ここでは、例えば、１０日とする）毎に目標体重が設定されるものであるが、この目標体重設定日（ここでは、６月１０日と６月２０日と６月３０日）が丸枠状の目標体重マーク２１ｅで囲んで表示される。
【００５１】
健康管理支援期間や平日／休日期間が入力指定され、「実行」ボタン２４が操作されると、かかる健康管理支援期間に関する入力情報が参加者端末１ａの制御部２ａからデータ管理サーバ８に送信され、このデータ管理サーバ８では、制御装置９がこの入力情報を受信し、記録装置１０に先の参加者ａの個人情報に関連付けて記録される。これとともに、制御装置９は記録装置１０から体重／行動計画の入力操作画面の情報を読み取り、参加者端末１ａに送信する。参加者端末１ａでは、かかる入力操作画面の情報を受信し、表示装置５ａでこの体重／行動計画の入力操作画面を表示させる。
【００５２】
ここで、図示しないが、この体重／行動計画の入力操作画面では、現在の計測体重や受信した医師などの指導者から指示を受けた健康保険支援での最終目標体重，１００ｋｃａｌカードを用いた行動計画（歩数や生活記録（食事や運動，イベント，コメントなど））などの入力項目が設けられており、入力装置３ａの操作によって参加者ａがこれらのデータを入力し、決定操作をすると、これらデータが制御装置２ａからデータ管理サーバ８に送信される。データ管理サーバ８では、かかるデータが制御装置８で受信され、記録装置１０に参加者ａの先の個人情報に関連付けられて記録保持される。
【００５３】
なお、図示しないが、初期設定画面２０にかかる最終目標体重や行動計画などのデータを入力するエリアを設けるようにしてもよい。
【００５４】
以上により、この参加者ａの健康管理支援期間での平日（就労日）や休日などが登録され（図２のステップＳ１００ａ）、図２でのステップＳ１００が完了して健康管理支援に必要な体重などのデータが参加者端末１ａから送信されるのを待つ。
【００５５】
図２において、健康管理支援のための上記の初期設定データ（健康管理支援期間や平日／休日，体重，行動計画など）がデータ管理サーバ８の記録装置１０に登録されて健康管理支援が実行されると、参加者端末１ａから１日に一度その参加者ａの計測体重や行動計画の実行結果がデータ管理サーバ８に送信され、この参加者ａの体重の変化を表わす体重グラフの作成が行なわれる（ステップＳ１０１）。
【００５６】
さらに、詳細には、参加者ａは健康管理支援期間が開始すると、毎日、行動計画に沿い、ウォーキングを行なってその歩数を歩数計で計測したり、この計画に沿う食事やイベントなどを行なったりして、例えば、その日の就眠直前などのほぼ決まった時刻に体重計で体重を計測し、この体重計の計測結果（計測体重）をセンサ情報取込装置４ａに読み取らせるとともに、歩数計によるその日の計測歩数も情報取込装置４ａに読み取らせ、また、その日の行動結果も、１００ｋｃａｌカードの使用枚数でもって入力装置３ａから入力する。
【００５７】
このような計測体重，計測歩数，行動結果の各計測データは制御部２ａに取り込まれ、日にち，曜日を表わすデータ（なお、かかるデータを、以下、日にち／曜日データということにするが、かかる日にち／曜日データは参加者端末１ａに設けられた図示しないタイマによって取得することができる）とともに、データ管理サーバ８に送信される（なお、かかる日にち／曜日データはデータ管理サーバ８でタイマを設けて取得するようにすることもでき、この場合には、参加者端末１ａからデータ管理サーバ８にかかる日にち／曜日データを送る必要はない。但し、この場合も、日にち／曜日データは、計測データや個人データと関連付けられて記録装置１０に記録保持される）。データ管理サーバ８では、かかる計測データが制御装置９で受信され、記録装置１０に先の個人情報と関連付けて記録保持される。
【００５８】
このようにして、健康管理支援期間では、参加者端末１ａからデータ管理サーバ８に１日に１回ずつ参加者ａのかかる計測データや日にち／曜日データが送り込まれ、記録装置１０に記録されるが、これとともに、制御装置９が記録装置１０から計測データや日にち／曜日データを読み出して演算装置１１に供給し、平日期間（月曜日から金曜日のように、平日が連続する期間）での体重グラフの作成（ステップＳ１０１ａ）と休日期間（土曜日からその翌日の日曜日までの休日が連続する期間）での体重グラフの作成（ステップＳ１０１ｂ）とが行なわれる。
【００５９】
なお、以下では、平日期間の体重グラフを平日期間体重グラフといい、休日期間の体重グラフを休日期間体重グラフということにする。また、これら平日期間体重グラフ，休日期間体重グラフを総称する場合、期間体重グラフということにする。
【００６０】
ここで、平日期間体重グラフは、平日期間毎に作成されるものであって、平日期間での計測体重の変化の傾向を示すものである。このため、この平日期間体重グラフは、その平日期間に参加者端末１ａから提供された各平日の計測体重を基に形成される（ステップＳ１０１ａ）。同様に、休日期間体重グラフは、休日期間毎に作成されるものであって、休日期間での計測体重の変化の傾向を示すものである。このため、この休日期間体重グラフは、その休日期間に参加者端末１ａから提供された各休日の計測体重を基に形成される（ステップＳ１０１ｂ）。
【００６１】
このようにして、平日期間体重グラフや休日期間体重グラフが演算装置１１で作成されると、制御装置９はこれらの期間体重グラフのデータを記録装置１０に参加者ａの個人情報と関連付けて記録保持するとともに、これら期間体重グラフのデータを、これまで得られた期間体重グラフのデータとともに、参加者端末１ａに送信する。この参加者端末１ａでは、制御部２ａがこれら期間体重グラフのデータを受信し、記録装置６ａに記録する。参加者ａが入力装置３ａを操作して期間体重グラフの表示を指示すると、制御部２ａは記録装置６ａから期間体重グラフのデータを読み取り、表示装置５ａに供給する。これにより、表示装置５ａの表示画面には、これまで得られた平日期間体重グラフや休日期間体重グラフが表示されることになり、参加者ａは、この表示された期間体重グラフから、体重の変化の傾向を平日期間毎に、また、休日期間毎に容易に認識することができる（以上、ステップＳ１０２）。
【００６２】
図４は図２に示すステップＳ１００で参加者端末１ａから提供された健康管理支援のための初期設定データや計測体重などが登録される図１におけるデータ管理サーバ８の記録装置１０でのデータ登録テーブルの一具体例を示す図であって、３０ａ〜３０ｄはデータ登録テーブル、３１は「日にちＮｏ．（番号）」欄、３２は「計測日」欄、３３は「期間種別フラグ」欄、３４は「計測体重」欄、３５は「期間番号」欄、３６は「境界日体重」欄、３７は「目標体重」欄である。
【００６３】
なお、同図（ａ）は図示する計測日全てで体重の計測が行なわれた場合のデータ登録テーブル３０ａを示し、同図（ｂ）は平日期間から休日期間（以下、これらの期間を総称する場合、種別期間という）への境界（種別期間境界日）の１つで体重の計測が行なわれなかった場合のデータ登録テーブル３０ｂを、同図（ｃ）は平日期間と次の休日期間との境界日（種別期間境界日）とこの休日期間からその次の平日期間への境界日（種別期間境界日）の２つ種別期間境界日で体重の計測が行なわれなかった場合のデータ登録テーブル３０ｃを、同図（ｄ）は平日期間と次の休日期間との境界日（種別期間境界日）から次の期間の境界日（種別期間境界日）まで体重の計測が行われなかった場合のデータ登録テーブル３０ｄを夫々示している。
【００６４】
また、図５は、図１におけるデータ管理サーバ８の演算装置１１により、図４に示すデータ登録テーブル３０ａ，３０ｂ，３０ｃ，３０ｄを基に図２のステップＳ１０１で作成された体重グラフ図の一具体例を示す図であって、４０ａ〜４０ｄは体重グラフ図、４１ａ〜４１ｃは平日期間、４２ａ，４２ｂは休日期間、４３は計測体重、４４は計測体重グラフ、４５ａ，４５ｂ，４５ｃは平日期間体重グラフ、４６ａ，４６ｂは休日期間体重グラフ、４７は目標体重マーク、４８は計測日である。
【００６５】
図５（ａ）は図４（ａ）に示すデータ登録テーブル３０ａを基に作成した体重グラフ図４０ａを示し、図５（ｂ）は図４（ｂ）に示すデータ登録テーブル３０ｂを基に作成した体重グラフ図４０ｂを、図５（ｃ）は図４（ｃ）に示すデータ登録テーブル３０ｃを基に作成した体重グラフ図４０ｃを、図５（ｄ）は図４（ｄ）に示すデータ登録テーブル３０ｄを基に作成した体重グラフ図４０ｄを夫々示すものである。
【００６６】
図４（図４（ａ）〜（ｄ）の総称）において、データ登録テーブル３０（データ登録テーブル３０ａ〜３０ｄの総称）では、「日にちＮｏ．」欄３１，「計測日」欄３２，「期間種別フラグ」欄３３，「計測体重」欄３４，「期間番号」欄３５，「境界日体重」欄３６，「目標体重」欄３７が設定されており、「日にちＮｏ．」欄３１には、予め健康管理支援期間の日にちの順序を示す初日から９０日目までの日にちの番号として、日にちＮｏ．ｉ（但し、ｉ＝１，２，……，９０）が設定されている。
【００６７】
参加者端末１ａで図３に示す初期設定画面２０などによって健康管理支援のための初期設定データが提供されると、「計測日」欄３２に、健康管理支援期間の開始日を日にちＮｏ．１に設定して、「日にちＮｏ．」欄３１の日にちＮｏ．ｉに該当するｉ番目の日付が設定される。これにより、健康管理支援期間の初日（６月１日）から順に日にちＮｏ．ｉが割り当てられる。なお、９０日よりも短い健康管理支援期間が指定されたときには、「日にちＮｏ．」欄３１の日にちＮｏ．９０までは日にちの設定はなされない。図４では、図３における初期設定画面２０のカレンダ部２１での設定された健康管理支援期間の一部である初日（６月１日）から６月１０日までを「日にちＮｏ．」欄３１の日にちＮｏ．１〜１０に日にちが設定して示している。
【００６８】
なお、以下では、健康管理支援期間での日にちＮｏ．ｉの日にちを計測日（ｉ）ということにする。
【００６９】
また、上記のように、データ管理サーバ８の制御部９は、図３に示す初期設定画面２０で設定された健康管理支援期間の順次の計測日（ｉ）が平日期間・休日期間のいずれの種別期間内にあるかを判定し、その判定結果を「期間種別フラグ」欄３３で「日にちＮｏ．」欄３１の該当する計測日（ｉ）の箇所に期間種別フラグＨ（ｉ）として登録する。ここで、平日では、期間種別フラグＨ（ｉ）＝符号“０”、休日では、期間種別フラグＨ（ｉ）＝符号“１”であり、図４では、計測日（１）〜（１０）のうちの計測日（１）〜（５），（８）〜（１０）の各日にちが平日であるから、これらで期間種別フラグＨ（１）〜Ｈ（５），Ｈ（８）〜（１０）＝符号“０”が設定され、計測日（６），（７）が土，日曜日で休日であるから、これらで期間種別フラグＨ（６），Ｈ（７）＝符号“１”が設定される。但し、平日期間から休日期間への境界日（種別期間境界日）は土曜日であり、休日期間から平日期間への種別期間境界日は月曜日である。
【００７０】
参加者端末１ａで参加者ａの体重が計測されて送られてくると、「計測体重」欄３４での該当する計測日（ｉ）の箇所に、計測体重Ｗ（ｉ）として、登録される。この「計測体重」欄３４では、各計測日（ｉ）の箇所で値「０」が初期設定されており、参加者端末１ａから計測体重が送られてくると、「計測体重」欄３４の該当する計測日（ｉ）の箇所でその値「０」がこの計測体重Ｗ（ｉ）に更新される。従って、参加者端末１ａから計測体重が送られてこない計測日（ｉ）では、「計測体重」欄３４の該当する日にちの箇所で初期値「０」がそのまま保持されることになる。
【００７１】
「期間番号」欄３５と「境界日体重」欄３６とは、各種別期間（平日期間と休日期間）での体重グラフ（期間体重グラフ）の作成に必要なデータを登録するためのものである。
【００７２】
「期間番号」欄３５は、期間体重グラフが作成される種別期間の順番を表わすものであり、種別期間の種別期間境界日に該当する計測日（ｉ）に設定される。この種別期間境界日は、原則として、健康管理支援期間での計測体重が最初に登録された計測日（に）（これが健康管理支援期間の開始日となる）と「期間種別フラグ」欄３３での期間種別フラグＨ（ｉ）が変化する計測日（ｉ）である。即ち、ここでは、開始日である６月１日が種別期間境界日であり、また、期間種別フラグＨ（ｉ）が符号“０”から符号“１”に変化したとき、この符号“１”である計測日（ｉ）と、期間種別フラグＨ（ｉ）が符号“１”から符号“０”に変化したとき、この符号“０”である計測日（ｉ）が種別期間境界日である。図４に示す例では、計測日（１），（６），（８）が、原則として、種別期間境界日となる。
【００７３】
ここで、種別期間の境界日（種別期間境界日）は、通常、前後する種別期間の境界をなすものであって、その先行する種別期間の終了日である種別期間境界日は、また、これに続く種別期間の開始日でもある。このような種別期間境界日から始まる種別期間には、その順に番号ＣＤ（ｊ）が割り当てられる。かかる期間番号ＣＤ（ｊ）は、期間番号ＤSE（ｊ）で表わされ、「期間番号」欄３５の該当する種別期間境界日としての計測日（ｉ）の箇所に登録される。この期間番号ＤSE（ｊ）は、この種別期間境界日が開始日とする種別期間の順番を表わす符号（数値「ｊ」）と、前後する種別期間の終了日と開始日（換言すると、先行する種別期間に作成される期間体重グラフの始端とこれに続く種別期間に作成される期間体重グラフの終端）とであることを表わす符号とからなり、「Ｓ」は期間体重グラフの始端であること、「Ｅ」は期間体重グラフの終端であることを表わしており、従って、「ＳＥ」は後続する種別期間の始端でもあり、先行する種別期間の終端でもあることを表わしている。なお、計測体重Ｗ（ｉ）が参加者端末１ａから最初に送られてくる計測日（ｉ）が最初の種別期間（平日期間または休日期間）の最初（開始）の日であり、この計測日（ｉ）が最初の種別期間境界日（ｊ＝１）であって、その期間番号ＣＤ（ｊ）はＤS（１）となる。
【００７４】
また、後述するように、期間体重グラフを作成することができない種別期間もあり、かかる種別期間をグラフ形成不能種別期間と呼ぶことにするが、このグラフ形成不能種別期間とこれに先行する種別期間との種別期間境界日にも、期間番号ＣＤ（ｊ）が設定されるが、特に、この場合には、この種別期間境界日は、グラフ形成不能種別期間の開始日であるものの、グラフ形成不能種別期間で期間体重グラフが作成されないものであり、これに先行した期間体重グラフが作成される種別期間の終了日であって、この期間体重グラフはこの種別期間境界日で中断することになるから、このような種別期間境界日に設定される期間番号ＣＤ（ｊ）としては、この種別期間境界日が期間体重グラフの終端となることだけを表わすようにするために、期間番号ＣＤ（ｊ）＝ＤE（ｊ）とする。同様にして、グラフ形成不能種別期間とこれに続く種別期間との種別期間境界日での期間番号ＣＤ（ｊ）としては、この種別期間境界日が次の期間体重グラフの始端となることを表わすようにするために、期間番号ＣＤ（ｊ）＝ＤS（ｊ）とする。
【００７５】
「期間番号」欄３５にかかる期間番号ＣＤ（ｊ）が設定登録されて計測日（ｉ）の計測体重Ｗ（ｉ）が、「境界日体重」欄３６の該当する計測日（ｉ）の箇所に、境界日体重ＣＷ＝ＷSE（ｊ）として、登録される。この境界日体重ＣＷ（ｊ）の表示も、「期間番号」欄３５での期間番号ＣＤ（ｊ）の表示と同様であり、期間番号ＣＤ（ｊ）＝ＤSE（ｊ）で表示される計測日（ｉ）での境界日体重ＣＷ（ｊ）はＷSE（ｊ）で表わされ、期間番号ＣＤ（ｊ）＝ＤS（ｊ），ＤE（ｊ）で表示される種別期間境界日での境界日体重ＣＷ（ｊ）は夫々、ＷS（ｊ），ＷE（ｊ）で表わされる。
【００７６】
なお、期間番号ＣＤ（ｊ）が付された種別期間境界日では、「境界日体重」欄３６にその日の計測体重Ｗ（ｉ）が境界日体重ＣＷ（ｊ）として、登録されるが、この計測体重Ｗ（ｉ）が参加者端末１ａから送られて来ない種別期間境界日もあり、このような種別期間境界日では、「計測体重」欄３４に計測体重Ｗ（ｉ）が登録されておらず、従って、「境界日体重」欄３６にも境界日体重ＣＷ（ｊ）が登録されておらず、期間番号ＣＤ（ｊ）のみが設定されることになる。
【００７７】
また、参加者端末１ａからの指定された健康管理支援期間の開始日（６月１日）の計測体重Ｗ（１）と健康管理支援期間の最終日（例えば、９０日目）に達成すべき最終目標体重とから、初日から１０日毎の目標体重Ｗ０（ｋ）（但し、ｋ＝０，２，……，９）が求められ、「目標体重」欄３７で１０日毎の該当する計測日（ｉ）の箇所に登録される。ここで、Ｗ０（０）＝開始日（＝計測日（１））の計測体重、Ｗ０（９）＝最終目標体重とすると、ｋ番目（１０×ｋ日目）の目標体重Ｗ０（ｋ）は、
Ｗ０（ｋ）＝Ｗ０（９）
＋（Ｗ０（０）−Ｗ０（９））・（９−ｋ）／９
＝｛（９−ｋ）・Ｗ０（０）＋ｋ・Ｗ０（９）｝／９
である。ここで、図３に示す初期設定画面２０でのカレンダ部２１から、図４に示すデータ登録テーブル３０では、計測日（１０）（６月１０日）に最初の目標体重Ｗ０（１）が登録される。
【００７８】
図５（図５（ａ）〜（ｄ）の総称）において、体重グラフ図４０（体重グラフ図４０ａ〜４０ｄの総称）は横軸に健康管理支援期間の開始日（６月１日）から順に計測日４８をとり、縦軸に体重をとっている。ここでは、計測日（８）〜（１３），計測日（１５）の月曜日から次の土曜日までを夫々平日期間４１ａ，４１ｂ，４１ｃとし、計測日（６）〜（８），計測日（１３）〜（１５）の土曜日から次の月曜日までを夫々休日期間４２ａ，４２ｂとしている。毎週月曜日と土曜日とが平日期間と休日期間との種別期間境界日となる。
【００７９】
折線状の破線で示すグラフ４４は、図４での「計測体重」欄３４に登録された計測体重Ｗ（ｉ）としての毎日の計測体重４３を順に結んだ計測体重のグラフである。また、平日期間４１ａ，４１ｂ，４１ｃでの直線状の実線で示すグラフが夫々の平日期間４１ａ，４１ｂ，４１ｃでの平日期間体重グラフ４５ａ，４５ｂ，４５ｃであり、休日期間４２ａ，４２ｂでの直線状の実線で示すグラフが夫々の休日期間４２ａ，４２ｂでの休日期間体重グラフ４６ａ，４６ｂである。
【００８０】
ここで、平日期間体重グラフ４５ａは、図４において、平日期間４１ａの開始日である計測日（１）の計測体重４３（＝ＷSE（１）＝Ｗ（１））と、これに続く休日期間４６ａの開始日である計測日（５）の土曜日を終了日として、この終了日の計測体重４３（＝ＷSE（２）＝Ｗ（５））とを結んだ直線で表わされ、次の休日期間体重グラフ４６ａは、休日期間４２ａの開始日である計測日（５）の計測体重４３（＝ＷSE（２）＝Ｗ（５））と、これに続く平日期間４１ｂの開始日である計測日（８）の月曜日を終了日として、この終了日の計測体重４３（＝ＷSE（３）＝Ｗ（８））とを結んだ直線で表わされる。以下同様にして、図４での「期間番号」欄３５の期間番号ＣＤ（ｊ）での「境界日体重」欄３６の境界日体重ＣＷ（ｊ）を順次結んでいくことにより、平日期間４１ｂの平日期間体重グラフ４５ｂ，休日期間４２ｂの休日期間体重グラフ４６ｂ，平日期間４１ｃの平日期間体重グラフ４５ｃ，……が得られる。但し、期間番号ＣＤ（ｊ）の正規の種別期間境界日となるべき日に境界日体重ＣＷ（ｊ）が登録されていないときには、後述するように、期間体重グラフの始端，終端がづれることになり、これら始端，終端の計測日（ｉ）が仮の種別期間境界日（擬似種別期間境界日）となる。
【００８１】
なお、体重グラフ図４０では、図４における「目標体重」欄３７でのデータを基に、健康管理支援期間内でのその開始日から１０日毎の目標体重表示日（ここでは、健康管理支援期間内の計測日（１０））に、目標体重Ｗ０（２），……を表わす目標体重マーク４７が表示される。
【００８２】
図４（ａ）は、図示する計測日（１）〜（６）の期間の計測日（ｉ）の全てで体重の計測が行なわれて、この期間の各計測日（ｉ）毎に計測体重Ｗ（ｉ）が参加者端末１ａが送られて来る場合のデータ登録テーブル３０ａを示すものであって、夫々の計測体重Ｗ（ｉ）が「計測体重」欄３４の該当する計測日の箇所に登録される。ここでは、「計測体重」欄３４の計測日（１），（２），（３），……，（９），（１０）に夫々計測体重Ｗ（１），Ｗ（２），Ｗ（３），……，Ｗ（９），Ｗ（１０）の各データが登録されていることを示している。
【００８３】
そして、以上の登録データを基に、データ管理サーバ８の演算装置１１は、「期間種別フラグ」欄３３から健康管理支援期間内の計測日（ｉ）のうちの平日期間の最初の日（開始日）と休日の最初の日（開始日）とを求め、これらの計測日（ｉ）を種別種別期間境界日として、その種別期間境界日が健康管理支援期間の開始日（図３での６月１日）から何番目の計測日（ｉ）であるかを表わす期間番号ＣＤ（ｊ）を「期間番号」欄３５の該当する計測日の箇所に登録するとともに、その計測日（ｉ）の計測体重Ｗ（ｉ）を、境界日体重ＣＷ（ｊ）として、「境界日体重」欄３６の該当する計測日の箇所に登録する。そして、これら「期間番号」欄３５に登録された期間番号ＣＤ（ｊ）と「境界日体重」欄３６に登録されたその境界日体重ＣＷ（ｊ）とから平日期間の体重グラフ（即ち、平日期間体重グラフ）や休日期間の体重グラフ（即ち、休日期間体重グラフ）の各種別期間での期間体重グラフが作成される。
【００８４】
なお、この図４（ａ）の場合、図示する全ての計測日（ｉ）で参加者端末１ａから計測体重Ｗ（ｉ）が送られて来ているので、種別期間境界日の期間番号ＣＤ（ｊ）は、上記のように、前後する種別期間（平日期間や休日期間）の終了日と開始日とを表わすとともに、種別期間の順番も表わしている。ここでは、例えば、計測日（６）は、１番目（ｊ＝１）の種別期間（平日期間）の終了日であるとともに、２番目（ｊ＝２）の種別期間（休日期間）の開始日でもある種別期間境界日であるから、この種別期間境界日での期間番号ＣＤ（ｊ）はＤSE（２）であって、境界日体重ＣＷ（ｊ）はＷSE（２）である。同様にして、次の種別期間境界日は計測日（８）であり、その期間番号ＣＤ（ｊ）はＤSE（３）であって、境界日体重ＣＷ（ｊ）はＷSE（３）である。以下同様にして、先行する種別期間の終了日であるとともに、後続する種別期間の開始日でもある種別期間境界日として、順次の種別期間毎に期間番号ＣＤ（ｊ）と境界日体重ＣＷ（ｊ）とが設定される。
【００８５】
このようにして得られた「期間番号」欄３５と「境界日体重」欄３６とでのデータを基に、各種別期間（この場合、６〜８番目の種別期間）での期間体重グラフが作成されるが、その期間体重グラフを図５（ａ）に示す。
【００８６】
図５（ａ）において、平日期間４１ａは図４（ａ）での１番目の種別期間に相当するものであって、この平日期間４１ａでの平日期間体重グラフ４５ａは、図４（ａ）の「境界日体重」欄３６での境界日体重ＣＷ（ｊ）＝ＷSE（１）と境界日体重ＣＷ（ｊ）＝ＷSE（２）とを直線で結ぶことによって得られる。同様に、次の２番目の種別期間としての休日期間での休日期間体重グラフ４６ａは、同じく境界日体重ＣＷ（ｊ）＝ＷSE（２）と境界日体重ＣＷ（ｊ）＝ＷSE（３）とを直線で結ぶことによって得られ、以下同様にして、順次の種別期間での期間体重グラフが得られる。
【００８７】
図４（ｂ）は、例えば、平日期間４１ａと休日期間４２ａ（図５（ｂ））との種別期間境界日となる計測日（６）に計測体重Ｗ（６）が参加者端末１ａから送られて来なかった場合のデータ登録テーブル３０ａを示すものであって、この計測日（６）では、「計測体重」欄３４での登録計測体重は初期値「０」のままとなっている。
【００８８】
このような場合には、この種別期間境界日の１つ前の計測日（ｉ）（ここでは、計測日（５））に計測体重Ｗ（ｉ）が登録されている場合、この種別期間境界日の１つ前の計測日（ｉ）が種別期間境界日となり（これを、以下では、正規の種別期間境界日と区別する場合には、上記の擬似種別期間境界日という）、「期間番号」欄３５のこの擬似種別期間境界日の箇所に、種別期間境界日を表わす期間番号ＣＤ（ｊ）が登録され、「境界日体重」欄３６のこの擬似種別期間境界日の箇所に「計測体重」欄３４での計測体重Ｗ（ｉ）が、境界日体重ＣＷ（ｊ）として、登録される。
【００８９】
従って、この場合には、最初の計測日（１）から始まる平日期間では、その終了日が擬似種別期間境界日としての計測日（５）となって「期間番号」欄３５に期間番号ＣＤ（ｊ）＝ＤSE（２）が、「境界日体重」欄３６に境界日体重ＣＷ（ｊ）＝ＷSE（２）が夫々登録される。そして、初日での最初の境界日体重ＣＷ（ｊ）＝ＷS（１）とこの計測日（５）の次の擬似種別期間境界日での境界日体重ＣＷ（ｊ）＝ＷSE（２）とを結ぶ直線が平日期間（計測日（１）〜（６））の体重期間グラフとなり、次の休日期間では、この擬似種別期間境界日である計測日（５）がその開始日となり、その日の境界日体重ＣＷ（ｊ）＝ＷSE（２）＝Ｗ（５）とその終了日となる次の種別期間境界日としての計測日（８）の境界日体重ＣＷ（ｊ）＝ＷSE（３）＝Ｗ（８）とを結ぶ直線がこの休日期間の体重グラフとなる。
【００９０】
図５（ｂ）はこのようにして作成された体重グラフ図４０ｂを示すものであって、図示するように、平日期間４１ａでは、図４（ｂ）での健康管理支援期間の開始日である計測日（１）の期間番号ＣＤ（ｊ）＝ＤS（１）の境界日体重ＣＷ（ｊ）＝ＷS（１）＝Ｗ（１）と計測日（５）である擬似種別期間境界日（期間番号ＣＤ（ｊ）＝ＤSE（２））の境界日体重ＣＤ（ｊ）＝ＷSE（２）とを結ぶ平日期間体重グラフ４５ａが形成され、次の休日期間４２ａでは、この計測日（５）である擬似種別期間境界日の境界日体重ＣＷ（ｊ）＝ＷSE（２）と計測日（８）の次の種別期間境界日（期間番号ＣＤ（ｊ）＝ＤSE（３））の境界日体重ＣＷ（ｊ）＝ＷSE（３）とを結ぶ体重グラフ４６ａが形成され、以下同様にして、各平日期間と休日期間の期間体重グラフが形成されることになる。
【００９１】
図４（ｃ）は、例えば、最初の平日期間４１ａと次の休日期間４２ａ（図５（ｃ））との正規の種別期間境界日である計測日（５）の計測体重Ｗ（５）と、この休日期間４２ａと次の平日期間４１ｂとの正規の種別期間境界日としての計測日（８）の計測体重Ｗ（８）とが参加者端末１ａから送られて来ないが、これら種別期間境界日のいずれの１日前では、計測体重Ｗ（ｉ）が参加者端末１ａから送られて来ている場合のデータ登録テーブル３０ｂを示すものである。この場合には、これら種別期間境界日である計測日（６），（８）では、「計測体重」欄３４での計測体重Ｗ（ｉ）が初期値「０」のままとなっている。
【００９２】
このように、種別期間境界日の１つ前の計測日（ｉ）に計測体重Ｗ（ｉ）が登録されている場合には、図４（ｂ）で説明したように、夫々の正規の種別期間境界日の１つ前の計測日（ｉ）が擬似種別期間境界日となり、「期間番号」欄３５の夫々の擬似種別期間境界日の箇所に、種別期間境界日を表わす期間番号ＣＤ（ｊ）＝ＤSE（ｊ）が登録され、「境界日体重」欄３６のこれら擬似種別期間境界日の箇所に「計測体重」欄３４での計測体重Ｗ（ｉ）が、境界日体重ＣＷ（ｊ）＝ＷSE（ｊ）として、登録される。
【００９３】
従って、この場合には、図４（ｂ）の場合と同様、計測日（１）から始まる平日期間では、その終了日が擬似種別期間境界日としての計測日（５）となって、境界日体重ＣＷ（ｊ）＝ＷS（１），ＷSE（２）を結ぶ直線がこの最初の平日期間の体重グラフとなり、次の休日期間では、この擬似種別期間境界日としての計測日（５）がその開始日となり、次の擬似種別期間境界日としての計測日（７）がその終了日となって、これらの計測日（ｉ）での境界日体重ＣＷ（ｊ）＝ＷSE（２），ＷSE（３）を結ぶ直線がこの休日期間の体重グラフとなり、さらに、次の平日期間では、この擬似種別期間境界日としての計測日（７）が、その体重グラフの始端となる日となる。
【００９４】
図５（ｃ）はこのようにして作成された体重グラフ図４０ｃを示すものであって、図示するように、平日期間４１ａでは、図５（ｂ）の場合と同様、計測日（１）の期間番号ＣＤ（ｊ）＝ＤS（１）が割り当てられた種別期間境界日の境界日体重ＣＷ（ｊ）＝ＷS（１）（＝Ｗ（１））とその終了日となる正規の種別期間境界日よりも１日前の計測日（５）の期間番号ＣＤ（ｊ）＝ＤSE（２）が割り当てられた擬似種別期間境界日の境界日体重ＣＷ（ｊ）＝ＷSE（２）（＝Ｗ（５））とを結ぶ体重グラフ４５ａが形成される。次の休日期間４２ａでは、この期間番号ＣＤ（ｊ）＝ＤSE（２）が割り当てられた擬似種別期間境界日の境界日体重ＷSE（２）と次の期間番号ＤSE（３）が割り当てられた計測日（７）である擬似種別期間境界日の境界日体重ＣＷ（ｊ）＝ＷSE（３）（＝Ｗ（７））とを直線で結ぶ体重グラフ４６ａが形成され、さらに、次の平日期間４１ｂでは、この期間番号ＣＤ（ｊ）＝ＤSE（３）が割り当てられた擬似種別期間境界日の境界日体重ＷSE（３）を始端とする体重グラフ４５ｂが形成される。以下同様にして、各平日期間と休日期間の体重グラフとが形成されることになる。
【００９５】
図４（ｄ）は、前後する２つの種別期間境界日及びこれらのうちの後ろ側の種別期間境界日の１つ前の計測日（ｉ）に、参加者端末１ａから計測体重Ｗ（ｉ）が送られて来なかった場合（即ち、図４（ｂ），（ｃ）に示す場合での、さらに、後ろ側の種別期間境界日やその一日前に計測体重が送られて来なかった場合）のデータ登録テーブル３０ｂを示すものである。ここで、図４（ｃ）に示すデータ登録テーブル３０ｃと同様、計測日（１）から計測日（５）までは計測体重Ｗ（ｉ）が送られて来たが、正規の種別期間境界日となる計測日（６）から次の正規の種別期間境界日となる計測日（８）まで計測体重Ｗ（ｉ）が参加者端末１ａから送られて来なかったものとしている。
【００９６】
この場合には、図４（ｂ），（ｃ）に示すデータ登録テーブル３０ｂ，３０ｃの場合と同様、計測日（６）としての正規の種別期間境界日に対し、その１日前の計測日（５）が擬似種別期間境界日となるが、計測日（８）である正規の種別期間境界日の１日前の計測日（７）には、参加者端末１ａから計測体重Ｗ（ｉ）が送られていないので（Ｗ（７）＝０）、この計測日（８）である正規の種別期間境界日に対しては、擬似種別期間境界日を設定することができない。このために、計測日（５）が擬似種別期間境界日を開始日とする種別期間の終了日は確定しないことになり、この擬似種別期間境界日はその直前の種別期間の終了日だけのものとなる。従って、この計測日（５）が擬似種別期間境界日には、この直前の種別期間（ここでは、平日期間）の終端だけのものであることを示す期間番号ＣＤ（ｊ）＝ＤE（２）が「期間番号」欄３５に登録され、境界日体重ＣＷ（ｊ）も、ＷE（２）として、「境界日体重」欄３６に登録される。
【００９７】
また、この計測日（５）が擬似種別期間境界日の次の正規の種別期間境界日（計測日（８））に対しては、擬似種別期間境界日も設定することができないので、計測日（６）〜（８）の種別期間（休日期間）に対しては、期間設定をすることができず、この計測日（８）の正規の種別期間境界日以降の最初に計測体重Ｗ（ｉ）が登録された計測日（ｉ）（ここでは、計測日（９））が次の種別期間（平日期間）の開始日となり、開始の擬似種別期間境界日となる。従って、図示する例では、「期間番号」欄３６の計測日（９）の箇所に、この種別期間の開始のみを表わす期間番号ＣＤ（ｊ）＝ＤS（３）が、「境界日体重」欄３７の計測日（９）の箇所に、境界日体重ＣＷ（ｊ）＝ＷS（３）が夫々登録されることになる。
【００９８】
図５（ｄ）はこのようにして作成された体重グラフ図４０ｄを示すものであって、図示するように、平日期間４１ａでは、図５（ｂ），（ｃ）の場合と同様、計測日（１）での期間番号ＣＤ（ｊ）＝ＤS（１）が割り当てられた種別期間境界日の境界日体重ＣＷ（ｊ）＝ＷS（１）とその終了日となる正規の種別期間境界日よりも１日前の計測日（５）（擬似種別期間境界日）の期間番号ＣＤ（ｊ）＝ＤE（２）が割り当てられた境界日体重ＣＷ（ｊ）＝ＷE（２）（＝計測体重Ｗ（５））とを結ぶ体重グラフ４５ａが形成される。次の休日期間４２ａでは、その開始と終了の期間番号ＣＤ（ｊ）が割り当てられていないことになるので、その期間体重グラフ４６ａは作成されない（なお、破線などの他の表示形態で表示するようにしてもよい）。さらに、次の平日期間４１ｂでは、計測日（９）の擬似種別期間境界日の境界日体重ＣＷ（ｊ）＝ＷS（３）（＝Ｗ（９４））を始端とした期間体重グラフ４５ｂが作成されることになる。
【００９９】
なお、図４（ｂ）〜（ｄ）は、休日期間について、その開始、終了に擬似種別期間境界日が設定される場合のものであったが、平日期間についても、同様である。
【０１００】
以上のように表示される期間体重グラフは、参加者ａの減量の期間周期的な変動を表わしているものであり、これにより、減量が進行しているか否かを確実に、かつ一目で容易に確認することができる。
【０１０１】
図６は図１におけるデータ管理サーバ８での演算装置１１による図４におけるデータ登録テーブル４０での期間番号ＣＤ（ｊ）と境界日体重ＣＷ（ｊ）の作成処理手順を示すフローチャートである。
【０１０２】
同図において、まず、ｉ＝１として、健康管理支援期間内の最初の計測日（１）が指定され、また、ｊ＝１として、最初の平日期間または休日期間が最初の種別期間（以下、ｊ番目の平日期間または休日期間を種別期間（ｊ）という）として指定される（ステップＳ２００）。
【０１０３】
次に、計測日（１）での計測体重Ｗ（１）が値「０」であるかどうかを判断し（ステップＳ２０１）、計測体重Ｗ（１）＝０であるときには（ステップＳ２０１の“Ｎ”）、ｉ＝１＋１＝２として（ステップＳ２０２）、次の計測日（２）について、同様に、その計測体重Ｗ（２）が値「０」であるかどうかを判断する（ステップＳ２０１）。このようにして、計測体重Ｗ（ｉ）が値「０」でない最初の計測日（ｉ）が判明すると、その計測日（ｉ）を最初の種別期間（１）の開始日（最初の種別期間境界日）とし、その期間番号ＣＤ（ｊ）をＤS（１）としてデータ登録テーブル３０の「期間番号」欄３５の該当する計測日（ｉ）の箇所に登録する。また、これとともに、この開始日での計測体重Ｗ（ｉ）を「計測体重」欄３４から読み取り、「境界日体重」欄３６の該当する計測日（ｉ）の箇所に、境界日体重ＣＷ（１）をＷS（１）として、登録する（ステップＳ２０３）。
【０１０４】
なお、以下の説明では、計測日（１）に計測体重Ｗ（１）が登録されているものとする。
【０１０５】
次いで、この開始日（計測日（１））の期間種別フラグＨ（１）を「期間種別フラグ」欄３３から読み取り、これを設定期間種別ＣＨとして設定し（ステップＳ２０４）、この開始日の次の計測日（ｉ）を指定して（ステップＳ２０５）、その期間種別フラグＨ（２）をこの設定期間種別ＣＨと比較する（ステップＳ２０６）。ここでは、この指定日の期間種別フラグＨ（２）が設定期間種別ＣＨと一致するので（ステップＳ２０６の“Ｎ”）、この指定日（２）は種別期間境界日ではないとして、さらに、次の計測日（ｉ）を指定し（ステップＳ２０５）、これを繰り返して次の種別期間境界日を探索する。
【０１０６】
なお、この場合、例えば、本日のように、この日よりも後の計測日（ｉ）のいずれにも「計測体重」欄３４に計測体重Ｗ（ｉ）が登録されていないときには、（ステップＳ２０７の“Ｎ”）、最後に計測体重Ｗ（ｉ）≠０となるこの日が実際に計測が行なわれた最後の日とし、この最後の日である計測日（ｉ）に期間番号ＣＤ（ｊ）＝ＤE（ｊ）が割り当てられて「期間番号」欄３５にこれが登録され、また、この最後の日である計測日（ｉ）の「計測体重」欄３４の計測体重Ｗ（ｉ）が「境界日体重」欄３６に登録される（ステップＳ２１９）。これにより、図５（ａ）〜（ｄ）に示すように、計測日（１７）が現在の最終の計測日となって、この計測日（１７）で期間体重グラフが終端する。しかる後、処理が終了する。
【０１０７】
なお、ステップＳ２０７において、ステップＳ２０５で設定された計測日以降に計測体重Ｗ（ｉ）が登録された計測日（ｉ）が存在するか否かの判定方法としては、図４に示すデータ登録テーブル３０において、健康管理支援期間の最終日まで順次計測日（ｉ）の「計測体重」欄３４の計測体重が登録されているか否かを判定するようにしてもよいが、例えば、計測体重Ｗ（ｉ）が登録された計測日（ｉ）のテーブルを作成し、このテーブルに登録された計測日（ｉ）の日にちＮｏ．ｉ（データ登録テーブル３０の「日にちＮｏ．」欄３１に設定されているもの）を登録するようにし、このテーブルを用いてステップＳ２０５で設定された計測日以降の日にちＮｏ．が存在するか否かを判定するようにしてもよい。これによると、このテーブルにおいて、ステップＳ２０５で設定された計測日の日にちＮｏ．に続いて登録されている日にちＮｏ．の有無により、ステップＳ２０５で設定された計測日以降に計測体重Ｗ（ｉ）が登録された計測日（ｉ）が存在するか否かの判定を行なうことができる。
【０１０８】
あるいはまた、図４に示すデータ登録テーブル３０において、現時点で最後に計測体重Ｗ（ｉ）が登録されている計測日（ｉ）とそれより前の全ての計測日に、例えば、フラグなどの情報を立てるようにしてもよい。この場合には、ステップＳ２０５で設定された計測日（ｉ）の次の計測日（ｉ＋１）にかかるフラグなどの情報が立っているか否かにより、ステップＳ２０５で設定された計測日以降に計測体重Ｗ（ｉ）が登録された計測日（ｉ）が存在するか否かの判定を行なうことができる。なお、このようなフラグなどの情報を立てる方法としては、データ登録テーブル３０に計測体重Ｗ（ｉ）を登録したとき、その計測日（ｉ）にかかるフラグなどの情報を立てるとともに、この計測日（ｉ）よりも前のかかるフラグなどの情報が立てられていない全ての計測日にかかるフラグなどの情報を立てるようにする。
【０１０９】
以上のことは、現時点で対象となっている計測日（ｉ）以降に計測体重が登録されている計測日があるか否かを判定する、後述するステップＳ２１６やステップＳ２１８、さらには、図１２でのステップＳ４０３，図２９でステップＳ１２０３，図３２でのステップＳ１２０４’についても同様である。
【０１１０】
そして、ｉ＝６の期間種別フラグＨ（６）が設定期間種別ＣＨと一致しない次の種別期間境界日が、図４（ａ）で計測日（６）で得られると（ステップＳ２０６の“Ｙ”）、この新たな種別期間境界日（計測日（６））の計測体重Ｗ（６）を図４のデータ登録テーブル３０での該当する計測日（ｉ）の「計測体重」欄３４から読み取り（ステップＳ２０８）、この計測体重Ｗ（６）が０であるか否か判定する（ステップＳ２０９）。この計測体重Ｗ（６）が０でない場合には（ステップＳ２０９の“Ｎ”）、この種別期間境界日（計測日（６））を上記の開始日（計測日（１））の次の第２の種別期間境界日と確定し、ｊ＝ｊ＋１（＝１＋１＝２）として、これに種別期間のグラフの終端を示し、かつこれに続く他の種別期間のグラフの始端を示す期間番号ＣＤ（ｊ）＝ＤSE（２）を割り当てて、該当する計測日（６）に対する「期間番号」欄３５の箇所にこれを登録し、また、この計測日（６）に対する「計測体重」欄３４の計測体重Ｗ（６）を、境界日体重ＣＷ（ｊ）＝ＷSE（２）として、「境界日体重」欄３６での該当する箇所に登録する（ステップＳ２１０）。
【０１１１】
そして、この種別期間境界日以降に計測体重Ｗ（ｉ）が「計測体重」欄３４に登録されている計測日（ｉ）があるかどうかの判定をし（ステップＳ２１８）、存在しない場合には（ステップＳ２１８の“Ｎ”）、処理を終了するが、存在する場合には、ステップＳ２０４に戻り、このｉ＝６の種別期間境界日での期間種別フラグＨ（６）を「期間種別フラグ」欄３３から読み取り、これを設定期間種別ＣＨとして（ステップＳ２０４）、上記の動作を繰り返す。
【０１１２】
図４（ａ）に示すデータ登録テーブル３０ａに示すように、全ての計測日（ｉ）で計測体重Ｗ（ｉ）が「計測体重」欄３４で登録される場合には、ステップＳ２０４→Ｓ２０５→Ｓ２０６（→Ｓ２０７）→Ｓ２０８→Ｓ２０９→Ｓ２１０→Ｓ２０４→Ｓ２１８→……の一連の処理手順が繰り返され、計測日（８）を休日期間から次の平日期間への３番目の種別期間境界日として期間番号ＣＤ（ｊ）＝ＤSE（３）と境界日体重ＣＷ（ｊ）＝ＷSE（３）とが、夫々「期間番号」欄３５と「境界日体重」欄３６とに登録され、以下同様にして、種別期間境界日が順次検出されて（ステップＳ２０６）、その期間番号ＣＤ（ｊ）＝ＤSE（ｊ）と境界日体重ＣＷ（ｊ）＝ＷSE（ｊ）とが夫々「期間番号」欄３５と「境界日体重」欄３６とに登録される（ステップＳ２１０）。
【０１１３】
図６において、また、新たな正規の種別期間境界日が検索されたが（ステップＳ２０５，Ｓ２０６，Ｓ２０７）、その計測体重Ｗ（ｉ）＝０である（ステップＳ２０９の“Ｙ”）場合には、この検索された種別期間境界日を正規の種別期間境界日として、この正規の種別期間境界日の１日前の計測日（ｉ−１）での計測体重Ｗ（ｉ−１）を「計測体重」欄３４から読み出して（ステップＳ２１１）、Ｗ（ｉ−１）＝０か否かを判定し（ステップＳ２１２）、Ｗ（ｉ−１）≠０であれば（ステップＳ２１２の“Ｎ”）、このとき設定されている設定期間種別ＣＨ（平日期間では、ＣＨ＝“０”、休日期間では、ＣＨ＝“１”）に等しい期間種別フラグＨ（ｉ）が続く日にちの１つでも、Ｗ（ｉ）≠０である日にちがあるか否かを判定し（ステップＳ２１３）、かかる日にちがある場合には（ステップＳ２１３の“Ｙ”）、この計測日(ｉ−１）を擬似種別期間境界日とし、種別期間境界日に対するステップＳ２１０と同様に、この擬似種別期間境界日を次の種別期間境界日と確定し、ｊ＝ｊ＋１として、これに期間番号ＣＤ（ｊ）＝ＤSE（ｊ＋１）を割り当てて、該当する計測日(ｉ−１）に対する「期間番号」欄３５の箇所にこれを登録し、また、この計測日(ｉ−１）に対する「計測体重」欄３４の計測体重Ｗ（ｉ−１）を、境界日体重ＣＷ（ｊ）＝ＷSE（ｊ＋１）として、「境界日体重」欄３６での該当する箇所に登録する（ステップＳ２１４）。
【０１１４】
そして、この種別期間境界日以降に計測体重Ｗ（ｉ）が「計測体重」欄３４に登録されている計測日（ｉ）があるかどうかの判定をし（ステップＳ２１８）、存在しない場合には（ステップＳ２１８の“Ｎ”）、処理を終了するが、存在する場合には、ステップＳ２０４に戻り、この種別期間境界日での期間種別フラグＨ（ｉ）を「期間種別フラグ」欄３３から読み取り、これを設定期間種別ＣＨとして（ステップＳ２０４）、上記の動作を繰り返す。
【０１１５】
そこで、図４（ｂ）及び図５（ｂ）に示すように、正規の種別期間境界日として、例えば、休日期間４２ａにおいて、その開始日の計測日（６）が検出されたが（ステップＳ２０６の“Ｙ”）、この計測日（６）には、計測体重Ｗ（６）＝０である場合（ステップＳ２０９の“Ｙ”）、その１日前の計測日（５）の計測体重Ｗ（５）が０であるか否かが判定され（ステップＳ２１２）、この場合、この計測体重Ｗ（５）は０ではなく（ステップＳ２１２の“Ｎ”）、かつこの休日期間４２ａ内にＷ（ｉ）≠０の計測日（６月７日）があるから（ステップＳ２１３の“Ｙ”）、この計測日（５）が擬似種別期間境界日であって、次の種別期間境界日と確定し、次の種別期間番号を指定する（ｊ＝ｊ＋１）とともに、この計測日（５）の「期間番号」欄３５に期間番号ＣＤ（ｊ）＝ＤSE（２）が、「境界日体重」欄３６に計測体重ＣＷ（ｊ）＝ＷSE（２）（＝Ｗ（５））が夫々登録される（ステップＳ２１４）。
【０１１６】
同様にして、図４（ｃ），図５（ｃ）の場合には、図４（ｂ），図５（ｂ）の場合に加え、さらに、正規の種別期間境界日として、平日期間４１ｂの開始の計測日（８）が検出されるが（ステップＳ２０６の“Ｙ”）、この計測日（８）には、計測体重Ｗ（８）＝０であるので（ステップＳ２０９の“Ｙ”）、その１日前の計測日（７）の計測体重Ｗ（７）が０であるか否かが判定される。ここでは、この計測体重Ｗ（７）は０ではないので（ステップＳ２１２の“Ｎ”）、この計測日（７）が擬似種別期間境界日であって、次の種別期間境界日と確定し、かつこの平日期間４１ｂ内にＷ（ｉ）≠０の計測日（６月９日）があるから（ステップＳ２１３の“Ｙ”）、次の種別期間番号を指定する（ｊ＝ｊ＋１）とともに、この計測日（７）の「期間番号」欄３５に期間番号ＣＤ（ｊ）＝ＤSE（３）が、「境界日体重」欄３６に計測体重ＣＷ（ｊ）＝ＷSE（３）（＝Ｗ（７））が夫々登録される（ステップＳ２１４）。
【０１１７】
図４（ｄ），図５（ｄ）では、種別期間（ここでは、休日期間４２ａ）の正規の開始の種別期間境界日となる計測日（ｉ）の計測体重Ｗ（ｉ）＝０であり（ステップＳ２０９の“Ｙ”）、かつその１日前の計測日(ｉ−１）の計測体重Ｗ（ｉ−１）≠０であるが（ステップＳ２１２の“Ｎ”）、この種別期間内に計測体重Ｗ（ｉ）≠０となる計測日（ｉ）がない場合には（ステップＳ２１３の“Ｎ”）、この１日前の計測日（ｉ−１）が擬似種別期間境界日であって、次の種別期間境界日と確定し、次の種別期間番号を指定する（ｊ＝ｊ＋１）とともに、この計測日（ｉ−１）の「期間番号」欄３５に期間体重グラフの終端を示す期間番号ＣＤ（ｊ）＝ＤE（ｊ）が、「境界日体重」欄３６に境界日体重ＣＷ（ｊ）＝ＷE（ｊ）が夫々登録される（ステップＳ２１５）。これにより、図４（ｄ），図５（ｄ）においては、休日期間４２ａの正規の開始日（計測日（６））の１日前の計測日（５）がこの休日期間４２ａの開始の種別期間境界日となって、期間番号ＣＤ（ｊ）＝ＤE（２）が、境界日体重ＣＷ（ｊ）＝ＷE（２）が夫々設定されることになる。
【０１１８】
なお、ステップＳ２１３での計測体重Ｗ（ｉ）≠０の存在するか否かを判定する期間（即ち、かかる判定がなされる種別期間）とは、かかる種別期間（図５（ｄ）では、休日期間４２ａ）の正規の開始の種別期間境界日（図５（ｄ）では、計測日（６））からこの種別期間の正規の終了種別期間境界日（図５（ｄ）では、計測日（８））までの期間である。
【０１１９】
そして、設定された上記の種別期間境界日（計測日（５））以降に０でない計測体重Ｗ（ｉ）が「計測体重」欄３４に登録されている計測日（ｉ）があるかどうかの判定をして（ステップＳ２１６）、存在しない場合には（ステップＳ２１６の“Ｎ”）、処理を終了するが、存在する場合には（ステップＳ２１６の“Ｙ”）、ｊ＝ｊ＋１として次の種別期間番号を指定し（ステップＳ２１７）、ステップＳ２０１に戻る。そして、次の計測体重Ｗ（ｉ）＝０でない計測日（ｉ）が検索されると（ステップＳ２０１，Ｓ２０２）、この計測日（ｉ）を種別期間番号（ｊ＋１）の新たな種別期間の開始日となる種別期間境界日（この場合、計測日（９））とし、これに該当する「期間番号」欄３５に新たに始まるグラフの始端を示す期間番号ＣＤ（ｊ）＝ＤS（ｊ）を登録し、「境界日体重」欄３６に境界日体重ＣＷ（ｊ）＝ＷS（ｊ）を登録する（ステップＳ２０３）。これ以降は上記の一連の動作を繰り返す。
【０１２０】
そこで、図４（ｄ）に示すデータ登録テーブル３０ｄのように、図４（ｃ）に示す休日期間４２ａの終端日である正規の種別期間境界日としての計測日（８）で計測体重Ｗ（８）＝０であるデータ登録テーブル３０ｃに対し、さらに、その１日前の計測日（７）でも計測体重Ｗ（７）＝０であって、この休日期間４２ａに計測体重Ｗ（ｉ）≠０である計測日（ｉ）が１つもない場合には（ステップＳ２１３の“Ｎ”）、上記のように、正規の種別期間境界日の計測日（６）の代わりにその１日前の計測日（５）が種別期間境界日となり、この計測日（５）の「期間番号」欄３５に期間体重グラフの終端を示す期間番号ＣＤ（ｊ）＝ＤE（２）が、「境界日体重」欄３６に計測体重ＣＷ（ｊ）＝ＷE（２）（＝Ｗ（５））が夫々登録される（ステップＳ２１５）。そして、ステップ２１６を経た後、ｊ＝ｊ＋１（＝３）として次の種別期間番号（この場合、平日期間４１ｂの種別期間番号）と次の計測日（７）とが指定され（ステップＳ２１７）、ステップＳ２０１から次の種別期間境界日のための処理がなされる。そして、平日期間４１ｂの計測日（９）が新たな期間体重グラフが開始かる種別期間境界日となり、ステップＳ２０３で、「期間番号」欄３５に期間番号ＣＤ（ｊ）＝ＤS（３）が、「境界日体重」欄３６に計測体重ＣＷ（ｊ）＝ＷS（３）が夫々登録されることになる。
【０１２１】
なお、種別期間の正規の開始の種別期間境界日となる計測日（ｉ）の計測体重Ｗ（ｉ）＝０であり（ステップＳ２０９の“Ｙ”）、かつその１日前の計測日(ｉ−１）も計測体重Ｗ（ｉ−１）＝０である（ステップＳ２１２の“Ｙ”）場合には、上記の種別期間の正規の開始の種別期間境界日となる計測日（ｉ）以降に計測体重Ｗ（ｉ）が０でない「計測体重」欄３４に登録されている計測日（ｉ）があるかどうかの判定をして（ステップＳ２１６）、存在しない場合には（ステップＳ２１６の“Ｎ”）、処理を終了するが、存在する場合には（ステップＳ２１６の“Ｙ”）、ｊ＝ｊ＋１として次の種別期間番号を指定し（ステップＳ２１７）、ステップＳ２０１に戻って上記の一連の動作を繰り返す。
【０１２２】
また、図４（ｄ）では、休日期間と次の平日期間との間の正規の種別期間境界日とその１日前の計測日（ｉ−１）とに計測体重Ｗ（ｉ），（ｉ−１）が登録されていなった場合のものであるが、平日期間と次の休日期間との間の正規の種別期間境界日とその一日前の計測日（ｉ−１）とに計測体重Ｗ（ｉ）が登録されていない場合についても同様である。
【０１２３】
さらに、ステップＳ２１３では、ステップＳ２０６で検出された正規の種別期間境界日の期間種別フラグＨ（ｉ）と同じ期間種別フラグＨ（ｉ）の計測日（ｉ）で計測体重Ｗ（ｉ）≠０の計測日（ｉ）があるか否かの判定をした。これによると、図４（ｄ）において、正規の種別期間境界日が休日期間４２ａの開始日である計測日（６）とすると、ステップＳ２１３によると、計測日（７）で計測体重Ｗ（ｉ）≠０であるかどうかを判定していることになる。これに対し、この正規の種別期間境界日（上記の例では、計測日（６））の次の正規の種別期間境界日（同じく計測日（８））までに計測体重Ｗ（ｉ）≠０の計測日（ｉ）があるか否かの判定をするようにしてもよい。これによると、図５（ｄ）はステップＳ２１３で“Ｎｏ”と判定されてステップＳ２１５に進むが、計測日（８）で計測体重Ｗ（ｉ）≠０であるときには、ステップＳ２１４に進み、図４（ｄ）においては、この計測日（８）が種別期間境界日となって、期間番号ＣＤ（ｊ）＝ＤSE（３）、境界日体重ＣＷ（ｊ）＝ＷSE（３）＝Ｗ（８）が夫々設定されることになる。従って、計測日（９）は種別期間境界日とはならず、期間番号ＣＤ（ｊ）や境界日体重ＣＷ（ｊ）は設定されない。
【０１２４】
ところで、以上は、健康管理支援期間の開始日（１）から現在の計測日（ｉ）までのデータ登録テーブル３０での登録データをまとめて用いて種別期間境界日（あるいは、擬似種別期間境界日）の期間番号ＣＤ（ｊ）や境界日体重ＣＷ（ｊ）を求めるものであったが、これまで得られた種別期間境界日や擬似種別期間境界日の期間番号ＣＤ（ｊ）や境界日体重ＣＷ（ｊ）をそのままデータ登録テーブル３０の「期間番号」欄３５，「境界日体重」欄３６に保存しておき、その後、「計測体重」欄３４で計測体重Ｗ（ｉ）が登録されていって、例えば、参加者端末１ａからの健康管理支援期間での期間体重グラフの画像データの要求があると、その後の種別期間境界日や擬似種別期間境界日の期間番号ＣＤ（ｊ）や境界日体重ＣＷ（ｊ）を求め、既に登録されている期間番号ＣＤ（ｊ）や境界日体重ＣＷ（ｊ）と新らたに求めた期間番号ＣＤ（ｊ）や境界日体重ＣＷ（ｊ）と用いて現在までの期間体重グラフの画像データを作成するようにしてもよい。
【０１２５】
このような場合には、図６において、ステップＳ２００は、現在（参加者端末１ａから要求があった計測日）でのデータ登録テーブル３０に登録されている種別期間境界日（この場合、擬似種別期間境界日も含む）のうちの最後に登録された種別期間境界日を検索するものであり、検索されると、破線で示すように、ステップＳ２０４に進む。このステップＳ２０４では、この検索された種別期間境界日での期間種別フラグＨ（ｉ）をデータ登録テーブル３０から読み出し、これを設定期間種別ＣＨとして、ステップＳ２０５からの処理を行なうものである。そして、新たに種別期間境界日が得られると、そのときの期間番号ＣＤ（ｊ）を「期間番号」欄３５に、境界日体重ＣＷ（ｊ）を「境界日体重」欄３６に夫々登録する。但し、ステップＳ２０５→Ｓ２０６→Ｓ２０７の繰り返し処理中、ステップＳ２１９で計測体重が設定された最後の計測日はステップ２０６で“Ｎ”として無視されるが、この最後の計測日のステップＳ２１９で「期間番号」欄３５に登録された期間番号ＣＤ（ｊ）は消去され、この最後とした計測日の計測体重Ｗ（ｉ）が期間体重グラフの作成に寄与しないようにする。
【０１２６】
なお、同様にして、計測日（ｉ）が変わる毎に、次の種別期間境界日（あるいは、擬似種別期間境界日）の期間番号ＣＤ（ｊ）や境界日体重ＣＷ（ｊ）を求める処理をするようにしてもよい。この場合には、データ登録テーブル３０を用いて直ちに図５に示すような期間体重グラフの画像データを作成することができ、参加者端末１ａからの要求に対しては、既に体重グラフのデータが作成されているので、迅速に体重グラフ図の画像データをこの参加者端末１ａに提供することができる。
【０１２７】
図７は図４に示すデータ登録テーブル３０から図５に示す体重グラフ図を作成するための図１における制御装置９による演算装置１１での一連の処理動作の一具体例を示すフローチャートである。
【０１２８】
同図において、まず、ｊ＝１として、データ登録テーブル３０の「期間番号」欄３５で最初の期間番号ＣＤ（１）を検索する（ステップＳ３００）。以下では、この期間番号ＣＤ（１）などの期間番号ＣＤ（ｊ）が検索されているものとして説明する。
【０１２９】
この検索された期間番号ＣＤ（ｊ）がＤSE（ｊ），ＤS（ｊ），ＤE（ｊ）のいずれであるかを判定し（ステップＳ３０１）、この期間番号ＣＤ（ｊ）がＤSE（ｊ），ＤS（ｊ）である場合には（ステップＳ３０１の“Ｎ”：但し、ｊ＝１の最初の期間番号ＣＤ（１）の場合には、ＤS（１）である。）、次の期間番号ＣＤ（ｊ＋１）の検索を行なう（ステップＳ３０２）。この期間番号ＣＤ（ｊ＋１）がデータ登録テーブル３０の「期間番号」欄３５にない場合には（ステップＳ３０２の“Ｎ”）、処理を終了するが、有るときには（ステップＳ３０２の“Ｙ”）、データ登録テーブル３０の「境界日体重」欄３６から期間番号ＣＤ（ｊ）での境界日体重ＣＷ（ｊ）と期間番号ＣＤ（ｊ＋１）での境界日体重ＣＷ（ｊ＋１）とを読み取る（ステップＳ３０３）。
【０１３０】
そして、データ登録テーブル３０での「期間種別フラグ」欄３３から、期間番号ＣＤ（ｊ）の種別期間境界日と期間番号ＣＤ（ｊ＋１）の種別期間境界日との間に期間種別フラグＨ（ｉ）＝“１”となる計測日（ｉ）があるか否かを判定する（ステップＳ３０４）。期間種別フラグＨ（ｉ）＝“１”となる計測日（ｉ）が無いときには（ステップＳ３０４の“Ｎ”）、これら種別期間境界日間の期間は平日期間と判定して、平日期間の体重グラフを着色して表示するための色の種類を第１の色と決定し（ステップＳ３０５）、期間種別フラグＨ（ｉ）＝“１”となる計測日が有るときには（ステップＳ３０４の“Ｙ”）、これら種別期間境界日の間の期間は休日期間と判定して、休日期間の体重グラフを着色して表示するための色の種類を第２の色と決定し（ステップＳ３０６）、これら期間番号ＣＤ（ｊ）の種別期間境界日と期間番号ＣＤ（ｊ＋１）の種別期間境界日との境界日体重ＣＷ（ｊ），ＣＷ（ｊ＋１）とをステップＳ３０５で決定した第１の色、または、ステップＳ３０６で決定した第２の色の線分（直線）で結び、この種別期間での期間体重グラフを作成する（ステップＳ３０７）。
【０１３１】
しかる後、ｊ＝ｊ＋１とし（ステップＳ３０８）、上記の期間番号ＣＤ（ｊ＋１）を期間番号ＣＤ（ｊ）として、次の種別期間のためのステップ３０１からの処理を開始する。
【０１３２】
以上の処理により、図４に示すデータ登録テーブル４０ａ，４０ｂ，４０ｃから図５に示す体重グラフ図４０ａ〜４０ｃでの平日期間体重グラフ４５ａ〜４５ｃや休日期間体重グラフ４６ａ，４６ｂが得られる。
【０１３３】
また、期間番号ＣＤ（ｊ）がＤE（ｊ）である場合には（ステップＳ３０１の“Ｙ”）、この期間番号ＣＤ（ｊ）の計測日（例えば、図５（ｄ）での計測日（５））で体重グラフが終端することになるので、次の期間番号ＣＤ（ｊ＋１）がなければ（ステップＳ２０９の“Ｎ”）、処理は終了するが、あれば（ステップＳ２０９の“Ｙ”：この場合、期間番号ＣＤ（ｊ＋１）＝ＤS（ｊ＋１））、これら期間番号ＣＤ（ｊ）の種別期間境界日と期間番号ＣＤ（ｊ＋１）の種別期間境界日との境界日体重ＣＷ（ｊ），ＣＷ（ｊ＋１）とを破線で示す線分（直線）で結ぶ（ステップＳ３１０）。
【０１３４】
しかる後、ｊ＝ｊ＋１とし（ステップＳ３０８）、上記の期間番号ＣＤ（ｊ＋１）を期間番号ＣＤ（ｊ）として、次の種別期間のためのステップ３０１からの処理を開始する。
【０１３５】
以上の処理により、図４に示すデータ登録テーブル４０ｄから、図５での体重グラフ図４０ｄに示すように、休日期間４２ａで体重グラフが破線で示される。
【０１３６】
なお、ステップＳ３０５，Ｓ３０６で指定される色としては、平日期間体重グラフと休日期間体重グラフとを区別するために用いるものであって、その色については適宜決めることができるものである。また、平日期間体重グラフと休日期間体重グラフとのいずれか一方を色付けとし、他方を黒色の線分としてもよいし、あるいはまた、いずれの種別期間でも、黒色の線分で表わすようにしてもよい。これらの場合には、ステップＳ３０５，Ｓ３０６のいずれか一方、または、両方が不要となる。
【０１３７】
また、上記の場合、期間番号ＣＤ（ｊ）＝ＤE（ｊ）の種別日体重ＷE（ｊ）と期間番号ＣＤ（ｊ＋１）＝ＤS（ｊ＋１）の種別日体重ＷS（ｊ）との間を破線で結ぶようにしたが（ステップＳ３１０）、結ばないようにしてもよい、この場合には、ステップＳ２０９から直接ステップＳ３０８に進むことになる。
【０１３８】
このようにして、図５に示すように作成された体重グラフ図４０のデータは、参加者端末１ａからの要求に応じて、作成され、この参加者端末１ａに送信される。参加者端末１ａからの要求の体重グラフ図の要求の一例として、参加者端末１ａが計測体重をデータ管理サーバ８に送信するときの要求がある。この場合、参加者端末１ａの記録装置６ａに計測体重を入力するためのデータ入力画面が記録保存されており、参加者ａが入力装置３ａを操作して計測体重のデータ管理サーバ８への送信を要求すると、制御装置２ａが記録装置６ａから、図示しないが、このデータ入力画面を読み出して表示し、これとともに、センサ情報取込装置４ａで計測装置７ａから計測体重を読み出してこのデータ入力画面の所定のエリアに書き込むが、さらに、この入力装置３ａでのこの要求操作に伴って、制御装置２ａはデータ管理サーバ８に体重グラフ図を要求する。この要求により、データ管理サーバ８は、上記のようにして、体重グラフ図を作成してこの体重グラフ図を、あるいは作成されている体重グラフ図を要求のあった参加者端末１ａに送信する。これにより、この参加者端末１ａでは、制御部２ａがこの体重グラフ図を受信し、記録装置６ａから読み出した上記のデータ入力画面の所定のエリアに付加して表示装置５ａで表示するようにする。
【０１３９】
これにより、参加者ａは、計測体重をデータ管理サーバ８に転送するときに、これまでの計測体重の変化の傾向を知ることができる。
【０１４０】
入力された計測体重やこれまでの体重の変化の傾向を確認した後、入力装置３ａで所定の操作がなされると、入力された計測体重がデータ管理サーバ８に転送され、上記のように、記録装置１０でのデータ登録テーブル３０に登録される。
【０１４１】
このようにして、計測体重の入力時にデータ管理サーバ８から期間周期的に変化する体重グラフ図が提供されてデータ入力画面で表示されるものであり、これにより、参加者ａは必ずその体重の変化の傾向を確認することができるものである。このことは、後述する具体例や実施携帯についても、同様である。
【０１４２】
なお、計測体重の入力時以外でも、入力装置３ａの所定の操作により、体重グラフ図をデータ管理サーバ８に要求することができる。この場合には、データ管理サーバ８から体重グラフ図が提供されると、制御装置２ａか図示しないデータ表示画面を記録装置６ａから読み出し、このデータ表示画面に取得した体重グラフ図を付加して表示装置５ａに表示させる。これにより、参加者ａは、確認したい任意の時刻にグラフ図を取得して確認することができる。このことも、後述する具体例や実施形態についても、同様である。
【０１４３】
しかも、かかる体重グラフ図によると、参加者ａは平日期間，休日期間の各種別期間毎の体重の変化の傾向も一目で簡単かつ確実に認識・確認することができる。
【０１４４】
なお、上記のデータ入力画面やデータ表示画面は、体重グラフ図が付加された状態でデータ管理サーバ８から提供されるようにしてもよい。このことも、後述する具体例や実施形態についても、同様である。
【０１４５】
なお、この場合、健康管理支援期間内の日々の計測体重Ｗ（ｉ）や目標体重Ｗ０（ｋ）が体重グラフ図のデータに組み込まれてデータ管理サーバ８から参加者端末１ａに提供され、これにより、参加者ａはこの日々の計測体重Ｗ（ｉ）や目標体重Ｗ０（ｋ）も同時に知ることができる。
【０１４６】
図８は図１におけるデータ管理サーバ８の記録装置１０でのデータ登録テーブルの他の具体例を示す図であって、５０ａ〜５０ｃはデータ登録テーブルであり、図４に対応する部分には同一符号を付けて重複する説明を省略する。ここでは、図３に示す初期設定画面２０で健康管理支援期間の開始日を６月１日（月）（＝計測日（１））とし、この開始日から１０日目の６月１０日（水）までの期間を示している。
【０１４７】
図９は図８に示すデータ登録テーブル５０（データ登録テーブル５０ａ〜５０ｂ）を基に作成された体重グラフを示す図であって、６０ａ〜６０ｃは体重グラフ図であり、図５に対応する部分には同一符号をつけて重複する説明を省略する。
【０１４８】
図８において、この第２の具体例では、各種別期間（平日期間と休日期間）毎に、その種別期間内に計測体重が送られて来ない日が有っても、その種別期間内計測日での「計測体重」欄３４に登録された計測体重Ｗ（ｉ）を用いてこの種別期間の最終日（土曜日）での体重（境界日体重ＣＷ（ｊ））を求め、この種別期間の開始日（月曜日）の境界日体重ＣＷ（ｊ−１）とこの最終日の境界日体重ＣＷ（ｊ）とから、この種別期間での体重の変化の傾向を示す体重グラフを作成するものである。
【０１４９】
図８（ａ）は、開始日である６月１日（月）の計測日（１）から図示する期間中、毎日計測体重Ｗ（ｉ）が参加者端末１ａが送られてきている場合のデータ登録テーブル５０ａを示すものとするものである。この場合、この計測日（１）が最初の種別期間境界日であり、次の土曜日である計測日（６）が２番目の種別期間境界日であって、これら種別期間境界日間が最初の種別期間（平日期間）である。また、次の月曜日である計測日（８）が３番目の種別期間境界日となり、計測日（６）の２番目の種別期間境界日と計測日（８）の３番目の種別期間境界日との間が２番目の種別期間（休日期間）となる。そして、この計測日（８）の３番目の種別期間境界日が次の３番目の種別期間（平日期間）の開始日であり、以下、順次種別期間が設定されていることになる。なお、平日期間の終了日となる土曜日は、また、次の休日期間の開始日でもあり、同様に、休日期間の終了日である月曜日は、また、次の平日期間の開始日でもある。
【０１５０】
この具体例では、種別期間毎に、期間番号ＣＤ（ｊ）が設定され、この種別期間内の各計測日の「計測体重」欄３４に登録された計測体重Ｗ（ｉ）を基に、境界日体重ＣＷ（ｊ）が算出され、これら期間番号ＣＤ（ｊ）と境界日体重ＣＷ（ｊ）とがこの種別期間での最終日となる種別期間境界日の「期間番号」欄３５と「境界日体重」欄３６とに夫々登録される。
【０１５１】
ここで、種別期間の境界日体重ＣＷ（ｊ）は、１つ前の種別期間での境界日体重をＣＷ（ｊ−１）とし、この種別期間の開始の計測日（ｉ）をｉ0とし、開始日からｍ番目の計測日（ｉ）をｉmとし、この種別期間の最終日である種別期間境界日が開始日からｐ番目の計測日（ｉ）として、これをｉPとし、このｍ番目の計測日での計測体重をＷ（ｍ）とすると、この種別期間での最終日である境界日体重ＣＷ（ｊ）は、次式、即ち、
【数１】
2010237805.tif 000004
【０１５２】
で求められる。この数１での右辺第２項の分母は、この種別期間内の計測日毎にその開始日からの日数を求め、これら日数を加算したものである。これら期間番号ＣＷ（ｊ）と境界日体重ＣＷ（ｊ）とが、該当する種別期間の最終日の種別期間境界日の「期間番号」欄３５，「境界日体重」欄３６に夫々登録される。
【０１５３】
図８（ａ）に示すデータ登録テーブル５０ａでは、最初の種別期間（平日期間）については、
ＣＷ(ｊ−１)＝Ｗ（１），Ｗ（ｍ）＝Ｗ（２）〜Ｗ（６）
ｉ0＝１（Ｎｏ．１），ｉm＝２〜６（Ｎｏ．２〜６），ｉP＝６（Ｎｏ．６）
であり、これによって得られた境界日の計測体重ＣＷ(ｊ)は、この種別期間の最終日（種別期間境界日）である計測日（６）の「境界日体重」欄３６に、境界日体重ＷP（６）として、登録される。
【０１５４】
同様にして、次の種別期間の休日期間では、先に求めた開始日としての計測日（６）での境界日体重ＷP（６）を開始日の計測体重ＣＷ(ｊ−１)とし、Ｗ（ｍ）＝Ｗ（７）〜Ｗ（８）、ｉ0＝６、ｉm＝７〜８、ｉP＝８として、上記数１から、この休日期間での境界日体重ＣＷ（ｊ）を求め、その最終日（計測日（８））の「期間番号」欄３５に期間番号ＣＤ（ｊ）＝ＤP（３）を登録するとともに、その「境界日体重」欄３６に求めたこの境界日体重ＣＷ（ｊ）＝ＷP（３）を登録する。
【０１５５】
以下同様にして、順次の種別期間での境界日体重ＣＷ（ｊ）を求め、その終日日の「期間番号」欄３５に期間番号ＤP（ｊ）を、その「境界日体重」欄３６に求めた境界日体重ＣＷ（ｊ）を夫々登録する。
【０１５６】
図９（ａ）に示す体重グラフ図６０ａは、この図８（ａ）に示すデータ登録テーブル５０ａを基に作成したものであって、最初の平日期間４１ａでは、このデータ登録テーブル５０ａにおいて、期間番号ＣＤ（ｊ）＝ＤP（１）である計測日（１）での境界日体重ＣＷ（ｊ）＝ＷP（１）と期間番号ＣＤ（ｊ）＝ＤP（２）で計測日（６）での境界日体重ＣＷ（ｊ）＝ＷP（２）とを結んだ線分で水平期間体重グラフ４５ａが表わされ、次の休日期間４１ａでは、期間番号ＣＤ（ｊ）＝ＤP（２）であるその開始日としての計測日（６）での境界日体重ＣＷ（ｊ）＝ＷP（２）と期間番号ＣＤ（ｊ）＝ＤP（３）であるその終了日としての計測日（８）での境界日体重ＣＷ（ｊ）＝ＷP（３）とを結んだ線分で水平期間体重グラフ４６ａが表わされ、以下同様にして、順次の種別期間毎に期間体重グラフが表わされることになる。
【０１５７】
図８（ｂ）は、開始日である計測日（１）からの最初の平日期間において、その最終日としての計測日（６）である種別期間境界日に計測体重Ｗ（ｉ）が「計測体重」欄３４に登録されなかった場合のデータ登録テーブル５０ｂを示すものである。
【０１５８】
この場合も、図８（ａ）に示すデータ登録テーブル５０ａの場合と同様に、上記の数１を用いて種別期間の境界日体重ＣＷ（ｊ）が求められるものであるが、上記のように、計測日（６）には、計測体重Ｗ（ｉ）が「計測体重」欄３４に登録されていないので（Ｗ（６）＝０）、上記数１では、この計測日（６）は対象外となる。従って、この場合には、
ＣＷ(ｊ−１)＝Ｗ（１），Ｗ（ｍ）＝Ｗ（２）〜Ｗ（５）
ｉ0＝１（Ｎｏ．１），ｉm＝２〜５（Ｎｏ．２〜５），ｉP＝６（Ｎｏ．６）
として、境界日体重ＤP（２）が求められる。この境界日体重ＤP（２）は、期間番号ＣＷ（１）とともに、この計測日（６）である種別期間境界日の「境界日体重」欄３６，「期間番号」欄３５に夫々登録される。
【０１５９】
このこと以外は、図８（ａ）に示すデータ登録テーブル５０ａの場合と同様である。
【０１６０】
図９（ｂ）に示す体重グラフ図６０ｂは、図８（ａ）に示すデータ登録テーブルを基に図９（ａ）に示される体重グラフ図５０ａが作成されるのと同様にして、この図８（ｂ）に示すデータ登録テーブル５０ａを基に作成したものであって、最初の平日期間４１ａでは、境界日体重ＣＷ（ｊ）＝ＷP（１）と境界日体重ＣＷ（ｊ）＝ＷP（２）とを結んだ線分で水平期間体重グラフ４５ａが表わされ、次の休日期間４１ａでは、境界日体重ＣＷ（ｊ）＝ＷP（２）と境界日体重ＣＷ（ｊ）＝ＷP（３）とを結んだ線分で水平期間体重グラフ４６ａが表わされ、以下同様にして、順次の種別期間毎に期間体重グラフが表わされることになる。従って、種別期間間の期間体重グラフの接続は、種別期間の種別期間境界日で行なわれる。
【０１６１】
図８（ｃ）は、開始日である計測日（１）からの図示する期間中、平日期間の最終日としての種別期間境界日（計測日（６））とその次の休日期間の最終日としての種別期間境界日（計測日（８））とに計測体重Ｗ（ｉ）が「計測体重」欄３４に登録されなかった場合のデータ登録テーブル５０ｃを示すものである。
【０１６２】
この場合も、図８（ａ）に示すデータ登録テーブル５０ａの場合と同様に、上記の数１を用いて各種別期間の境界日体重ＣＷ（ｊ）が求められるものであるが、上記のように、これら計測日（６），（８）については、図８（ｂ）に示すデータ登録テーブル８０ｂの場合と同様、計測体重Ｗ（ｉ）が「計測体重」欄３４に登録されていないので（Ｗ（６），Ｗ（８）＝０）、上記数１では、最初の平日期間では、計測日（６）が対象外となり、次の休日期間では、計測日（８）が対象外となる。従って、この場合には、この最初の平日期間については、図８（ｂ）に示すデータ登録テーブル８０ｂの場合と同様であり、次の休日期間については、
ＣＷ(ｊ−１)＝ＷP（２），Ｗ（ｍ）＝Ｗ（７）
ｉ0＝６（Ｎｏ．６），ｉm＝７（Ｎｏ．７），ｉP＝８（Ｎｏ．８）
として、境界日体重ＤP（８）が求められ、この計測日（８）の６月８日の「期間番号」欄３５に期間番号ＤP（３）が、「境界日体重」欄３６に境界日体重Ｗ'P（３）が夫々登録される。
【０１６３】
なお、この境界日体重Ｗ'P（３）は、上記のようにして数１から求めた境界日体重ＷP（３）を、所定の条件を基に、修正したものである。
【０１６４】
図９（ｃ）に示す体重グラフ図６０ｃは、図８（ａ）に示すデータ登録テーブル５０ａを基に図９（ａ）に示される体重グラフ図６０ａが作成されるのと同様にして、この図８（ｃ）に示すデータ登録テーブル５０ｃを基に作成したものであって、最初の平日期間４１ａでは、境界日体重ＣＷ（ｊ）＝ＷP（１）と境界日体重ＣＷ（ｊ）＝ＷP（２）とを結んだ線分で水平期間体重グラフ４５ａが表わされ、次の休日期間４１ａでは、境界日体重ＣＷ（ｊ）＝ＷP（２）と境界日体重ＣＷ（ｊ）＝Ｗ'P（３）とを結んだ線分で水平期間体重グラフ４６ａが表わされ、以下同様にして、順次の種別期間毎に期間体重グラフが表わされることになる。
【０１６５】
なお、図８（ｃ）に示すデータ登録テーブル５０ｃにおいて、計測日（８）での境界日体重ＣＷ（ｊ）＝Ｗ'P（３）は、上記数１で求めた境界日体重ＣＷ（ｊ）＝ＷP（３）を修正したものであるが、これは、次のように理由によるものである。
【０１６６】
即ち、このデータ登録テーブル５０ｃにおいて、２番目の種別期間（休日期間４２ａ）では、その最終日である計測日（８）で計測体重Ｗ（８）＝０で登録されておらず、上記数１で用いられる計測体重Ｗ（ｍ）は計測日（８）での計測体重ＣＷ（ｊ）＝Ｗ（７）のみである。このような場合、上記数１は、
【数２】
2010237805.tif 000005
【０１６７】
となり、図１０に示すように、休日期間４２ａで体重グラフ４６ａが異常に大きく変化する場合がある。これを防止するために、所定の規定に従って、期間体重グラフの変化を制限する修正をするものである。
【０１６８】
図８（ｃ）に示すデータ登録テーブル５０ｃでの境界日体重Ｗ'P（３）はこのような修正をしたものであり、図９（ｃ）に示す休日期間４２ａでの体重グラフ４６ａは、かかる修正によるものであって、異常な変化が現われないようにしている。
【０１６９】
図８（ｃ）に示すデータ登録テーブル５０ｃについては、以上の点以外については、図８（ａ），（ｂ）に示すデータ登録テーブル５０ａ，５０ｂと同様である。
【０１７０】
図１１は上記の境界日体重ＷP（ｊ）の修正方法の具体例を示す図である。
【０１７１】
図１１（ａ）に示す修正方法は、上記の数１で得られた境界日体重ＷP（Ｘ）とそれを修正した境界日体重Ｗ'P（Ｘ）との関係を示すものであって、横軸に境界日体重ＷP（Ｘ）を、縦軸に修正した境界日体重Ｗ'P（Ｘ）を示すものである。
【０１７２】
図示するように、境界日体重ＷP（Ｘ）は、最小値をＷP（ＸL）とし、最大値をＷP（ＸH）とする範囲Ｌ−Ｈが決められ、ＷP（ＸL）≦ＷP（Ｘ）≦ＷP（ＸH）であって、境界日体重ＷP（Ｘ）がこの範囲Ｌ−Ｈ内にあるときには、修正境界日体重Ｗ'P（Ｘ）＝境界日体重ＷP（Ｘ）とし、また、ＷP（Ｘ）＜ＷP（ＸL）のときには、修正境界日体重Ｗ'P（Ｘ）＝ＷP（ＸL）とし、ＷP（ＸH）＜ＷP（Ｘ）のときには、修正境界日体重Ｗ'P（Ｘ）＝ＷP（ＸH）とするものである。
【０１７３】
このように修正することにより、体重グラフ図に表示される体重グラフが表示エリアから上下方向に突出しないことになる。
【０１７４】
ここで、範囲Ｌ−Ｈとしては、例えば、最大値ＷP（ＸH）を健康管理支援期間の開始日（計測日（１））での計測体重Ｗ（１）よりも所定の値（例えば、２〜３ｋｇ）だけ小さい値とし、最小値ＷP（ＸL）を最終目標体重Ｗ０（９）よりも所定の値（例えば、数ｋｇ）だけ小さい値とする範囲とするが、これに限るものではなく、例えば、体重グラフ図を表示する表示エリアの範囲としてもよい。
【０１７５】
また、最大値ＷP（ＸH），最小値ＷP（ＸL）を夫々、その種別期間における計測体重Ｗ（ｉ）と、その直前の種別期間における計測体重Ｗ（ｉ）と、この直前の種別期間における境界日体重ＣＷ（ｊ）との値の中での最大値，最小値としてもよいし、その種別期間における計測体重Ｗ（ｉ）と、その種別期間とその直前の種別期間との間の境界体重ＣＷ（ｊ）との値の中での最大値，最小値としてもよい。
【０１７６】
図１１（ｂ）に示す修正方法は、図１１（ａ）と同様、上記の数１で得られた境界日体重ＷP（Ｘ）とそれを修正した境界日体重Ｗ'P（Ｘ）との関係を示すものであって、横軸に境界日体重ＷP（Ｘ）を、縦軸に修正した境界日体重Ｗ'P（Ｘ）を示すものであるが、図示するように、境界日体重ＷP（Ｘ）は、最小値をＷP（ＸL）とし、最大値をＷP（ＸH）とする範囲（Ｌ−Ｈ）’が決められ、ＷP（ＸL）≦ＷP（Ｘ）≦ＷP（ＸH）であって、境界日体重ＷP（Ｘ）がこの範囲（Ｌ−Ｈ）’内にあるときには、修正境界日体重Ｗ'P（Ｘ）＝境界日体重ＷP（Ｘ）とするが、ＷP（Ｘ）＜ＷP（ＸL）のときには、修正境界日体重Ｗ'P（Ｘ）が値ＷP（ＸL）から減少して０．９５×ＷP（ＸL）に収斂するようにし、また、ＷP（ＸH）＜ＷP（Ｘ）のときには、修正境界日体重Ｗ'P（Ｘ）が値ＷP（ＸH）から増加して１．０５×ＷP（ＸH）に収斂するようにしたものである。
【０１７７】
このように修正することにより、体重グラフ図に表示される体重グラフが表示エリアから上下方向に突出しない。
【０１７８】
ここで、一例として、０．９５×ＷP（ＸL）の値の位置は体重グラフの表示エリアの下限部とし、１．０５×ＷP（ＸH）の値の位置を体重グラフの表示エリアの上限部とするものであるが、これに限るものではなく、最小値ＷP（ＸL），最大値ＷP（ＸH）を夫々適宜設定することができる。かかる最大値ＷP（ＸH），最小値ＷP（ＸL）としては夫々、その種別期間における計測体重Ｗ（ｉ）と、その直前の種別期間における計測体重Ｗ（ｉ）と、この直前の種別期間における境界日体重ＣＷ（ｊ）との値の中での最大値，最小値としてもよいし、その種別期間における計測体重Ｗ（ｉ）と、その種別期間とその直前の種別期間との間の境界体重ＣＷ（ｊ）との値の中での最大値，最小値としてもよい。
【０１７９】
なお、図４（ｃ）に示すように、開始日（種別期間境界日）から終了日（次の種別期間境界日）までの順次の計測日に計測体重Ｗ（ｉ）が全く登録されていない種別期間では、この開始日での１つ前の種別期間で求められた境界日体重ＣＷ（ｊ−１）と次の種別期間で最初に計測体重Ｗ（ｉ）が登録された計測日（ｉ）でのこの計測体重Ｗ（ｉ）による境界日体重ＣＷ（ｊ）との間に、図５（ｄ）に示す体重グラフ図４０ｄと同様に、破線が設けられる。このために、例えば、この１つ前の種別期間で設定された期間番号ＣＤ（ｊ−１）には、フラグが立てられる。
【０１８０】
図１２は図１におけるデータ管理サーバ８での演算装置１１による図８に示すデータ登録テーブル５０での期間番号ＣＤ（ｊ）と境界日体重ＣＷ（ｊ）の作成処理手順を示すフローチャートである。
【０１８１】
同図において、まず、ｉ＝１として、健康管理支援期間内の最初の計測日（１）が指定され、また、ｊ＝１として、最初の平日期間または休日期間が最初の種別期間（１）として指定される（ステップＳ４００）。
【０１８２】
次に、図示しないが、図６に示す処理と同様、計測日（１）での計測体重Ｗ（１）が値「０」であるかどうかを判断し、計測体重Ｗ（１）＝０であるときには、ｉ＝１＋１＝２として、次の計測日（２）について、同様に、その計測体重Ｗ（２）が値「０」であるかどうかを判断する。このようにして、計測体重Ｗ（ｉ）が値「０」でない最初の計測日（ｉ）が判明すると、その計測日（ｉ）を最初の種別期間（１）の開始日（最初の種別期間境界日）とし、その期間番号ＣＤ（ｊ）をＤP（１）として設定し（ステップＳ４０１）、データ登録テーブル５０の「期間番号」欄３５の該当する計測日（ｉ）の箇所に登録する（ステップＳ４０２）。また、これとともに、この開始日での計測体重Ｗ（ｉ）を「計測体重」欄３４から読み取り、境界日体重ＣＷ（１）をＷP（１）として設定し（ステップＳ４０１）、「境界日体重」欄３６の該当する計測日（ｉ）の箇所に登録する（ステップＳ４０２）。
【０１８３】
ここでは、以下、図８に示すデータ登録テーブル５０を基に説明するために、計測日（１）の６月１日では、計測体重Ｗ（１）が参加者端末１ａから送られてきて「計測体重」欄３４に登録されているものとする。従って、この計測日（１）の開始日では、「期間番号」欄３５に期間番号ＣＤ（１）＝ＤP（１）が、「境界日体重」欄３６に境界日体重ＣＷ（１）＝ＷP（１）＝Ｗ（１）が夫々登録されることになる。
【０１８４】
次いで、この日よりも後の計測日のいずれにも「計測体重」欄３４に計測体重Ｗ（ｉ）が登録されていないとき、例えば、この計測日が現在の計測日（ｉ）である場合には、明日（ｉ日目）以降の計測体重Ｗ（ｉ）はまだ登録されていないから（ステップＳ４０３の“Ｎ”）、処理を終了するが、このｉ日目以降に計測体重Ｗ（ｉ）が「計測体重」欄３４に登録されている場合には（ステップＳ４０３の“Ｙ”）、この開始日の期間種別フラグＨ（ｉ）を「期間種別フラグ」欄３３から読み取り、これを設定期間種別ＣＨとして設定し（ステップＳ４０４）、この開始日の次の計測日を指定して（ステップＳ４０５）、その期間種別フラグＨ（ｉ）をこの設定期間種別ＣＨと比較する（ステップＳ４０６）。この指定日の期間種別フラグＨ（ｉ）が設定期間種別ＣＨと一致する場合には（ステップＳ４０６の“Ｎ”）、この指定日は種別期間境界日ではないとして、さらに、次の計測日を指定し（ステップＳ４０５）、これを繰り返して次の種別期間境界日を探索する。
【０１８５】
そして、期間種別フラグＨ（ｉ）が設定期間種別ＣＨと一致しない次の種別期間境界日が得られると（ステップＳ４０６の“Ｙ”）、ステップ４０２で期間番号ＣＤ（ｊ）が登録された１つ前の種別期間境界日の翌日から得られたこの種別期間境界日までに計測体重Ｗ（ｉ）が登録された日があるかどうかを判定し（ステップＳ４０７）、登録された計測日がない場合には（ステップＳ４０７の“Ｎ”）、この種別期間境界日の期間種別フラグＨ（ｉ）を「期間種別フラグ」欄３３から読み取り、これを設定期間種別ＣＨとして設定して（ステップＳ４０４）、ステップＳ４０５からの処理を繰り返す。
【０１８６】
上記の１つ前の種別期間境界日の翌日（即ち、計測日（２））から得られた次の種別期間境界日（即ち、計測日（６））までに計測体重Ｗ（ｉ）が登録された日があるときには（ステップＳ４０７の“Ｙ”）、この種別期間境界日を次の種別期間境界日と確定して、ｊ＝ｊ＋１とし（ステップＳ４０８）、この次の種別期間境界日の期間番号ＣＤ（ｊ）＝ＤＰ（２）を設定するとともに（ステップＳ４０９）、ステップＳ４０２で登録した境界日体重ＣＷ（１）＝ＷP（１）をＣＷ（ｊ−１）とし、１つ前の種別期間境界日の翌日から得られたこの期間番号ＤP（２）の種別期間境界日までの計測日の計測体重Ｗ（ｉ）をＷ（ｍ）として、上記の数１により、この期間番号ＣＤ（ｊ）＝ＤP（２）の種別期間境界日の境界日体重ＣＷ（ｊ）＝ＷP（２）を算出する（ステップＳ４１０）。
【０１８７】
そして、この得られた境界日体重ＣＷ（ｊ）＝ＷP（２）が図１１に示す範囲Ｌ−Ｈ内にある場合には、ステップ４０９で設定された期間番号ＣＤ（ｊ）＝ＤP（２）をこの期間番号ＣＤ（ｊ）＝ＤP（２）の種別期間境界日の「期間番号」欄３５に登録するとともに、ステップ４１０で得られたこの境界日体重ＣＷ（ｊ）＝ＷP（２）を同じ期間番号ＣＤ（ｊ）＝ＤP（２）の種別期間境界日の「境界日体重」欄３６に登録し（ステップＳ４０２）、この得られた境界日体重ＣＷ（ｊ）＝ＷP（２）が図１１に示す範囲Ｌ−Ｈ外にある場合には、この境界日体重ＣＷ（ｊ）＝ＷP（２）を、図１１で説明した修正処理をした後（ステップＳ４１２）、期間番号ＣＤ（ｊ）＝ＤP（２）の種別期間境界日の「期間番号」欄３５に登録するとともに、ステップ４１２で修正した境界日体重ＣＷ（ｊ）＝ＷP（２）を同じ期間番号ＣＤ（ｊ）＝ＤP（２）の種別期間境界日の「境界日体重」欄３６に登録し（ステップＳ４０２）、ステップＳ４０３を経て、次の種別期間境界日を探索するための上記のステップＳ４０４からの処理を繰り返す。
【０１８８】
このようにして、図８に示すように、データ登録テーブル５０では、各種別期間境界日毎に、その順序を示す期間番号ＣＤ（ｊ）＝ＤP（ｊ）が「期間番号」欄３５に登録され、境界日体重ＣＷ（ｊ）＝ＷP（ｊ）が「境界日体重」欄３６に登録される。なお、図８（ｃ）に示すデータ登録テーブル５０ｃにおいて、期間番号ＣＤ（ｊ）＝ＤP（３）での境界日体重Ｗ'P（３）は、図１２でのステップ４１２で修正されたものである。
【０１８９】
図８に示すデータ登録テーブル５０から図９に示す体重グラフ図６０を作成するための図１における制御装置９による演算装置１１での処理動作は、図７に示す処理動作と同様であるが、ステップＳ３０１でのＤE（ｊ）は、図１２のステップＳ４０７で入力された計測体重Ｗ（ｉ）がある計測日がないと判定された種別期間境界日での上記フラグが付加された期間番号ＣＤ（ｊ）＝ＤP（ｊ）である。
【０１９０】
図１３は図１に示す第１の実施形態での体重周期変動や行動の変動の算出・表示のための概略的な処理動作の他の具体例を示すフローチャートである。
【０１９１】
同図において、ステップＳ５００〜Ｓ５０１ｂの処理動作は、図２におけるステップＳ１００〜Ｓ１０１ｂと同様であるので、重複する説明を省略する。
【０１９２】
図２に示す具体例と同様、この具体例においても、データ管理サーバ８において、参加者端末１ａから体重や歩数のデータや行動データ（計測データ）が制御部２ａに取り込まれ、日時，曜日を表わすデータとともに、記録装置１０に個人情報と関連付けて記録保持される。このように、健康管理支援期間では、参加者端末１ａからデータ管理サーバ８に１日に１回ずつ参加者ａのかかる計測データや日／曜日データが送り込まれて記録装置１０に記録され、参加者端末１ａからのグラフ図の要求などに応じて、制御装置９が記録装置１０から計測データや日／曜日データを読み出して演算装置１１に供給し、平日期間体重グラフや休日期間体重グラフの作成（ステップＳ１０１）とが行なわれるが、さらに、この具体例では、参加者端末１ａから取得した行動データを基に、行動の周期変動を示す行動グラフの作成も行なわれる（ステップＳ５０２）。この行動グラフについても、平日期間毎の行動グラフ（平日期間行動グラフ）の作成（ステップＳ５０２ａ）と休日期間毎の行動グラフ（休日期間行動グラフ）の作成（ステップＳ５０２ｂ）とが行なわれる。作成された各グラフのデータが記録装置９に記録されて保存される。
【０１９３】
かかる体重グラフと行動グラフの作成（ステップＳ５０１，Ｓ５０２）は、参加者端末１ａからのグラフ図の要求に応じて、あるいは種別期間毎などの適宜の期間毎に行なわれ、制御部９はこの作成したグラフ（体重／行動グラフ）図を参加者端末１ａで表示させるための処理を行なう（ステップＳ５０３）。即ち、データ管理サーバ８では、制御部９がこの作成した体重／行動グラフ図のデータを参加者端末１ａに送信し、参加者端末１ａでは、制御部２ａがこれを受信して記録部６ａに記録保存し、記録装置６ａからこの体重／行動グラフ図のデータを読み取って表示装置５ａに供給する。これにより、この表示装置５ａの表示画面には、これまで得られた平日期間や休日期間での体重／行動グラフが表示されることになり、参加者ａは、この表示されたグラフから種別期間毎の体重や行動の変化の傾向を容易に認識することができる。
【０１９４】
参加者ａは、健康管理の支援を受けるときに、減量のための行動計画をデータ管理サーバ８に提出するものであるが、この行動計画は、１００ｋｃａｌカード（１００ｋｃａｌのカロリーを減らすための行動を指示するカード）でもって行なうものであり、このために、データ管理サーバ８から、先の図３に示す初期設定画面２０とともに、提供される行動計画画面を用いて行なわれるものであって、この行動計画画面に各行動のカテゴリ毎に表示される１００ｋｃａｌカード（１００ｋｃａｌのカロリーを減らすための行動を指示するカード）を適宜選択することにより、カテゴリ毎の行動計画が決められる。この行動のカテゴリとしては、ここでは、例えば、「主食」，「果物」，「間食」，「アルコール」，「缶コーヒー・ジュース」，「調味料」，「主菜（３食分）」，「牛乳・ヨーグルト」，「運動」などとする。
【０１９５】
図１４は行動計画画面の一具体例の概要をを示す図であって、７０は行動計画設定画面、７１は１００ｋｃａｌカード表示／選択エリア、７２はカテゴリタブ表示エリア、７３ａはカテゴリ「主食」のタブ、７３ｂはカテゴリ「果物」のタブ、７３ｃはカテゴリ「間食」のタブ、７３ｄはカテゴリ「アルコール」のタブ、７３ｅはカテゴリ「缶コーヒー・ジュース」のタブ、７３ｆはカテゴリ「調味料」のタブ、７３ｇはカテゴリ「主菜（３食分）」のタブ、７３ｈはカテゴリ「牛乳・ヨーグルト」のタブ、７３ｉはカテゴリ「運動」のタブ、７４は行動設定エリア、７４ａは減カロリー目標値算出部、７４ｂは１００ｋｃａｌカード設定部、７５はページ、７６はカードアイコン、７７は「決定」ボタン、７８は「キャンセル」ボタンである。
【０１９６】
同図において、行動計画設定画面７０では、その上側に１００ｋｃａｌカード表示／選択エリア７１が、下側に行動設定エリア７４が夫々設けられている。
【０１９７】
１００ｋｃａｌカード表示／選択エリア７１の上辺には、行動カテゴリを選択するためのカテゴリタブ表示エリア７２が設けられており、このカテゴリタブ表示エリア７２に選択可能な行動カテゴリのタブ、即ち、カテゴリ「主食」のタブ７３ａ，カテゴリ「果物」のタブ７３ｂ，カテゴリ「間食」のタブ７３ｃ，カテゴリ「アルコール」のタブ７３ｄ，カテゴリ「缶コーヒー・ジュース」のタブ７３ｅ，カテゴリ「調味料」のタブ７３ｆ，カテゴリ「主菜（３食分）」のタブ７３ｇ，カテゴリ「牛乳・ヨーグルト」のタブ７３ｈ，カテゴリ「運動」のタブ７３ｉ（以下では、これらカテゴリタブ７３ａ〜７３ｉを総称する場合、カテゴリのタブ７３といい、これらのカテゴリを総称する場合、カテゴリということにする）が表示されるカテゴリタブ表示エリア７２が設けられており、それらカテゴリのタブ７３のうちのいずれか１つを選択することにより、この選択されたカテゴリのタブ７３のページ７５が１００ｋｃａｌカード表示／選択エリア７１に展開されて、このタブのページ７５内に選択されたタブ７３に該当するカテゴリでの夫々の減量対象に対する１００ｋｃａｌカードのアイコン（カードアイコン）７６が活性化されて、選択操作可能に表示される。
【０１９８】
行動計画設定画面７０が表示開始されたときには、これらカテゴリタブのいずれか、ここでは、最も左側のカテゴリのタブ７３（図示する例では、カテゴリ「主食」のタブ７３ａ）が選択されて、このページ７５にカテゴリ「主食」での減量対象の１００ｋｃａｌカードのカードアイコン７６が表示された状態にあり、他のカテゴリのタブ７３を選択することにより、その該当するカテゴリ７３に対するカードアイコン７６が展開されたページ７６に表示される。ここでは、カテゴリ「主食」での減量対象として、「ご飯（２／３）杯」，「トースト１／２枚」，……などを例に示している。
【０１９９】
カードアイコン７６には、例えば、減量対象「ご飯２／３杯」といったような、これに該当するカテゴリ２３での１００ｋｃａｌのカロリーを低減するのに相当する食事量や運動量が記載されている。従って、カードアイコン７６を選択すると、このカードアイコン７６に記載されている行動（食事であれば、摂取制限、運動であれば、実施）を実施することにより、１００ｋｃａｌを低減することができ、その分体重が低減することを参加者が把握することができる。
【０２００】
一方、図１４に示す行動計画設定画面７０での減カロリー目標値算出部７４ａでは、健康管理による目標体重と現在の体重とを入力することにより、次式、即ち、
【数３】
2010237805.tif 000006
【０２０１】
により、この健康管理支援期間中（ここでは、９０日間としている）での１日当りの削減すべきカロリー（減目標カロリー）が計算される。
【０２０２】
かかる１日当り目標減量カロリーを満たすように、１００ｋｃａｌカード表示／選択エリア７１において、参加者が所望とするカテゴリのタブ７３から所望の減量対象の１００ｋｃａｌカードを選択する。選択された１００ｋｃａｌカードは、１００ｋｃａｌカード設定部７４ｂに表示される。この選択された１００ｋｃａｌカードの枚数も、１００ｋｃａｌカード設定部７４ｂで設定することができる。同じカテゴリの同じ減量対象の１００ｋｃａｌカードについて、複数ｎ枚設定された場合には、この減量対象について、１日に（１００×ｎ）ｋｃａｌのカロリーの低減を計画するものである。
【０２０３】
そこで、参加者ａとしては、減カロリー目標値算出部７４ａで計算された１日当り目標減量カロリーを満たすように、カテゴリの各タブ７３から実施可能な所望の減量対象の１００ｋｃａｌカードを所望枚数ずつ選択する。例えば、「ご飯」で２００ｋｃａｌ低減する場合には、減量対象「ご飯」の１００ｋｃａｌカードを２枚指定するものであるが、この場合には、１日３回食事でご飯を食べる場合、そのうちの２食で夫々２／３杯ずつご飯を食べるという行動計画を立てたことになる。このように、実施可能な減量対象を決定してそれに該当する１００ｋｃａｌカードとその枚数を決定するものである。
【０２０４】
このようにして、参加者が１００ｋｃａｌカードとその枚数を選択して決定ボタン７７を操作すると、選択された１００ｋｃａｌカードとそれら枚数とが決定されたことになり、データ管理サーバ８にこの決定した１００ｋｃａｌカードの情報が転送され、その記録装置１０に格納される。
【０２０５】
なお、この行動計画設定画面７０において、「キャンセル」ボタン７８が操作されると、行動計画設定画面７０での入力操作は全てキャンセルされ、入力操作がなされる前の状態に戻って再度の入力操作が可能となる。
【０２０６】
この行動計画設定画面７０は、参加者端末１ａの表示装置５ａで、健康管理の支援を申請要求するときにデータ管理サーバ８から提供されて表示されるものであるが、例えば、図３に示す初期設定画面２０で「実行ボタン」２４が操作されると、表示されるものである。
【０２０７】
この実施形態では、参加者端末１ａで計測体重を入力するデータ入力画面では、その日の行動計画の実施状況を入力する実施入力欄が設けられており、この実施入力欄で行動の実施結果に応じた１００ｋｃａｌカードが選択されるようにしている。即ち、例えば、１日の行動計画のために選択された減量対象の１００ｋｃａｌカードの名称が表示されて、夫々毎にチェックボックスが設けられており（この場合、同じカテゴリの同じ減量対象の１００ｋｃａｌカードが複数枚指定されている場合には、これら複数枚の１００ｋｃａｌカードのカード名称（減量対象名）が表示される）、実施される行動に該当する１００ｋｃａｌカードに対するチェックボックスをチェックする。そして、この複数枚の１００ｋｃａｌカードに相当する行動が実施できた場合には、これら１００ｋｃａｌカードのチェックボックスをチェックし、実施できなかった場合（即ち、実施しなかった場合やカロリーの低減ができなかった行動をした場合）には、チェックしない。
【０２０８】
このようにして、１００ｋｃａｌカードのチェック状況で表わされる行動計画の実施状況を表わすデータ（行動計画実施データ）が参加者端末１ａからデータ管理サーバ８に転送される。このデータ管理サーバ８では、この行動計画実施データからその日の行動計画が実施された１００ｋｃａｌカードの枚数（カード実施枚数）が求められ、記録装置１０での、例えば、図４に示されるようなデータ登録テーブルに設けられた「行動計画実施」欄に登録される。この場合、このカード実施枚数は、減量対象が「食事」である場合と「運動」である場合とを区分して登録される。
【０２０９】
図１３におけるステップＳ５０２の処理は、このようにこのデータ登録テーブルに計測日（ｉ）毎に登録されたカード実施枚数を基に、行なわれるものであって、図１５がこの図１３でのステップＳ５０２の処理を詳細に示すフローチャートである。
【０２１０】
同図において、データ管理サーバ８の演算部１１は、制御部９の制御のもとに、種別期間の最終日（なお、体重グラフの場合とは異なり、種別期間境界日の前日）毎に、記録装置１０でのデータ登録テーブルから登録されている各計測日（ｉ）のカード実施枚数を読み出し、その種別期間でのカード実施枚数の合計を、減量対象「食事」，「運動」毎に求める。即ち、平日期間の最終日（金曜日）にカード実施枚数の登録があると（ステップＳ６０１）、この平日期間の月曜日からこの金曜日までのデータ登録テーブルに登録された減量対象「食事」のカード実施枚数ＷＭ（ステップＳ６０２）と減量対象「運動」のカード実施枚数ＷＡ（ステップＳ６０３）とを算出し、さらに、この平日期間でのカード実施枚数が登録された日数ＷＤを算出する（ステップＳ６０４）。そして、この平日期間の１日当たりの平均カード実施枚数（期間平均カード実施率）ＷＰ、即ち、
ＷＰ＝（ＷＭ＋ＷＡ）／ＷＤ
を算出するとともに、減量対象「食事」の行動計画実施率（「食事」カード実施率）ＷＭＰ，減量対象「運動」の行動計画実施率（「運動」カード実施率）ＷＡＰを夫々、
ＷＭＰ＝ＷＰ×ＷＭ／（ＷＭ＋ＷＡ）＝ＷＭ／ＷＤ
ＷＡＰ＝ＷＰ×ＷＡ／（ＷＭ＋ＷＡ）＝ＷＡ／ＷＤ
によって算出する（ステップＳ６０５）。
【０２１１】
同様にして、休日期間の最終日（日曜日）にカード実施枚数の登録があると（ステップＳ６０１）、この休日期間の土曜日と日曜日とのデータ登録テーブルに登録された減量対象「食事」のカード実施枚数ＨＭ（ステップＳ６０６）と減量対象「運動」のカード実施枚数ＨＡ（ステップＳ６０７）とを算出し、さらに、この休日期間でのカード実施枚数が登録された日数ＨＤを算出する（ステップＳ６０８）。そして、この休日期間の１日当たりの平均カード実施枚数（期間平均カード実施率）ＨＰ、即ち、
ＨＰ＝（ＨＭ＋ＨＡ）／ＨＤ
を算出するとともに、減量対象「食事」の行動計画実施率（「食事」カード実施率）ＨＭＰ，減量対象「運動」の行動計画実施率（「運動」カード実施率）ＨＡＰを夫々、
ＨＭＰ＝ＨＰ×ＨＭ／（ＨＭ＋ＨＡ）＝ＨＭ／ＨＤ
ＨＡＰ＝ＨＰ×ＨＡ／（ＨＭ＋ＨＡ）＝ＨＡ／ＨＤ
によって算出する（ステップＳ６０９）。
【０２１２】
このようにして、各種別期間の平均カード実施率ＷＰ，ＨＰと夫々の種別期間での「食事」，「運動」カード実施率ＷＭＰ，ＷＡＰ，ＨＭＰ，ＨＡＰが得られ、データ登録テーブルの該当する欄に登録される。
【０２１３】
なお、平日期間の開始日である月曜日と終了日である金曜日、休日期間の開始日である土曜日と終了日である日曜日は、データ登録テーブルの「期間種別フラグ」欄に登録さている期間種別フラグＨ（ｉ）と、かかる期間種別フラグＨ（ｉ）と設定期間種別ＣＨとの比較とによって判定できる。かかる期間種別フラグＨ（ｉ）と設定期間種別ＣＨとが一致しない計測日（ｉ）がこの場合の種別期間の開始日であり、かかる期間種別フラグＨ（ｉ）と設定期間種別ＣＨとが一致しない計測日（ｉ）の前日が終了日である。
【０２１４】
図１３でのステップＳ５０３では、先の実施形態と同様にして体重グラフ図が形成されるとともに、種別期間平均カード実施率ＷＰ，ＨＰと「食事」，「運動」カード実施率ＷＭＰ，ＷＡＰ，ＨＭＰ，ＨＡＰを基に、種別期間毎に行動実施状況グラフが作成され、先の実施形態と同様にして、参加者端末１ａに転送され、その表示装置５ａで表示される。
【０２１５】
図１６はかかる体重／行動実施状況グラフ図の画面の一具体例を示す図であって、８０，８０ａは体重／行動実施状況グラフ図の画面、８１は行動実施状況グラフ図、８２は期間体重グラフ図、８３，８３’は種別期間平均カード実施率グラフ、８３ａ，８３’ａは「食事」カード実施率グラフ、８３ｂ，８３’ｂは「運動」カード実施率グラフ、８４は行動目標値、８５ａは選択項目「休日」表示、８５ｂは選択項目「種別期間体重」表示、８５ｃは選択項目「行動実施状況グラフ」表示、８６はチェックボックス、８７ａ，８７ｂは横スクロールキーであり、前出図面に対応する部分には同一符号を付けて重複する説明を省略する。
【０２１６】
図１６（ａ）において、体重／行動実施状況グラフ図の画面８０では、その表示開始時では、日毎の計測体重を表わす計測体重グラフ４４や計測日４８、横スクロールキー８７ａ，８７ｂ、選択項目「休日」表示８５ａや選択項目「種別期間体重」表示８５ｂ，選択項目「行動実施状況グラフ」表示８５ｃとこれらのチェックボックス８６が表示されている。
【０２１７】
ここで、選択項目「休日」表示８５ａのチェックボックス８６がチェック操作されると、休日期間４２ａ，４２ｂが所定の色で着色されるなどして、平日期間４１ａ，４１ｂ，４１ｃと明確に区別できる表示形態で表示されるようになり、また、選択項目「種別期間体重」表示８５ｂのチェックボックス８６がチェック操作されると、毎日の計測体重４３を結んだ破線で示す折線の計測体重グラフ４４の表示領域に、これらに重ねて、平日期間体重グラフ４５ａ，４５ｂ，４５ｃや休日期間体重グラフ４６ａ，４６ｂが表示される。かかる体重グラフの表示により、参加者ａの減量の周期的な変動を確認することができる。
【０２１８】
選択項目「行動実施状況グラフ」表示８５ｃのチェックボックス８６がチェック操作されると、期間体重グラフ図８２の表示エリアの上側の行動実施状況グラフ図８１に、計測日４８に一致させて、平日期間４１ａ，４１ｂ，４１ｃ毎の種別期間平均カード実施率グラフ８３や休日期間４２ａ，４２ｂ毎の種別期間平均カード実施率グラフ８３が表示される。かかる種別期間平均カード実施率グラフ８３は、図１５でのステップＳ６０５で算出された平日期間カード平均実施枚数ＷＰや同じくステップＳ６０９で算出された休日期間カード平均実施枚数ＨＰを表わす高さで、当該種別期間の幅に近い幅のグラフである。
【０２１９】
平日期間４１ａ，４１ｂ，４１ｃでの種別期間平均カード実施率グラフ８３は夫々、図１５でのステップＳ６０５の処理によって得られた食事カード実施率ＷＭＰと運動カード実施率ＷＡＰとに応じて、「食事」カード実施率グラフ８３ａと「運動」カード実施率グラフ８３ｂとに区分して表示され、同様に、休日期間４２ａ，４２ｂでの種別期間平均カード実施率グラフ８３も夫々、図１５でのステップＳ６０９の処理によって得られた食事カード実施率ＨＭＰと運動カード実施率ＨＡＰとに応じて、「食事」カード実施率グラフ８３ａと「運動」カード実施率グラフ８３ｂとに区分して表示される。
【０２２０】
また、この行動実施状況グラフ図８１には、行動計画の実施目標値を表わす行動目標値８４が示されており、行動計画の目標を達成できた種別期間での種別期間平均カード実施率グラフ８３がこの行動目標値８４を越えて示される。図示する例では、種別期間４１ａ〜４１ｃ，４２ｂが行動計画の目標を達成し、種別期間４２ａが行動計画の目標を達成していないことを示している。
【０２２１】
なお、横スクロール８７ａを操作することにより、行動実施状況グラフ図８１と期間体重グラフ図８２と計測日４８とが同期して右方向にスクロールし、また、横スクロール８７ｂを操作することにより、これらが同期して左方向にスクロールして、これらグラフ図８１，８２が表示される期間を異ならせることができる。
【０２２２】
このように、この実施形態では、種別期間毎に、行動実施状況グラフ図８１での１００ｋｃａｌカードの実施状況と期間体重グラフ図８２での体重の変化傾向とを比較することができ、その比較結果を基に、減量を成功させるための行動を再考するなどの処置を行なうことができる。
【０２２３】
なお、かかる体重／行動実施状況グラフ図の画面８０には、さらに、間食，飲み会，深夜の食事，特別な運動の実施回数などのイベントの状況を計測日（ｉ）毎に表示するようにしてもよく、この場合には、さらに、減量の促進に対するこれら行動やイベントの影響を確認することができる。
【０２２４】
なお、横スクロール８７ａ，８７ｂによるグラフ図のスクロールは、先の図５，図９に示す体重グラフ図４０，６０に設けられていることはいうまでもない。
【０２２５】
図１６（ｂ）に示す体重／行動実施状況グラフ図の画面８０ａは、行動実施状況グラフ図８１で計測日（ｉ）毎の種別期間平均カード実施率グラフ８３’を表示するものである。この種別期間平均カード実施率グラフ８３’も、「食事」カード実施率グラフ８３’ａと「運動」カード実施率グラフ８３’ｂとに区分して表示される。この「食事」カード実施率グラフ８３’ａは、図１５のステップＳ６０５，Ｓ６０９の処理をデータ登録テーブルに、上記のように、登録さている各計測日（ｉ）の行動計画実施データ毎に求められるものである。
【０２２６】
この具体例によると、行動計画の実施状況を日毎に細かく確認することができ、その細かい変動を確認して減量方法を試行錯誤で行なうことができる。
【０２２７】
なお、行動実施状況グラフ図８１での行動計画の実施状況を、図１６（ａ）に示す各種別期間の平均の種別期間平均カード実施率グラフ８３で表示することと、図１６（ｂ）に示す各計測日（ｉ）のカード実施率グラフ８３’で表示することとを選択することができるようにしてもよい。
【０２２８】
図１７は本発明による健康管理支援方法及び装置を構成する健康管理支援システムでの第３の実施形態を示すブロック構成図であって、９０は指導者端末、９１は制御装置、９２は入力装置、９３は表示装置であり、図１に対応する部分には同一符号を付けて重複する説明を省略する。
【０２２９】
同図において、この第３の実施形態は、図１に示す実施形態の構成に医師や保健師などの保健指導者のための指導者端末９０が設けられた構成をなすものであり、ネットワーク１２を介してデータ管理サーバ８に接続され、このデータ管理サーバ８と情報のやり取りが行なわれる。
【０２３０】
この指導者端末９０は、送受信機能と指導者端末９０の各部を制御する機能とを備えた制御装置９１と、保健指導者が入力操作を行なうための入力装置９２と、データ管理サーバ９３から取得した情報や入力装置９２からの入力情報などを表示する表示装置９３ととから構成されている。
【０２３１】
データ管理サーバ８では、先の実施形態と同様、演算装置１１により、参加者の体重／行動実施状況グラフなどが作成されるが、さらに、かかる体重／行動実施状況グラフのデータを処理して参加者ａの減量傾向や行動計画の実施状況の変動の傾向が分析され、その分析結果が指導者端末９０に送られる。指導者端末９０では、かかる減量／行動実施状況の分析結果が制御装置９１で受信されて表示装置９３で表示される。医師や保健師などの健康指導者は、入力装置９２を操作して、この表示装置９３に表示される減量／行動実施状況の分析結果を基に参加者ａの減量や行動計画の実施状況を評価し、その評価結果を受信した減量／行動実施状況の分析結果のデータに付加して保健指導の支援情報を作成して、データ管理サーバ８に送信する。データ管理サーバ８は、指導者端末９０からこのようにして取得した各参加者保健指導の支援情報を該当する参加者の参加者端末に提供し、各参加者の保健指導を行なう。
【０２３２】
この第３の実施形態も、体重／行動実施状況グラフなどの情報を作成し、参加者に提供するものであるが、この点については、先の実施形態と同様であるので、説明を省略する。
【０２３３】
このような減量状況／行動状況の分析や評価は、健康管理支援期間で予め決められた所定日にち間隔（例えば、１０日間隔）の状況分析日に行なわれるものであり、参加者ａに対して、その当日になると、データ管理サーバ８において、制御装置９の制御の基に、演算装置１１で、上記のように、体重／行動実施状況グラフのデータを分析して評価し、その結果を指導者端末９０に転送するものである。
【０２３４】
図１８は図１７における指導者端末９０の健康指導のための全体的な処理動作を概略的に示すフローチャートである。
【０２３５】
同図において、データ管理サーバ８の演算装置１１は、制御装置９によって制御されることにより、取得した体重／行動実施状況のグラフでの体重グラフの境界日体重を基に、１週間を単位とした減量状況の周期変動や種別期間を単位とした減量状況の周期変動の分析が行なわれる（ステップＳ７００）。そして、この分析結果に基づいて、減量状況の評価（ステップＳ７００ａ）と減量状況評価結果の優先度の決定（ステップＳ７００ｂ）とが行なわれる。また、取得した体重／行動実施状況のグラフでのカード実施率の行動計画実施状況のグラフについても、同様に、行動状況の周期変動の分析が行なわれる（ステップＳ７０１）。そして、この分析結果に基づいて、行動状況の評価（ステップＳ７０１ａ）と行動状況評価結果の優先度の決定（ステップＳ７０１ｂ）とが行なわれる。かかる評価結果は、その優先度順に所定個数ずつ選択され、指導者のコメントとともに、データ管理サーバ８に転送され、体重／行動計画実施状況のグラフ図などとともに、該当する参加者ａの参加者端末１ａに提供される。
【０２３６】
このようにして、参加者ａの健康管理が指導者によっても支援されることになる。
【０２３７】
図１９は図１８におけるステップＳ７００ａ，Ｓ７０１ａの評価の基準となる単位期間を示す図であって、同図（ａ）は体重に関するものであり、同図（ｂ）は行動計画の実施状況に関するものである。
【０２３８】
同図（ａ），（ｂ）において、ｊは単位期間の順番を示すものであって、例えば、ｊ＝１は健康管理支援期間での第１番目の単位期間を示すものである。単位期間として、１週間を単位とするもの（週単位）と、種別期間を単位とするもの（種別期間単位）がある。そして、週単位の期間としては、土曜日から次の土曜日までの期間を１単位期間とするものと、月曜日から次の月曜日までの期間を１単位期間とするものとがあり、種別単位の期間としては、先の平日期間と休日期間とがある。
【０２３９】
図１９（ａ）において、図示するＷＳ（ｊ）（２文字目の「Ｓ」は「月曜日」を表わす）は、土曜日を開始日とし、次の土曜日を終了日とする週単位期間を対象とし、その開始日の土曜日の境界日体重ＷＳS（ｊ）と終了日の土曜日（次の土曜日）の境界日体重ＷＳE（ｊ）との差の体重（土曜日からの週単位体重変動値）を表わすものであって、その１つ前の土曜日からの週単位の期間での週単位体重変動値はＷＳ（ｊ−１）である。なお、週単位の期間での開始日の土曜日の境界日体重ＷＳS（ｊ）は、１つ前の週単位の期間での終了日である土曜日の境界日体重ＷＳE（ｊ−１）がある場合、これと等しい値である。なお、１つ前の週単位の期間での終了日である土曜日に境界日体重がない場合には、それ以前のこの土曜日に近い境界日体重がある計測日（ｉ）を最終日とし、その計測体重をこの１つ前の週単位の期間での終了日で境界日体重ＷＳE（ｊ−１）とする。
【０２４０】
図示するＷＭ（ｊ）（２文字目の「Ｍ」は「月曜日」を表わす）は、月曜日を開始日とし、次の月曜日を終了日とする週単位期間を対象とし、その開始日の月曜日の境界日体重ＷＭS（ｊ）と終了日の月曜日（次の月曜日）の境界日体重ＷＭE（ｊ）との差の体重（月曜日からの週単位体重変動値）を表わすものであって、１つ前の週の月曜日からの週単位の期間での体重変動値はＷＭ（ｊ−１）である。なお、週単位での開始の月曜日の境界日体重ＷＭS（ｊ）は、１つ前の週での終了の月曜日の境界日体重ＷＳE（ｊ−１）がある場合、これと等しい値である。
【０２４１】
図示するＷＷ（ｊ）（２文字目の「Ｗ」は「平日期間」を表わす）は、平日期間の開始日（月曜日）での境界日体重ＷＷS（ｊ）と終了日（土曜日）での境界日体重ＷＷE（ｊ）との差体重（平日期間の体重変動値）を表わすものであって、１つ前の平日期間の体重変動値はＷＷ（ｊ−１）である。
【０２４２】
図示するＷＨ（ｊ）（２文字目の「Ｈ」は「休日期間」を表わす）は、休日期間の開始日（土曜日）での境界日体重ＷＨS（ｊ）と終了日（月曜日）での境界日体重ＷＨE（ｊ）との差体重（休日期間の体重変動値）を表わすものであって、１つ前の休日期間の体重変動値はＷＨ（ｊ−１）である。
【０２４３】
図１９（ｂ）に示す行動計画の実行状況についても同様であって、週単位期間と種別期間単位とでの行動計画の実施状況の変動を１００ｋｃａｌカード（以下、単にカードという）の実施枚数（利用枚数）で表わすものである。
【０２４４】
Ｆ／ＳＳ（ｊ），（ｊ−１）は、土曜日からの週単位の期間での週単位カード実施枚数変動値と１つ前の土曜日からの週単位の期間での週単位カード実施枚数変動値とを表わするものであって、「Ｆ／Ｓ」の「Ｆ」は「食事カード」を表わし、「Ｓ」は「運動カード」を表わす。
【０２４５】
Ｆ／ＳＭ（ｊ），（ｊ−１）は、月曜日からの週単位の期間での週単位カード実施枚数変動値と１つ前の土曜日からの週単位の期間での週単位カード実施枚数変動値とを表わするものであり、Ｆ／ＳＷ（ｊ），（ｊ−１）は、平日期間を単位期間として、平日期間での食事／運動カードの実施枚数変動値と１つ前の平日期間での同カードの実施枚数変動値とを表わするものであり、Ｆ／ＳＨ（ｊ），（ｊ−１）は、休日期間を単位期間として、休日期間での食事／運動カードの実施枚数変動値と１つ前の平日期間での同カードの実施枚数変動値とを表わするものである。
【０２４６】
これ以外については、図１９（ａ）に示す体重グラフと同様である。
【０２４７】
なお、図１９（ａ），（ｂ）に示すように、かかる減量状況／行動状況の分析を行なった計測日（ｉ）、即ち、状況分析日が状況分析マーク１００で示される。
【０２４８】
図２０は図１８におけるステップＳ７００ａの処理動作の一具体例を示すフローチャートである。以下、図１９（ａ）に示す体重グラフ図を参照して、この具体例を説明する。
【０２４９】
同図において、この分析処理は、今回の状況分析日（状況分析マーク１００が付された計測日（３０））直前の、即ち、最新の種別期間，週単位期間とその１つ前の種別期間と週単位期間との夫々の体重変動量を求めるものである。今回の状況分析日（状況分析マーク１００が付された計測日（３０））直後の分析可能な週単位や種別期間（以下、これらを最新の分析期間という）の体重変動値ＷＳ（ｊ），ＷＭ（ｊ），ＷＷ（ｊ），ＷＨ（ｊ）と、その１つ前の週単位や種別期間（以下、これらを１つ前の分析期間という）の体重変動値ＷＳ（ｊ−１），ＷＭ（ｊ−１），ＷＷ（ｊ−１），ＷＨ（ｊ−１）とを求めるものである。
【０２５０】
即ち、計測日（１３）〜（２９）の分析期間内について、土曜日から始まる最新の週単位の体重変動値（土曜日からの週単位体重変動値）ＷＳ（ｊ）を、
ＷＳ（ｊ）＝ＷSE（ｊ）−ＷSS（ｊ）
但し、ＷSE（ｊ）＝終了日（土曜日）の種別境界日体重
ＷSS（ｊ）＝開始日（土曜日）の種別境界日体重
として算出され、その１つ前の土曜日からの週単位体重変動値ＷＳ（ｊ）を、
ＷＳ（ｊ−１）＝ＷSE（ｊ−１）−ＷSS（ｊ−１）
但し、ＷSE（ｊ−１）＝終了日（土曜日）の種別境界日体重
ＷSS（ｊ−１）＝開始日（土曜日）の種別境界日体重
として算出される（ステップＳ８００）。
【０２５１】
次いで、同じく月曜日から始まる最新の週単位の体重変動値（月曜日からの週単位体重変動値）ＷＭ（ｊ）を、
ＷＭ（ｊ）＝ＷME（ｊ）−ＷMS（ｊ）
但し、ＷME（ｊ）＝終了日（月曜日）の種別境界日体重
ＷMS（ｊ）＝開始日（月曜日）の種別境界日体重
として算出され、その１つ前の月曜日からの週単位体重変動値ＷＭ（ｊ−１）を、
ＷＭ（ｊ−１）＝ＷＭE（ｊ−１）−ＷＭS（ｊ−１）
但し、ＷＭE（ｊ−１）＝終了日（月曜日）の種別境界日体重
ＷＭS（ｊ−１）＝開始日（月曜日）の種別境界日体重
として算出される（ステップＳ８０１）。
【０２５２】
次に、同じく最新の平日期間（月曜日から次の土曜日まで）の体重変動値ＷＷ（ｊ）を、
ＷＷ（ｊ）＝ＷWE（ｊ）−ＷWS（ｊ）
但し、ＷWE（ｊ）＝終了日（土曜日）の種別境界日体重
ＷWS（ｊ）＝開始日（月曜日）の種別境界日体重
として算出され、その１つ前の平日期間の体重変動値ＷＷ（ｊ−１）を、
ＷW（ｊ−１）＝ＷWE（ｊ−１）−ＷWS（ｊ−１）
但し、ＷWE（ｊ−１）＝終了日（土曜日）の種別境界日体重
ＷWS（ｊ−１）＝開始日（月曜日）の種別境界日体重
として算出される（ステップＳ８０２）。
【０２５３】
次に、同じく最新の休日期間（土曜日から次の月曜日まで）の体重変動値ＷＨ（ｊ）を、
ＷＨ（ｊ）＝ＷHE（ｊ）−ＷHS（ｊ）
但し、ＷHE（ｊ）＝終了日（月曜日）の種別境界日体重
ＷHS（ｊ）＝開始日（土曜日）の種別境界日体重
として算出され、その１つ前の平日期間の体重変動値ＷＨ（ｊ−１）を、
ＷH（ｊ−１）＝ＷHE（ｊ−１）−ＷHS（ｊ−１）
但し、ＷHE（ｊ−１）＝終了日（月曜日）の種別境界日体重
ＷHS（ｊ−１）＝開始日（土曜日）の種別境界日体重
として算出される（ステップＳ８０２）。
【０２５４】
以上により、減量状況の評価処理（ステップＳ７００ａ）が終了し、図１９（ａ）での計測日（１３）〜（２０）と計測日（２０）〜（２７）との週単位体重変動値ＷＳ（ｊ），ＷＳ（ｊ−１）と、同じく計測日（１５）〜（２２）と計測日（２２）〜（２９）との週単位体重変動値ＷＭ（ｊ），ＷＭ（ｊ−１）と、同じく計測日（１５）〜（２０）と計測日（２２）〜（２９）との平日期間の体重変動値ＷＷ（ｊ），ＷＷ（ｊ−１）と、同じく計測日（２０）〜（２２）と計測日（２７）〜（２９）との休日期間の体重変動値ＷＨ（ｊ），ＷＨ（ｊ−１）とが得られ、減量状況の評価結果が得られることになる。
【０２５５】
図２１は図１８におけるステップＳ７００ｂの処理動作の一具体例を示すフローチャートである。以下、図１９（ａ）に示す体重グラフ図を参照して、この具体例を説明する。
【０２５６】
このステップＳ７００ｂの処理は、図２０に示す減量状況の評価ステップ（ステップＳ７００ａ）で求めた土曜日からの週単位体重変動値ＷＳ（ｊ），ＷＳ（ｊ−１）や月曜日からの週単位体重変動値ＷＭ（ｊ），ＷＭ（ｊ−１）、平日期間での体重変動値ＷＷ（ｊ），ＷＷ（ｊ−１）、休日期間での体重変動値ＷＨ（ｊ），ＷＨ（ｊ−１）を基に、減量の評価をするためのデータを求めるものであって、求めたデータを基に指導者の減量状況に対する評価結果を作成して参加者ａに提供するものである。
【０２５７】
図２１において、図２０に示す減量状況の評価の処理によって上記の体重変動量ＷＳ（ｊ），ＷＳ（ｊ−１），ＷＭ（ｊ），ＷＭ（ｊ−１），ＷＷ（ｊ），ＷＷ（ｊ−１），ＷＨ（ｊ），ＷＨ（ｊ−１）が得られると、最新の土曜日からの週単位体重変動値のその１つ前の土曜日からの週単位体重変動値からの変動値（週単位間体重変動値）ΔＷＳ（ｊ）を
ΔＷＳ（ｊ）＝ＷＳ（ｊ）−ＷＳ（ｊ−１）
の演算によって求め、同様にして、最新の月曜日からの週単位体重変動値のその１つ前の月曜日からの週単位体重変動値からの変動値（週単位間体重変動値）ΔＷＭ（ｊ），最新の平日期間の週単位体重変動値のその１つ前の平日期間の体重変動値からの変動値（種別期間単位間体重変動値）ΔＷＷ（ｊ），最新の休日期間の週単位体重変動値のその１つ前の休日期間の体重変動値からの変動値（種別期間単位間体重変動値）ΔＷＨ（ｊ）を夫々、
ΔＷＭ（ｊ）＝ＷＭ（ｊ）−ＷＭ（ｊ−１）
ΔＷＷ（ｊ）＝ＷＷ（ｊ）−ＷＷ（ｊ−１）
ΔＷＨ（ｊ）＝ＷＨ（ｊ）−ＷＨ（ｊ−１）
を求める（以上、ステップＳ９００）。
【０２５８】
これら週単位間体重変動値ΔＷＳ（ｊ），ΔＷＭ（ｊ）及び種別期間単位間体重変動値ΔＷＷ（ｊ），ΔＷＨ（ｊ）は、図２０で求めたＷＳ（ｊ），ＷＭ（ｊ），ＷＷ（ｊ），ＷＨ（ｊ）が、目標体重に近づくように減量が進んでいるときには、負値となるから、負値であって、かつその絶対値が大きいほど、即ち、値が小さいほど、１つ前の期間単位（即ち、週期間単位や種別期間単位）から状況分析日直前の最新の期間単位へ減量効果が得られていることをより顕著に示していることになる。
【０２５９】
そこで、これら期間単位間の体重変動量ΔＷＳ（ｊ），ΔＷＭ（ｊ），ΔＷＷ（ｊ），ΔＷＨ（ｊ）と図２０に示す処理で得られた状況分析日直前の最新の期間単位の体重変動量ＷＳ（ｊ），ＷＭ（ｊ），ＷＷ（ｊ），ＷＨ（ｊ）とについて（これら体重変動量を総称して、期間単位／期間単位間体重変動量という）、減量効果が大きい順に、従って、期間単位／単位間体重変動量が小さい順に、優先度を決定する（ステップＳ９０１）。
【０２６０】
かかる優先順位は、参加者ａに通知する減量状況の評価結果の順序を示すものであって、優先順位が高い期間単位／単位間体重変動量ほど通知する順序を高めるものである。
【０２６１】
図２２は図１８におけるステップＳ７０１ａの処理動作の一具体例を示すフローチャートである。以下、図１９（ｂ）に示す行動状況グラフ図を参照して、この具体例を説明する。
【０２６２】
同図において、この分析処理は、今回の状況分析日（状況分析マーク１００が付された計測日（３０））直前の、即ち、最新の種別期間，週単位期間とその１つ前の種別期間と週単位期間との夫々の行動計画の実施状況、即ち、１００ｋｃａｌカードである食事（Ｆ）カードの実施枚数（実施率）と運動カードの実施枚数（実施率）を求めるものである。
【０２６３】
即ち、まず、今回の状況分析日（状況分析マーク１００が付された計測日（３０））直後の分析可能な最新の分析期間、即ち、土曜日からの週単位期間での食事（Ｆ）カードの実施枚数ＦＳ（ｊ）とその１つ前の土曜日からの週単位期間での食事（Ｆ）カードの実施枚数ＦＳ（ｊ−１），同じく月曜日からの週単位期間での食事（Ｆ）カードの実施枚数ＦＭ（ｊ）とその１つ前の月曜日からの週単位期間での食事（Ｆ）カードの実施枚数ＦＭ（ｊ−１），同じく平日期間での食事（Ｆ）カードの実施枚数ＦＷ（ｊ）とその１つ前の平日期間での食事（Ｆ）カードの実施枚数ＦＷ（ｊ−１），同じく休日期間での食事（Ｆ）カードの実施枚数ＦＨ（ｊ）とその１つ前の休日期間での食事（Ｆ）カードの実施枚数ＦＨ（ｊ−１）を求める（ステップＳ１０００）。
【０２６４】
同様にして、運動（Ｓ）カードについても、その実施枚数を求める。即ち、同じく土曜日からの週単位期間での運動（Ｓ）カードの実施枚数ＳＳ（ｊ）とその１つ前の土曜日からの週単位期間での運動（Ｓ）カードの実施枚数ＳＳ（ｊ−１），同じく月曜日からの週単位期間での運動（Ｓ）カードの実施枚数ＳＭ（ｊ）とその１つ前の月曜日からの週単位期間での運動（Ｓ）カードの実施枚数ＳＭ（ｊ−１），同じく平日期間での運動（Ｓ）カードの実施枚数ＳＷ（ｊ）とその１つ前の平日期間での運動（Ｓ）カードの実施枚数ＳＷ（ｊ−１），同じく休日期間での運動（Ｓ）カードの実施枚数ＳＨ（ｊ）とその１つ前の休日期間での運動（Ｓ）カードの実施枚数ＳＨ（ｊ−１）を求める（ステップＳ１０００）。
【０２６５】
以上により、行動状況の評価処理（ステップＳ７０１ａ）が終了し、図１９（ｂ）での計測日（１３）〜（２０）と計測日（２０）〜（２７）とのＦ／Ｓ（食事／運動）カードの実施枚数Ｆ／ＳＳ（ｊ），Ｆ／ＳＳ（ｊ−１）と、同じく計測日（１５）〜（２２）と計測日（２２）〜（２９）とのＦ／Ｓ（食事／運動）カードの実施枚数Ｆ／ＳＭ（ｊ），Ｆ／ＳＭ（ｊ−１）と、同じく計測日（１５）〜（２０）と計測日（２２）〜（２９）との平日期間のＦ／Ｓ（食事／運動）カードの実施枚数Ｆ／ＳＷ（ｊ），Ｆ／ＳＷ（ｊ−１）と、同じく計測日（２０）〜（２２）と計測日（２７）〜（２９）との休日期間のＦ／Ｓ（食事／運動）カードの実施枚数Ｆ／ＳＨ（ｊ），Ｆ／ＳＨ（ｊ−１）とが得られ、減量状況の評価結果が得られることになる。
【０２６６】
図２３は図１８におけるステップＳ７０１ｂの処理動作の一具体例を示すフローチャートである。以下、図１９（ｂ）に示す体重グラフ図を参照して、この具体例を説明する。
【０２６７】
このステップＳ７０１ｂの処理は、図２２に示す行動状況の評価ステップ（ステップＳ７０１ａ）で求めた夫々のカード実施枚数Ｆ／ＳＳ（ｊ），Ｆ／ＳＳ（ｊ−１）と、Ｆ／ＳＭ（ｊ），Ｆ／ＳＭ（ｊ−１）と、Ｆ／ＳＷ（ｊ），Ｆ／ＳＷ（ｊ−１）と、Ｆ／ＳＨ（ｊ），Ｆ／ＳＨ（ｊ−１）とを基に、行動の評価をするためのデータを求めるものであって、求めたデータを基に指導者の行動計画の行動状況に対する評価結果を作成して参加者ａに提供するものである。
【０２６８】
図２３において、図２２に示す行動状況の評価の処理によって上記のカード実施枚数Ｆ／ＳＳ（ｊ），Ｆ／ＳＳ（ｊ−１），Ｆ／ＳＭ（ｊ），Ｆ／ＳＭ（ｊ−１），Ｆ／ＳＷ（ｊ），Ｆ／ＳＷ（ｊ−１），Ｆ／ＳＨ（ｊ），Ｆ／ＳＨ（ｊ−１）が得られると、最新の土曜日からの週単位の食事（Ｆ）のカード実施枚数のその１つ前の土曜日からの週単位の食事（Ｆ）のカード実施枚数からの変動値（週単位間カード実施枚数変動値）ΔＦＳ（ｊ）を
ΔＦＳ（ｊ）＝ＦＳ（ｊ）−ＦＳ（ｊ−１）
の演算によって求め、同様にして、最新の月曜日からの週単位の食事（Ｆ）のカード実施枚数のその１つ前の月曜日からの週単位の食事（Ｆ）のカード実施枚数からの週単位間カード実施枚数変動値）ΔＦＭ（ｊ），最新の平日期間の食事（Ｆ）のカード実施枚数のその１つ前の平日期間の食事（Ｆ）のカード実施枚数からの種別期間単位間カード実施枚数変動値ΔＦＷ（ｊ），最新の休日期間の食事（Ｆ）のカード実施枚数のその１つ前の休日期間の食事（Ｆ）のカード実施枚数からの種別期間単位間カード実施枚数変動値）ΔＦＨ（ｊ）を夫々、
ΔＦＭ（ｊ）＝ＦＭ（ｊ）−ＦＭ（ｊ−１）
ΔＦＷ（ｊ）＝ＦＷ（ｊ）−ＦＷ（ｊ−１）
ΔＦＨ（ｊ）＝ＦＨ（ｊ）−ＦＨ（ｊ−１）
を求める（以上、ステップＳ１１００）。
【０２６９】
同様にして、最新の土曜日からの週単位の運動（Ｓ）のカード実施枚数のその１つ前の土曜日からの週単位の運動（Ｓ）のカード実施枚数からの変動値（週単位間カード実施枚数変動値）ΔＳＳ（ｊ）を
ΔＳＳ（ｊ）＝ＳＳ（ｊ）−ＳＳ（ｊ−１）
の演算によって求め、同様にして、最新の月曜日からの週単位の運動（Ｓ）のカード実施枚数のその１つ前の月曜日からの週単位の運動（Ｓ）のカード実施枚数からの週単位間カード実施枚数変動値）ΔＳＭ（ｊ），最新の平日期間の運動（Ｓ）のカード実施枚数のその１つ前の平日期間の運動（Ｓ）のカード実施枚数からの種別期間単位間カード実施枚数変動値ΔＳＷ（ｊ），最新の休日期間の運動（Ｓ）のカード実施枚数のその１つ前の休日期間の運動（Ｓ）のカード実施枚数からの種別期間単位間カード実施枚数変動値）ΔＳＨ（ｊ）を夫々、
ΔＳＭ（ｊ）＝ＳＭ（ｊ）−ＳＭ（ｊ−１）
ΔＳＷ（ｊ）＝ＳＷ（ｊ）−ＳＷ（ｊ−１）
ΔＳＨ（ｊ）＝ＳＨ（ｊ）−ＳＨ（ｊ−１）
で求める（以上、ステップＳ１１０１）。
【０２７０】
これら食事（Ｆ）カードの実施枚数変動値ΔＦＳ（ｊ），ΔＦＭ（ｊ），ΔＦＷ（ｊ），ΔＦＨ（ｊ）や運動（Ｓ）カードの実施枚数変動値ΔＳＳ（ｊ），ΔＳＭ（ｊ），ΔＳＷ（ｊ），ΔＳＨ（ｊ）は夫々、行動計画の実施状況を表わすものであって、値が大きいほど、１つ前の単位期間よりも行動計画がより効果的に実施されたことを示すものである。そこで、これらカードの実施枚数変動量ΔＦＳ（ｊ），ΔＦＭ（ｊ），ΔＦＷ（ｊ），ΔＦＨ（ｊ），ＳＳ（ｊ），ΔＳＭ（ｊ），ΔＳＷ（ｊ），ΔＳＨ（ｊ）について、行動計画の実施結果が大きい順に、優先度を決定する（ステップＳ１１０２）。
【０２７１】
かかる優先順位も、参加者ａに通知する行動計画の実施状況の評価結果の順序を示すものであって、優先順位が高いカード実施枚数変動値ほど通知する順序を早めるものである。
【０２７２】
以上のようにして、図２１に示す減量状況評価結果の優先度決定処理（ステップＳ７００ａ）で期間単位間体重変動値ΔＷＳ（ｊ），ΔＷＭ（ｊ），ΔＷＷ（ｊ），ΔＷＨ（ｊ）が得られ、図２３で示す行動状態評価結果の優先度決定処理（ステップＳ７０１ｂ）でカード実施枚数変動値ΔＳＳ（ｊ），ΔＳＭ（ｊ），ΔＳＷ（ｊ），ΔＳＨ（ｊ）が得られると、データ管理サーバ８（図１７）の演算装置１１は、制御装置９の制御の基に、期間体重グラフ図や行動実施状況グラフ図を作成し、これらと優先度が設定された期間単位間体重変動値やカード実施枚数変動値とをもとに、指導端末９０（図１７）に提供する健康管理支援のための健康管理／指導画面のデータを作成する。この作成処理は、図１８におけるステップＳ７０２の一部をなすものである。
【０２７３】
図２４は図１７に示す指導者端末９０で作成される健康管理指導画面の一具体例を示す図であって、１１０は健康管理指導画面、１１１はグラフ図表示エリア、１１１ａは評価日マーク、１１２は状況評価表示エリア、１１３は減量状況の評価結果表示欄、１１４は行動状況の評価結果表示欄、１１５は「変更」ボタン、１１６は「該当箇所の強調表示」ボタン、１１７は「コメントへ反映」ボタン、１１８はコメント編集エリア、１１９はコメント表示欄、１１９ａ〜１１９ｃは指導者コメント、１２０は「定型文」ボタン、１２１は「署名」ボタン、１２２は「中止」ボタン、１２３は「完了」ボタン、１２４ａ，１２４ｂは境界日体重であり、図１６に対応する部分には同一符号を付けて重複する説明を省略する。
【０２７４】
同図において、データ管理サーバ８からの健康管理指導画面１１０は指導者端末９０（図１７）の表示装置９３に表示され、指導者が入力装置９２を操作することにより、完成される。
【０２７５】
健康管理指導画面１１０は、グラフ図表示エリア１１１と状況評価表示エリア１１２とコメント編集エリア１１８とからなっており、グラフ図表示エリア１１１と状況評価表示エリア１１２とは、データ管理サーバ８で作成されたグラフ図や図８におけるステップ７００，Ｓ７０１で作成された変動量のデータに応じた作成された評価結果が表示される。
【０２７６】
即ち、グラフ図表示エリア１１１には、先の実施形態でのように作成された行動実施状況グラフ図８１や期間体重グラフ図８２が表示される。なお、ここでは、図１６（ａ）で示す行動実施状況グラフ図８１や期間体重グラフ図８２が表示されるものとしているが、これ以外の期間体重グラフ図８２が表示されるようにしてもよい。なお、「日にちＮｏ」軸４８の評価日の日にちＮｏには、○印の評価日マーク１１１ａでマークが付され、評価日が明示されている。
【０２７７】
状況評価表示エリア１１２には、減量状況の評価結果表示欄１１３と行動状況の評価結果表示欄１１４とが設けられており、減量状況の評価結果表示欄１１３には、図２１に示すステップＳ９０１で得られた期間単位間の体重変動量ΔＷＳ（ｊ），ΔＷＭ（ｊ），ΔＷＷ（ｊ），ΔＷＨ（ｊ）と図２０に示す処理（ステップＳ７００ａ）で得られた状況分析日直前の最新の期間単位の体重変動量ＷＳ（ｊ），ＷＭ（ｊ），ＷＷ（ｊ），ＷＨ（ｊ）とを優先度が高い順に配列し、そのうちの優先順位の高い順の所定の個数の体重変動量について、かかる体重変動量に関する情報をテキストで表示するものである。ここでは、４個の体重変動量に関する情報が表示されており、優先度が高い体重変動量に関する情報を上から順に表示している。これらテキスト情報には夫々、チェックボックス１１３ａが設けられている。
【０２７８】
また、行動状況の評価結果表示欄１１４には、図２３に示すステップＳ１１０２で得られたカード実施枚数変動量ΔＦＳ（ｊ），ΔＦＭ（ｊ），ΔＦＷ（ｊ），ΔＦＨ（ｊ），ΔＳＳ（ｊ），ΔＳＭ（ｊ），ΔＳＷ（ｊ），ΔＳＨ（ｊ）を優先度が高い順に配列し、そのうちの優先順位の高い順の所定の個数のカード実施枚数変動量について、かかるカード実施枚数変動量に関する情報をテキストで表示するものである。ここでは、３個のカード実施枚数変動量に関する情報が表示されており、優先度が高いカード実施枚数変動量に関する情報を上から順に表示している。これらテキスト情報にも夫々、チェックボックス１１４ａが設けられている。
【０２７９】
なお、これら減量状況の評価結果表示欄１１３及び行動状況の評価結果表示欄１１４には夫々、図示しないが、スクロールボタンが表示されており、かかるスクロールボタンを操作することにより、現在表示されている体重変動量またはカード実施枚数変動量よりも優先度が高い、あるいは優先度が低い体重変動量またはカード実施枚数変動量にスクロールし、かかる体重変動量またはカード実施枚数変動量に関するテキスト情報を表示させることができる。
【０２８０】
また、状況評価表示エリア１１２には、減量状況の評価結果表示欄１１３及び行動状況の評価結果表示欄１１４に表示されるテキスト情報を変更するための「変更」ボタン１１５と、グラフ図表示エリア１１１に表示される行動実施状況グラフ図８１や期間体重グラフ図８２でのチェックボックス１１３ａ，１１４ａで指摘される部分を強調表示させるための「当該箇所の強調表示」ボタン１１６と、減量状況の評価結果表示欄１１３及び行動状況の評価結果表示欄１１４に表示されるテキスト情報を次に説明するコメント編集エリア１１８のコメント表示欄１１９に表示される指導者のコメントに反映させるための「コメントへ反映」ボタン１１７とが表示されている。
【０２８１】
状況評価表示エリア１１２でのいずれかの体重変動量に関するテキスト情報のチェックボックス１１３ａがチェックされ、あるいは、行動状況の評価結果表示欄１１４でのいずれかのカード実施枚数変動量に関するテキスト情報のチェックボックス１１４ａがチェックされ、「当該箇所の強調表示」ボタン１１６が操作されると、期間体重グラフ図８２、あるいは行動実施状況グラフ図８１において、このチェックされたテキスト情報に該当する箇所が強調表示される。
【０２８２】
図２５はこのように強調表示された健康管理指導画面１１０ａを示す図であって、１２４ａ，１２４ｂは境界日体重、１２５は枠状の強調マークであり、前出図面に対応する部分には同一符号を付けて重複する説明は省略する。
【０２８３】
図２４に示す健康管理指導画面１１０において、減量状況の評価結果表示欄１１３での、例えば、優先度が最も高い体重変動量のテキスト情報に対するチェックボックス１１３ａがチェックされ、「当該箇所の強調表示」ボタン１１６が操作されると、図２５に示す健康管理指導画面１１０ａにおいて、期間体重グラフ図８２でのチェックされたテキスト情報が対象となる期間（この場合、計測日（２２）〜（２７））での部分が強調して表示される。ここでは、この期間（平日期間）の開始日（計測日（２２））と最終日（計測日（２７））とで、これらの境界日体重１２４ａ，１２４ｂが大きい「○」マークで表わされることにより、この期間が強調表示されている場合を示している。しかし、これに限るものではなく、かかる「○」マークを他の「○」マークと異なる色で表示するようにしてもよいし、また、この期間の期間体重グラフ（この場合、平日期間体重グラフ）４５ｂを他の期間の期間体重グラフとは異なる表示形態で表示するようにしてもよい。
【０２８４】
また、図２４に示す健康管理指導画面１１０において、行動状況の評価結果表示欄１１４での、例えば、優先度が最も高い運動（Ｓ）カードの実施枚数変動量のテキスト情報に対するチェックボックス１１４ａがチェックされ、「当該箇所の強調表示」ボタン１１６が操作されると、図２５に示す健康管理指導画面１１０ａにおいて、行動実施状況グラフ図８１でのチェックされたテキスト情報が対象となる期間（この場合、Ｎｏ．２７〜２９）での部分が強調して表示される。ここでは、このテキスト情報は、この期間（休日期間）での運動（Ｓ）カードの実施枚数についてのものであるから、この期間での運動（Ｓ）カードの「運動」カード実施率グラフ８３ｂを囲む枠状のマーク１２４で強調表示が行なわれる。しかし、これに限るものではなく、この運動（Ｓ）カードの「運動」カード実施率グラフ８３ｂを他のカード実施率グラフとは異なる表示形態で表示するようにしてもよい。
【０２８５】
以上により、減量状況の評価結果表示欄１１３と行動状況の評価結果表示欄１１４とで夫々、１以上の変動量について、チェックボックス１１３ａ，１１４ａがチェックされ、「当該箇所の強調表示」ボタン１１６が操作されると、期間体重グラフ図８２や行動実施状況グラフ図８１でのチェックされた全ての変動量に該当する部分が、上記のように、強調表示される。
【０２８６】
なお、強調表示のための操作がなされた「該当箇所の強調表示」ボタン１１６は、斜線ハッチングで示しているが、かかる状態で再度操作されると、以上の強調表示は終了し、図２４に示すもとの表示形態の健康管理指導画面１１０に表示が戻る。
【０２８７】
このようにして、指導者は、減量状況の評価結果表示欄１１３と行動状況の評価結果表示欄１１４とでの評価結果を、期間体重グラフ図８２と行動実施状況グラフ図８１と明確に対応させて、確認することができる。
【０２８８】
図２４において、コメント編集エリア１１８では、期間体重グラフ図８２や行動実施状況グラフ図８１での計測体重や行動実施の傾向、減量状況の評価結果表示欄１１３や行動状況の評価結果表示欄１１４の評価結果をもとに、指導者が参加者ａにコメントをするコメント表示欄１１９と、「定型文」ボタン１２０と、「署名」ボタン１２１と、「中止」ボタン１２２と、「完了」ボタン１２３とが設けられている。
【０２８９】
コメント表示欄１１９は、減量の成功，失敗などの総括的な内容の指導者コメントａと、指導のための具体的な内容の指導者コメントｂと、署名を含む結論の指導者コメントｃとからなり、指導者コメントａは、かかる総括的な内容が、上記の評価結果を基に、予め作成されて指導者端末９０（図１７）の制御装置９１での図示しない記録装置に記録保持されている各種の総括内容から、自動的に該当する内容のテキストが選択されて表わされたものである。指導者コメントｂは、指導者が指導者端末９０の入力装置９２を操作して入力されるものであって、減量の成功あるいは失敗となっている部分について、具体的に参加者ａに通知するものである。指導者コメントｃでは、例えば、「この調子で最後まで頑張って下さい。応援しています。」といった結論のコメントであり、これとともに、指導者の署名が表示されている。この結論の指導者コメントｃは、複数の内容のものが定型文化されて指導者端末９０（図１７）の制御装置９１での図示しない記録装置に記録保持されており、「定型文」ボタン１２０を操作することにより、そのいずれかを選択表示させることができる。また、「署名」ボタン１２１が操作されることにより、指導者の署名も指導者コメントｃとして表示される。
【０２９０】
このようにして作成された健康管理指導画面１１０は、「完了」ボタン１２３が操作されることにより、作成が完了して指導者端末９０からデータ管理サーバ８（図１７）に送信され、データ管理サーバ８では、制御装置９で一旦受信されて所定の確認などの処理がなされた後、該当する参加者端末１ａ（図１７）に送信される。この参加者端末１ａでは、制御装置２ａで受信されて記録装置６ａに記憶され、参加者ａの入力装置３ａでの所定の操作により、表示装置５ａに健康管理支援画面として表示される。
【０２９１】
なお、図２４において、「中止」ボタン１２２が操作されると、指導者端末９０での以上の処理が中止され、健康管理指導画面１１０の表示装置９３での表示が終了する。
【０２９２】
図２６は図１７での参加者端末１ａの表示装置６ａに表示される健康管理支援画面の一具体例を示す図であって、１３０は健康管理支援画面、１３１は指導者コメント表示欄、１３２は「場所を確認」ボタンであり、図２４，図２５に対応する部分には同一符号を付けて重複する説明を省略する。
【０２９３】
同図において、指導者端末９０で作成された健康管理指導画面１１０（図２４）を基にデータ管理サーバ８から参加者端末１ａに送られてきた健康管理支援画面１３０は、参加者端末１ａの表示装置５ａに表示される。
【０２９４】
この健康管理支援画面１３０では、この健康管理指導画面１１０（図２４）と同様に、行動実施状況グラフ図８１や期間体重グラフ図８２，選択項目「休日」表示８５ａ，選択項目「種別期間体重」表示８５ｂ，選択項目「行動実施状況グラフ」表示８５ｃ，これら選択項目毎のチェックボックス８６などが表示されるが、これとともに、指導者コメント表示欄１３１と「場所を確認」ボタン１３２とが表示される。
【０２９５】
指導者コメント表示欄１３１には、健康管理指導画面１１０（図２４）でのコメント表示欄１１９の表示内容、即ち、指導者コメント１１９ａ，１１９ｂ，１１９ｃがそのまま表示される。
【０２９６】
「場所を確認」ボタン１３２は、コメント表示欄１１９での指導者コメント１１９ｂで指摘されている行動実施状況グラフ図や期間体重グラフ図での場所を確認することができるようにするためのものであり、この「場所を確認」ボタン１３２が操作されると、健康管理支援画面１３０が図２６ａに示す健康管理支援画面１３０に変更される。なお、図２６ａにおいて、１１９ｂ１，１１９ｂ２は指導者コメント、１３１ａ，１３１ｂは指導者コメント欄、１３２ａ，１３２ｂは「場所を確認」ボタンであり、図２４に対応する部分には同一符号をつけて重複する説明を省略する。
【０２９７】
この健康管理支援画面１３０ａは、図２６ａに示すように、図２６に示す健康管理支援画面１３０での指導者コメント欄１３１の代わりに、２つの指導者コメント欄１３１ａ，１３１ｂが表示されるものであり、指導者コメント欄１３１ａには、健康管理支援画面１３０での指導者コメント欄１３１での指導者コメント１１ｂの体重（減量状況）に関する事項の指導者コメント１１９ｂ1が表示され、指導者コメント欄１３１ｂには、同じく健康管理支援画面１３０での指導者コメント欄１３１での指導者コメント１１ｂの運動カードの実施枚数（行動実施状況）に関する事項の指導者コメント１１９ｂ2が表示される。
【０２９８】
また、指導者コメント欄１３１ａには、「場所を確認」ボタン１３２ａが、指導者コメント欄１３１ｂには、「場所を確認」ボタン１３２ｂが夫々設けられている。指導者コメント欄１３１ａでの「場所を確認」ボタン１３２ａが操作されると、期間体重グラフ図８２での指導者コメント欄１３１ａに記載される指導者コメント１１９ｂ1の指定部分が強調表示され、この指導者コメント１１９ｂ1が土の部分を指摘しているのかを確認することができるようにしている。
【０２９９】
図２６ａは「場所を確認」ボタン１３２ａが操作されたときの表示状態を示すものであって、このときの指導者コメント１１９ｂ1は計測日（２２）〜（２７）の部分を指摘しているので、期間体重グラフ図８２のかかる計測日（２２）〜（２７）の平日期間の部分が、この平日期間の開始日での境界日体重１３３ａと終了日の境界日体重１３３ｂとが他の境界日体重よりも拡大して表示されることにより、強調表示されている。なお、この指定された平日期間の期間体重グラフ４５ｂを他の種別期間の体重グラフとは異なる色で表示するなど、他の表示形態で強調表示するようにしてもよい。
【０３００】
同様に、指導者コメント欄１３１ｂの「場所を確認」ボタン１３２ｂが操作されたときには、行動実施状況グラフ図８１での指導者コメント欄１３１ｂに記載される指導者コメント１１９ｂ2の指定部分が強調表示される。
【０３０１】
図２６ｂは図２６ａに示す健康管理支援画面１３０ａで指導者コメント欄１３１ｂの「場所を確認」ボタン１３２ｂも操作されたときの健康管理支援画面１３０を示すものであって、図２４〜図２６に対応する部分には同一符号をつけて重複する説明を省略する。
【０３０２】
同図において、指導者コメント欄１３１ｂの「場所を確認」ボタン１３２ｂが操作されることにより、行動実施状況グラフ図８１での指導者コメント欄１３１ｂに記載される指導者コメント１１９ｂ2の指定部分、ここでは、計測日（２７）〜（２９）の休日期間４２ｂでの部分が、図２５に示す健康管理指導画面１１０ａのように、枠状のマーク１２５で強調表示される。なお、この指定された休日期間の種別期間平均カード実施率グラフ８３を他の種別期間のグラフとは異なる色で表示するなど、他の表示形態で強調表示するようにしてもよい。
【０３０３】
このようにして、参加者１ａは、指導者コメント欄１３１ａ，１３１ｂで指導者によって指定される期間体重グラフ図８２，行動実施状況グラフ図の部分を確認することができ、指導者がコメントする内容を容易に理解できるようになる。
【０３０４】
図２７は本発明による健康管理支援システムでの第４の実施形態に用いられる体重グラフ図の一具体例を示す図であって、１４０は体重グラフ図、１４１ａ，１４１ｂ，１４１ｃは週期間、１４２ａ，１４２ｂ，１４２ｃは週期間体重グラフであり、図５に対応する部分には同一符号を付けて重複する説明を省略する。
【０３０５】
同図において、この体重グラフ図１４０は、月曜日から次の月曜日との間の期間を夫々週期間１４１ａ，１４１ｂ，１４１ｃとし、かかる月曜日を週期間の間の境界日（週期間境界日）として、これら各週期間１４１ａ，１４１ｂ，１４１ｃ毎に、その開始日の月曜日（週期間境界日）での境界日体重からその終了日である次の月曜日（週期間境界日）での境界日体重との間を結ぶ体重グラフ１４２ａ，１４２ｂ，１４２ｃを作成して表示するものである。
【０３０６】
ここでは、先の実施形態と同様、各境界日体重はその計測日（ｉ）での計測体重としており、各週期間の開始日としては、その実際の開始日としての月曜日に計測体重がデータ管理サーバ８の記録部１０に登録されていない場合には、その週期間で計測体重が登録されているこの月曜日に最も近い後続する曜日とする。また、各週期間の終了日としては、その実際の終了日としての次の月曜日に計測体重がデータ管理サーバ８の記録部１０に登録されていない場合には、この実際の終了日としての次の月曜日に最も近い後続する曜日とする。従って、このように設定される週期間の終了日としての週期間境界日が次の週期間の開始日となる。
【０３０７】
図２８は図２７に示す体重グラフ図に対するデータ管理サーバ８の記録装置１０でのデータ登録テーブルの一具体例を示す図であって、１５０はデータ登録テーブルであり、図４に対応する部分には同一符号を付けて重複する説明を省略する。
【０３０８】
同図において、ここでは、健康管理支援期間の最初の計測日（１）である６月１日から計測日（１０）までの期間のデータ登録テーブル１５０を示しており、各計測日（ｉ）での「期間種別フラグ」欄３３及び「計測体重」欄３４での登録データは、図４（ａ）に示すデータ登録テーブル３０ａでの登録データと等しいものとする。即ち、この期間での各登録日（ｉ）で計測体重Ｗ（ｉ）が登録されているものとする。
【０３０９】
この場合には、この健康管理支援期間の初日である月曜日の計測日（１）が最初の週期間（図２７での週期間１４１ａ）の開始日であり、次の月曜日の計測日（８）の６月８日がこの週期間１４１ａの終了日となる。また、この月曜日の計測日（８）が次の週期間１４１ｂの開始日であり、さらに次の月曜日（図２７では図示せず）の計測日（１５）の６月１５日がこの週期間１４１ｂの終了日となる。以下同様にして、各週期間が月曜日から次の月曜日までの期間で設定される。また、かかる週期間の開始日，終了日となる月曜日は、週期間境界日となるものであって、かかる週期間境界日に期間番号ＣＤ（ｊ）と境界日体重ＣＷ（ｊ）とが求められて、データ登録テーブル１５０の「期間番号」欄３５，「境界日体重」欄３６に夫々登録される。ここで、境界日体重ＣＷ（ｊ）は、それが登録される週期間境界日としての計測日（ｉ）の計測体重Ｗ（ｉ）である。
【０３１０】
図２９は図２８における境界日体重ＣＷ（ｊ）を求める図１，図１７におけるデータ管理サーバ８での演算装置１１の処理動作の一具体例を示すフローチャートである。
【０３１１】
同図において、まず、ｉ＝１として、健康管理支援期間内の最初の計測日（１）が指定され、また、ｊ＝１として、最初の週期間（ｊ）が指定される（ステップＳ１２００）。
【０３１２】
次に、この計測日（１）でのその期間種別フラグＣＨ（１）が“０”であって、計測体重Ｗ（１）が値「０」でないかどうかを判断し（ステップＳ１２０１）、これら条件のいずれかが満たされないときには（ステップＳ１２０１の“Ｎ”）、ｉ＝１＋１＝２として（ステップＳ１２０２）、次の計測日（２）について、同様に、ステップＳ１２０１の判断が行なわれ、いずれの条件もが満たされるまで、順番に計測日（ｉ）についてステップＳ１２０１の判断処理が行なわれる。そして、ステップＳ１２０１で期間種別フラグＣＨ（１）が“０”であって、計測体重Ｗ（１）が値「０」でないと判断される計測日（ｉ）が得られると、この計測日（ｉ）を健康管理支援期間の最初の週期間の開始日（即ち、最初の週期間の開始日としての境界日）と決定して（ステップＳ１２０２の“Ｙ”）、この開始日の期間番号ＣＤ（ｊ）をＤP（１）としてデータ登録テーブル１５０の「期間番号」欄３５の該当する計測日（ｉ）の箇所に登録する。また、これとともに、この開始日での計測体重Ｗ（ｉ）を「計測体重」欄３４から読み取り、「境界日体重」欄３６の該当する計測日（ｉ）の箇所に、境界日体重ＣＷ（１）をＷP（１）として、登録する（ステップＳ１２０３）。
【０３１３】
なお、以上により、図２８に示すデータ登録テーブル１５０では、計測日（１）の「期間番号」欄３５に期間番号ＣＤ（ｊ）＝ＤP（１）が登録され、同じく「境界日体重」欄３６に計測体重Ｗ（１）が境界日体重ＣＷ（ｊ）＝ＷP（１）として登録されたものとする。
【０３１４】
次いで、このステップＳ１２０１で得られた計測日（ｊ）以降に計測体重Ｗ（ｉ）が登録されている計測日が有るか否かを判定し（ステップＳ１２０４）、なければ（ステップＳ１２０４の“Ｎ”）、処理を終了するが、有れば（ステップＳ１２０４の“Ｙ”）、ｉ＝ｉ＋１として（ステップＳ１２０５）、次の計測日（ｉ）を指定し（この場合、図２８では、計測日（２）の６月２日）、期間種別フラグＨ（ｉ）＝“０”か否かを判定する（ステップＳ１２０６）。そして、Ｈ（ｉ）＝“０”であるときには、平日期間での計測日として、次の計測日（ｉ）に移り（ステップＳ１２０５）、ステップＳ１２０６の判定を行なう。このように、ステップＳ１２０５，Ｓ１２０６からなる処理を繰り返すことにより、最初に期間種別フラグＨ（ｉ）＝“１”となる計測日（ｉ）が見つかるが、この計測日（ｉ）が先の境界日の最初の平日期間の開始日（図２８では、計測日（６）の土曜日）ということなる。
【０３１５】
このようにして、この土曜日が見つかると、次に、ｉ＝ｉ＋１として（ステップＳ１２０７）、次の計測日（ｉ）を指定し（この場合、図２８では、計測日（７）の６月７日）、期間種別フラグＨ（ｉ）＝“０”であって、計測体重Ｗ（１）が値「０」でないかどうかを判断し（ステップＳ１２０８）、これら条件のいずれかが満たされないときには（ステップＳ１２０８の“Ｎ”）、ｉ＝１＋１＝２として（ステップＳ１２０７）、さらに次の計測日（ｉ）について、同様に、ステップＳ１２０８の判断が行なわれ、これらいずれの条件もが満たされるまで、順番に計測日（ｉ）についてステップＳ１２０８の判断処理が行なわれる。そして、ステップＳ１２０８で期間種別フラグＣＨ（１）が“０”であって、計測体重Ｗ（ｉ）が値「０」でないと判断される計測日（ｉ）が得られると（ステップＳ１２０８の“Ｙ”）、この計測日（ｉ）を、上記の週期間境界日で始まる最初の週期間の終了日としての週期間境界日と決定し、ｊ＝ｊ＋１として（ステップＳ１２０９）、この週期間境界日としての計測日（ｉ）のデータ登録テーブル１５０の「期間番号」欄３５に期間番号ＣＤ（ｊ）をＤP（２）として登録し、これとともに、この計測日（ｉ）の計測体重Ｗ（ｉ）を「計測体重」欄３４から読み取り、「境界日体重」欄３６の該当する計測日（ｉ）の箇所に、境界日体重ＣＷ（１）をＷP（２）として、登録する（ステップＳ１２０３）。ここでは、計測日（８）がこの週期間境界日となり、この「期間番号」欄３５に期間番号ＣＤ（ｊ）＝ＤP（２）が、「境界日体重」欄３６に境界日体重ＣＷ（１）＝ＷS（２）が夫々登録される。
【０３１６】
なお、月曜日としての期間境界日（計測日（８））で計測体重Ｗ（ｉ）が値「０」であり（ステップＳ１２０８の“Ｎ”）、次の火曜日（計測日（９））に値が「０」でない計測体重Ｗ（９）が値「０」ではないときには（ステップＳ１２０８の“Ｎ”）、この計測日（９）が期間境界日となり、この日の「期間番号」欄３５に期間番号ＣＤ（ｊ）＝ＤP（２）が、「境界日体重」欄３６に境界日体重ＣＷ（ｊ）＝ＷP（２）が夫々登録される。
【０３１７】
以下同様にして、ステップＳ１２０５〜Ｓ１２０８の処理を繰り返すことにより、順次の週期間の境界日を求め、その期間番号ＣＤ（ｊ）と境界日体重ＣＷ（ｊ）とをデータ登録テーブル１５０の該当する週期間境界日の「期間番号」欄３５と「境界日体重」欄３６とに登録する。そして、体重グラフ図において、かかる境界体重ＣＷ（ｊ）を順次直線で結んで描くことにより、図２７に示すような体重グラフ図１４０が得られる。
【０３１８】
かかる体重グラフ図１４０は、第１の実施形態と同様に、あるいは、図１６に示すように、種別期間平均カード実施率グラフ８３とともに、参加者端末１ａに供給され、あるいはまた、図２６に示すように、さらに、指導者のコメントとともに、参加者端末１ａに供給され、その表示装置５ａで表示される。これにより、参加者ａに対しては、健康管理支援期間での週単位でみた体重の変化の傾向を、平日と休日との生活環境の違いによる影響を抑えた形で、簡単に確認させることができる。
【０３１９】
図３０は本発明による健康管理支援システムでの第５の実施形態に用いられる体重グラフ図の一具体例を示す図であって、１６０は体重グラフ図、１６１ａ，１６１ｂ，１６１ｃは週期間、１６２ａ，１６２ｂ，１６２ｃは週期間体重グラフであり、図５に対応する部分には同一符号を付けて重複する説明を省略する。
【０３２０】
同図において、この体重グラフ図１６０は、土曜日から次の土曜日までの期間を夫々週期間１６１ａ，１６１ｂ，１６１ｃとし、かかる土曜日を週期間の間の境界日（即ち、週期間境界日）として、これら各週期間１６１ａ，１６１ｂ，１６１ｃ毎に、その開始日の土曜日（週期間境界日）での境界日体重からその終了日である次の土曜日（週期間境界日）での境界日体重との間を結ぶ体重グラフ１６２ａ，１６２ｂ，１６２ｃを作成して表示するものである。
【０３２１】
ここでは、先の実施形態と同様、各境界日体重ＣＷ（ｊ）はその計測日（ｉ）での計測体重Ｗ（ｉ）としており、各週期間の開始日としては、その実際の開始日としての土曜日に計測体重がデータ管理サーバ８の記録部１０に登録されていない場合には、その週期間で計測体重が登録されているこの土曜日の翌日の日曜日、さらには、月曜日とする。また、各週期間の終了日としては、その実際の終了日としての次の土曜日に計測体重がデータ管理サーバ８の記録部１０に登録されていない場合には、この実際の終了日としての次の土曜日の翌日の日曜日とする。従って、このように設定される週期間の終了日としての週期間境界日が次の週期間の開始日となる。
【０３２２】
図３１は図３０に示す体重グラフ図に対するデータ管理サーバ８の記録装置１０でのデータ登録テーブルの一具体例を示す図であって、１７０はデータ登録テーブルであり、図４に対応する部分には同一符号を付けて重複する説明を省略する。
【０３２３】
同図において、ここでは、データ登録テーブル１７０の計測日（１２）である６月１２日から計測日（２０）である６月２０日までの期間の部分を示しており、各計測日（ｉ）での「期間種別フラグ」欄３３及び「計測体重」欄３４での登録データは、図４（ａ）に示すデータ登録テーブル３０ａでの登録データと等しいものとする。即ち、この期間での各登録日（ｉ）で計測体重Ｗ（ｉ）が登録されているものとする。
【０３２４】
ここでは、土曜日の計測日（１３）から次の土曜日の計測日（２０）までの期間が１つの週期間であり、この土曜日の計測日（２０）から次の土曜日の計測日（ｉ）（図３での６月２７日）までの期間が次の週期間である。この実施形態は、先の第４の実施形態での月曜日を週期間境界日とする代わりに、土曜日を週期間境界日とするものであり、これ以外については、第４の実施形態と同様である。従って、週期間境界日である土曜日の計測日（１３）で期間番号ＣＤ（ｊ）と境界日体重ＣＷ（ｊ）とが求められて、データ登録テーブル１７０の「期間番号」欄３５，「境界日体重」欄３６に夫々登録される。次の週期間境界日である土曜日の計測日（２０）で期間番号ＣＤ（ｊ）と境界日体重ＣＷ（ｊ）とが求められて、データ登録テーブル１７０の「期間番号」欄３５，「境界日体重」欄３６に夫々登録される。ここで、境界日体重ＣＷ（ｊ）は、それが登録される週期間境界日としての計測日（ｉ）の計測体重Ｗ（ｉ）である。
【０３２５】
図３２は図３１における境界日体重ＣＷ（ｊ）を求める図１，図１７におけるデータ管理サーバ８での演算装置１１の処理動作の一具体例を示すフローチャートである。
【０３２６】
この第５の実施形態での境界日体重ＣＷ（ｊ）を求める演算装置１１の処理動作も、先の図２９に示す第４の実施形態の場合と同様であり、図２９に示すフローチャートに対応する部分には、ダッシュを付した同じ符号を付けている。
【０３２７】
図３２において、週期間境界日を土曜日としてするため、ステップＳ１２０１’，Ｓ１２０６’及びＳ１２０８’で「Ｈ（ｉ）＝１」としている。そして、ステップＳ１２０１’は、ステップＳ１２０２’とともに、健康管理支援期間の最初の週期間境界日として、最初の土曜日を設定するものであり、ステップＳ１２０５’〜Ｓ１２０８’の処理動作は、週期間境界日としての土曜日を順次検索するものである。これ以外については、図２９に示すフローチャートと同様である。
【０３２８】
この第５の実施形態においても、先の第４の実施形態と同様、参加者ａに対しては、健康管理支援期間での週単位でみた体重の変化の傾向を、平日と休日との生活環境の違いによる影響を抑えた形で、簡単に確認させることができる。
【０３２９】
なお、上記第４，第５の実施形態においても、体重グラフ図１４０，１６０での週期間体重グラフのための境界日体重ＣＷ（ｊ）として、図９〜図１１に示すように求めるようにしてもよい。
【符号の説明】
【０３３０】
１ａ，１ｂ：参加者端末    ２ａ，２ｂ：制御装置    ３ａ，３ｂ：入力装置    ４ａ，４ｂ：センサ情報取込装置    ５ａ，５ｂ：表示装置    ６ａ，６ｂ：記録装置    ７ａ，７ｂ：計測装置    ８：データ管理サーバ    ９：制御装置    １０：記録装置    １１：演算装置    １２：ネットワーク    ２０：初期設定画面    ２１：カレンダ部    ２１ａ：スクロールバー    ２１ｂ：開始日マーク    ２１ｃ：健康管理支援期間エリア枠    ２１ｄ：休日マーク    ２１ｅ：丸枠    ２２：入力インターフェース部    ２２ａ：項目「減量期間中」    ２２ｂ：項目「特定期間」    ２２ｃ：項目「指定日」    ２２ｄ：項目「特定日」    ２２ｅ：項目「就労日に設定」    ２２ｆ：項目「休日に設定」    ２３：健康管理支援期間    ２４：「実行」ボタン    ３０ａ〜３０ｄ：データ登録テーブル    ３１：「日にち番号」欄    ３２：「計測日」欄    ３３：「期間種別フラグ」欄    ３４：「計測体重」欄    ３５：「期間番号」欄    ３６：「境界日体重」欄    ３７：「目標体重」欄    ４０ａ〜４０ｂ：体重グラフ図    ４１ａ〜４１ｃ：平日期間    ４２ａ，４２ｂ：休日期間    ４３：計測体重    ４４：計測体重グラフ    ４５ａ，４５ｂ，４５ｃ：平日期間体重グラフ    ４６ａ，４６ｂ：休日期間体重グラフ    ４７：目標体重マーク    ４８：日にちＮｏ    ５０ａ〜５０ｃ：データ登録テーブル    ６０ａ〜６０ｃ：体重グラフ図    ７０：行動計画設定画面    ７１：１００ｋｃａｌカード表示／選択エリア    ７２：カテゴリタブ表示エリア    ７３ａ：カテゴリ「主食」のタブ    ７３ｂ：カテゴリ「果物」のタブ    ７３ｃ：カテゴリ「間食」のタブ    ７３ｄ：カテゴリ「アルコール」のタブ    ７３ｅ：カテゴリ「缶コーヒー・ジュース」のタブ    ７３ｆ：カテゴリ「調味料」のタブ    ７３ｇ：カテゴリ「主菜（３食分）」のタブ    ７３ｈ：カテゴリ「牛乳・ヨーグルト」のタブ    ７３ｉ：カテゴリ「運動」のタブ    ７４：行動設定エリア    ７４ａ：減カロリー目標値算出部    ７４ｂ：１００ｋｃａｌカード設定部    ７５：ページ    ７６：カードアイコン    ７７：「決定」ボタン    ７８：「キャンセル」ボタン：８０，８０ａ：体重／行動実施状況グラフ図の画面    ８１：行動実施状況グラフ図    ８２：期間体重グラフ図    ８３，８３’：種別期間平均カード実施率グラフ    ８３ａ，８３’ａ：「食事」カード実施率グラフ    ８３ｂ，８３’ｂ：「運動」カード実施率グラフ    ８４：行動目標値    ８５ａ：選択項目「休日」表示    ８５ｂ：選択項目「種別期間体重」表示    ８５ｃ：選択項目「行動実施状況グラフ」表示    ８６：チェックボックス    ８７ａ，８７ｂ：横スクロールキー    ９０：指導者端末    ９１：制御装置    ９２：入力装置    ９３：表示装置    １００：状況分析マーク    １１０，１１０ａ：健康管理指導画面    １１１：グラフ図表示エリア    １１１ａ：評価日マーク    １１２：状況評価表示エリア    １１３：減量状況の評価結果表示欄    １１４：行動状況の評価結果表示欄    １１５：「変更」ボタン    １１６：「該当箇所の強調表示」ボタン    １１７：「コメントへ反映」ボタン    １１８：コメント編集エリア    １１９：コメント表示欄    １１９ａ〜１１９ｃ：指導者コメント    １２０：「定型文」ボタン    １���１：「署名」ボタン    １２２：「中止」ボタン    １２３：「完了」ボタン    １２５：枠状のマーク    １３０：健康管理支援画面    １３１，１３１ａ，１３１ｂ：指導者コメント表示欄    １３２，１３２ａ，１３２ｂ：「場所を確認」ボタン    １３３ａ，１３３ｂ：境界日体重    １４０：体重グラフ図    １４１ａ，１４１ｂ，１４１ｃ：週期間    １４２ａ，１４２ｂ，１４２ｃ：週期間体重グラフ    １５０：データ登録テーブル    １６０：体重グラフ図    １６１ａ，１６１ｂ，１６１ｃ：週期間    １６２ａ，１６２ｂ，１６２ｃ：週期間体重グラフ    １７０：データ登録テーブル
【図１】
2010237805.tif 000008
【図２】
2010237805.tif 000009
【図３】
2010237805.tif 000010
【図４】
2010237805.tif 000011
【図５】
2010237805.tif 000012
【図６】
2010237805.tif 000013
【図７】
2010237805.tif 000014
【図８】
2010237805.tif 000015
【図９】
2010237805.tif 000016
【図１０】
2010237805.tif 000017
【図１１】
2010237805.tif 000018
【図１２】
2010237805.tif 000019
【図１３】
2010237805.tif 000020
【図１４】
2010237805.tif 000021
【図１５】
2010237805.tif 000022
【図１６】
2010237805.tif 000023
【図１７】
2010237805.tif 000024
【図１８】
2010237805.tif 000025
【図１９】
2010237805.tif 000026
【図２０】
2010237805.tif 000027
【図２１】
2010237805.tif 000028
【図２２】
2010237805.tif 000029
【図２３】
2010237805.tif 000030
【図２４】
2010237805.tif 000031
【図２５】
2010237805.tif 000032
【図２６】
2010237805.tif 000033
【図２６ａ】
2010237805.tif 000034
【図２６ｂ】
2010237805.tif 000035
【図２７】
2010237805.tif 000036
【図２８】
2010237805.tif 000037
【図２９】
2010237805.tif 000038
【図３０】
2010237805.tif 000039
【図３１】
2010237805.tif 000040
【図３２】
2010237805.tif 000041